(57)【要約】本発明は、ジャンプポイントが緩和される裸眼立体映像表示装置を実現する。本発明の裸眼立体映像表示装置は、パララックスバリアのスリットの配置形状が、ジグザグまたは曲線であり、スリットのエッジ形状が楕円弧なので、穏やかなビューミックスの発生によりジャンプポイントを緩和出来る。また、本発明の穴型パララックスバリアは、画素配列面上の視認される領域を決めてから設計するので、ビューミックスの効果を適切に持たせることが出来る。
2010007787.tif 000002
【特許請求の範囲】
【請求項１】
２Ｄ映像および／または３Ｄ映像の表示を行う映像表示手段、および、パララックスバリアからなる裸眼立体映像表示装置と、
該裸眼立体映像表示装置に対してタッチパネル操作を受け付けるタッチパネルと
を備えた裸眼立体映像表示システムであって、
該タッチパネルは、
メニュー映像を表示、および／またはメニュー画像を形成したタッチ面をガラス面に備え、
該裸眼立体映像表示装置は、
該ガラス面の外側からタッチパネル操作に必要な所定距離だけ離れた位置が立体視適正領域に入るように、該ガラス面の内側から所定の距離（前記立体視適正領域までの距離−前記タッチパネル操作に必要な所定距離）をあけてガラス面の内側に設置される
ことを特徴とする裸眼立体映像表示システム。
【請求項２】
前記タッチパネルは、
メニュー映像を表示するために着脱可能な、タッチ面を形成した薄型ディスプレイをガラス面に備える
ことを特徴とする
請求項１記載の裸眼立体映像表示システム。
【請求項３】
前記タッチパネルは、
メニュー画像として着脱可能な、写真またはグラフィック等により形成されたアイコンや文字等が印刷されたタッチシートをガラス面に備える
ことを特徴とする
請求項１記載の裸眼立体映像表示システム。
【請求項４】
前記タッチパネルは、
メニュー画像として着脱可能な、写真またはグラフィック等により形成されたアイコンや文字等が印刷された媒体、ペーパーコントローラ、または、ペーパーキーボードをガラス面に備え、
該媒体、該ペーパーコントローラ、または、該ペーパーキーボードに重畳して形成されたドットパターンを操作者が光学読み取り手段（スキャナ）でタッチして読み取ることによって、前記裸眼立体映像表示装置に対するタッチパネル操作を受け付ける
ことを特徴とする
請求項１記載の裸眼立体映像表示システム。
【請求項５】
前記裸眼立体映像表示装置は、
近傍の物体を撮像する撮像手段をさらに備え、
前記映像表示手段による
前記２Ｄ得初像／または３Ｄ映像の表示状態の制御に際し、
前記制御部は、
該撮像手段により撮影した映像と共に、
該画像を解析し、解析結果に応じた立体映像を表示する制御を行う
ことを特徴とする請求項１記載の裸眼立体映像表示システム。
【請求項６】
パララックスバリアを用いた裸眼立体映像表示装置であって、
前記パララックスバリアのスリットのエッジ形状は、
ディスプレイ上に配置された、該スリットを通して画像提示対象者により視認される可視領域を形成する、１つまたは複数の視点用の画素に対応した一定形状の楕円弧を、連続して接続した形状であり、
前記楕円弧は、
各画素を水平方向に分割する各水平線上において接続される
ことを特徴とする裸眼立体映像表示装置。
【請求項７】
パララックスバリアを用いた裸眼立体映像表示装置であって、
該パララックスバリアを構成する複数のスリット部および複数のバリア部のうち、
該スリット部のそれぞれは、１個のスリット部に代わり、裸眼立体表示用の各画素に対応した、複数個の可視光透過領域である穴部により構成され、
画像提示対象者が裸眼立体効果を最も得られる位置であるベストビューポイントにおいて該穴部を通して画像提示対象者に視認させようとする画素配列面上の最大領域を、所定の幅と所定の高さとを有する該画素配列面上の矩形領域とし、
該穴部は、該パララックスバリア面上にそれぞれ独立して配置され、
該穴部の形状は、楕円弧形の形状、または六角形以上の凸偶数多角形の形状であって、
かつ、
該穴部の形状は、
該ベストビューポイントにおける前記画像提示対象者の左右いずれかの眼を基点として、該矩形領域と結ぶ線分と、該パララックスバリア面との交点からなる該矩形領域の相似形をなす領域の上下および左右の辺に内接する形状とし、
該ベストビューポイントにおける前記画像提示対象者の左右いずれかの眼を基点として、該穴部を通して画像提示対象者に視認される画素配列面上の領域が、該穴部の相似形をなす有効可視領域である
ことを特徴とする裸眼立体映像表示装置。
【請求項８】
前記パララックスバリアは、パララックスバリア機能のＯＮまたはＯＦＦを電気的に制御可能な電気制御パララックスバリアであって、
３Ｄ映像表示時においてはパララックスバリア機能をＯＮにし、
２Ｄ映像表示時においてはパララックスバリア機能をＯＦＦにする
ことを特徴とする請求項６または７記載の裸眼立体映像表示装置。
【請求項９】
前記電気制御パララックスバリアは、液晶分子の配向を電気的に制御することにより、パララックスバリア機能のＯＮまたはＯＦＦを制御可能とした液晶パララックスバリアである
ことを特徴とする請求項８記載の裸眼立体映像表示装置。
【請求項１０】
前記電気制御パララックスバリアのＯＮまたはＯＦＦは、前記映像表示手段が取得する２Ｄ／３Ｄ切り替え指示に基づき、電気的に制御して切り替える
ことを特徴とする請求項８記載の裸眼立体映像表示装置。
【請求項１１】
前記電気制御パララックスバリアのＯＮまたはＯＦＦは、前記タッチパネル操作による２Ｄ／３Ｄ切り替え指示に基づき、電気的に制御して切り替えることを特徴とする請求項８に記載の裸眼立体映像表示装置。
【請求項１２】
前記パララックスバリアは、
電磁波シールドを兼用する
ことを特徴とする請求項６または７のいずれかに記載の裸眼立体映像表示装置。
【請求項１３】
前記パララックスバリアは、
導電性の部材により形成されることにより、
前記電磁波シールドを兼用する
ことを特徴とする請求項６または７のいずれかに記載の裸眼立体映像表示装置。
【請求項１４】
前記パララックスバリアは、
電磁波シールドが重畳して形成されることにより、
前記電磁波シールドを兼用する
ことを特徴とした請求項６または７のいずれかに記載の裸眼立体映像表示装置。
【請求項１５】
前記パララックスバリアは、
前記スリットまたは前記可視光透過領域の長軸方向の長さが、電磁波を遮断するために必要な所定の幅を超える場合には、
該スリットまたは該可視光透過領域を電磁波シールドにより二以上の領域に分割する
ことを特徴とした請求項６または７のいずれかに記載の裸眼立体映像表示装置。
【請求項１６】
請求項１０または１１記載の前記パララックスバリアは、
ディスプレイを裸眼立体ディスプレイとして機能させるために、該ディスプレイと共に用いられ、該ディスプレイに対し脱着可能なパララックスバリアシートであって、
透明媒体と、
該透明媒体に形成されたパララックスバリア部と
からなることを特徴とするパララックスバリアシート。
【請求項１７】
前記透明媒体は、
ガラス製、または、使用時に平面性を保持できる硬度の樹脂製である
ことを特徴とする請求項１６記載のパララックスバリアシート。
【請求項１８】
前記パララックスバリア部の形成は、
前記透明媒体へ、直接、グラビア印刷することにより行われる
ことを特徴とする請求項１６記載のパララックスバリアシート。
【請求項１９】
前記パララックスバリア部の形成は、
該パララックスバリア部を薄膜透明シートに形成した後、
該薄膜透明シートを前記透明媒体に貼付することにより行われる
ことを特徴とする請求項１６記載のパララックスバリアシート。
【請求項２０】
前記パララックスバリア部のうち、
少なくとも画像提示対象者側には、
広告等のグラフィックが付加されている
ことを特徴とする請求項１６記載のパララックスバリアシート。
【請求項２１】
前記パララックスバリア部は、
可視光を遮断する黒色である
ことを特徴とする請求項１６記載のパララックスバリアシート。
【請求項２２】
前記裸眼立体ディスプレイに対する、立体視適性範囲および／またはベストビューポイントを設定する為に計算された、
前記ディスプレイの画像表示面からパララックスバリアのマスク面までの空隙距離（Ｚ値）を、
該画像表示面との間に保持するためのスペーサを
さらに備えた請求項１６記載のパララックスバリアシート。
【請求項２３】
前記スペーサは、透明であることを特徴とする請求項２２記載のパララックスバリアシート。
【請求項２４】
前記スペーサは、前記透明媒体と同じ材質により、該透明媒体と一体成形されることを特徴とする請求項２２記載のパララックスバリアシート。
【請求項２５】
前記スペーサは、
前記空隙距離を簡易に変更可能な構造である
ことを特徴とする請求項２２記載のパララックスバリアシート。
【請求項２６】
前記ディスプレイを通常の２Ｄ表示ディスプレイとして使用する場合は、
前記スペーサの厚みを第１の厚みに調整し、
該ディスプレイを裸眼立体ディスプレイとして使用する場合は、
該スペーサの厚みを第１の厚みより薄い第２の厚みに調整する
ことを特徴とする請求項２２記載のパララックスバリアシート。
【請求項２７】
前記スペーサの少なくとも一部は、
前記透明媒体の厚みにより代用される
ことを特徴とする請求項２２記載のパララックスバリアシート。
【請求項２８】
前記スペーサは、
前記ディスプレイ面の枠により代用される
ことを特徴とする、請求項２２記載のパララックスバリアシート。
【請求項２９】
前記パララックスバリア部は、
前記立体視適性範囲および／または前記ベストビューポイントを設定する際に、
前記枠の厚みを調整する代わりに、
前記パララックスバリア部のスリットの幅を調整して形成される
ことを特徴とする請求項２８記載のパララックスバリアシート。
【請求項３０】
前記パララックスバリア部のスリットが水平線に対し斜めに形成される場合、
該スリットの水平線に対する角度は、
該パララックスバリア部を前記ディスプレイに取り付ける際に、
必ず所定の角度θになるように保持される
ことを特徴とする請求項２８記載のパララックスバリアシート。
【請求項３１】
前記パララックスバリア部の傷、はがれ、付着物を防止するための保護手段を備えた
ことを特徴とする請求項２８記載のパララックスバリアシート。
【請求項３２】
前記ディスプレイの画像表示面に、
所定の１個または２個の視点用の画像を白色とし、それ以外の視点用の画像を黒色とすることにより、キャリブレーション用の指標を形成し、
該指標が前記パララックスバリア部のスリットを通して連続した線として視認できるように調整してキャリブレーションを行う
ことを特徴とする請求項２８記載のパララックスバリアシート。
【請求項３３】
前記透明媒体には、キャリブレーション用の第１の指標が形成され、
前記ディスプレイの枠または該ディスプレイの画像表示面には、キャリブレーション用の第２の指標が形成され、
前記パララックスバリアシートを該ディスプレイに設置する際には、
第１の指標と第２の指標とを合わせることにより、キャリブレーションを行う
ことを特徴とする請求項２８記載のパララックスバリアシート。
【請求項３４】
前記第１の指標は、
前記透明媒体の所定の位置に、水平および／または垂直に所定の幅のキャリブレーション用ライン状スリットを設けたものであり、
前記キャリブレーションは、
前記画像表示面上の、対応する位置に表示されたラインである第２の指標を欠落無く視認できるように、該透明媒体の位置を調整するキャリブレーションである
ことを特徴とする請求項３３記載のパララックスバリアシート。
【請求項３５】
表示手段と、請求項６または７記載のパララックスバリアとからなるパララックスバリア方式の裸眼立体映像表示手段と、
ゲーム内容を制御するゲーム制御手段と、
プレイヤーによる操作を受け付ける入力手段と、
経過時間および／または連続プレイ時間を計測する計時手段と、
該経過時間および／または該連続プレイ時間に基づき、
該裸眼立体映像表示手段により表示される３Ｄ映像の出現回数、表示時間、および／または、立体飛び出し度を制御する映像制御手段と
を備えたことを特徴とする遊技ゲーム機。
【請求項３６】
前記映像制御手段は、
前記３Ｄ映像の出現回数、表示時間、および／または、立体飛び出し度の制御を、
所定の複数の視点用映像を所定のアルゴリズムにより予めブレンドして作成された、裸眼立体表示用映像を所定数用意することにより行う
ことを特徴とする請求項３５に記載の遊技ゲーム機。
【請求項３７】
前記映像制御手段は、
前記３Ｄ映像の出現回数、表示時間、および／または、立体飛び出し度の制御を、
予め用意された複数の各視点用映像から、前記パララックスバリアに対応した視点数分の該各視点用映像を、隣り合う各視点同士の視差が同一となるように複数選択し、リアルタイムにブレンドすることにより行う
ことを特徴とする請求項３５に記載の遊技ゲーム機。
【請求項３８】
前記映像制御手段は、
前記３Ｄ映像の出現回数、表示時間、および／または、立体飛び出し度の制御を、
３ＤＣＧを描画するための視点となるマルチカメラを描画対象物に対して接近・離隔させることにより、および／または、描画対象物を該マルチカメラに対して接近・離隔させることにより、
または
前記パララックスバリアに対応する複数の該マルチカメラの向きを変えて、該マルチカメラの注視点の位置を前後させることにより
行うことを特徴とする請求項３５に記載の遊技ゲーム機。
【請求項３９】
前記映像制御手段は、
前記入力手段から送られた入力信号に基づいて、
前記飛び出し度を制御する
ことを特徴とする請求項３５から３８のいずれか一項に記載の遊技ゲーム機。
【請求項４０】
前記パララックスバリアを動かす駆動手段をさらに備え、
該パララックスバリアは
前記表示手段のモニタ面の少なくとも一部を覆う、
可動式パララックスバリアである
ことを特徴とする請求項３５から３９のいずれか一項に記載の遊技ゲーム機。
【請求項４１】
表示手段と、請求項６または７記載のパララックスバリアを用いた可動式パララックスバリアとからなるパララックスバリア方式の裸眼立体映像表示手段と、
ゲーム内容を制御するゲーム制御手段と、
プレイヤーによる操作を受け付ける入力手段と、
該可動式パララックスバリアを動かす駆動手段と、
該表示手段のモニタ面の少なくとも一部を覆う、可動式パララックスバリアと
を備えたことを特徴とする遊技ゲーム機。
【請求項４２】
前記駆動手段は、
前記可動式パララックスバリアを上下または／および左右に移動可能とする、前記モニタ面の周辺に配置された適正距離維持手段により、
該可動式パララックスバリアから該モニタ面までの所定の距離を維持する
ことを特徴とする請求項４０または４１に記載の遊技ゲーム機。
【請求項４３】
前記可動式パララックスバリアから前記モニタ面までの所定の距離を維持するための適正距離維持手段をさらに備え、
前記可動式パララックスバリアは、
前記表示手段が２Ｄ映像を表示する際に該モニタ面に重ねられる透明部分を含んだロール可能シートの一部であり、
前記駆動手段は、
該ロール可能シートを上下方向または左右方向に巻き取る
ことを特徴とする請求項４０または４１に記載の遊技ゲーム機。
【請求項４４】
前記適正距離維持手段は、
前記ロール可能シートと前記モニタ面との間に配置された透明な平面板と、
該モニタ面の周辺に配置され、該透明な平面板に該ロール可能シートを密着させて固定する固定手段と
からなることを特徴とする請求項４３に記載の遊技ゲーム機。
【請求項４５】
前記透明な平面板は、
複数の微細孔が設けられ、
前記固定手段は、
該微細孔から前記ロール可能シートを吸引して、
該該ロール可能シートを該透明な平面版に密着させて固定する吸引手段である
ことを特徴とする請求項４４に記載の遊技ゲーム機。
【請求項４６】
前記適正距離維持手段は、
前記モニタ面の周辺に配置されたスペーサおよび／またはレールである
ことを特徴とする請求項４３に記載の遊技ゲーム機。
【請求項４７】
前記駆動手段は、
前記モニタ面の周辺に配置され、
前記裸眼立体映像表示手段が表示する映像が３Ｄ映像であるか、または、２Ｄ映像であるかに基づき、前記可動式パララックスバリアを前後に移動することにより、
該可動式パララックスバリアを該モニタ面に接近させて３Ｄ映像を適正に表示し、
該可動式パララックスバリアを該モニタ面から離して２Ｄ映像を欠落なく表示する
ことを特徴とする請求項４０または４１に記載の遊技ゲーム機。
【請求項４８】
３Ｄ映像を表示する際に輝度を制御する輝度制御手段をさらに備えた
ことを特徴とする請求項３５から３９のいずれか一項に記載の遊技ゲーム機。
【請求項４９】
３Ｄ映像を表示する際に輝度を制御する輝度制御手段をさらに備えた
ことを特徴とする請求項４０から４７のいずれか一項に記載の遊技ゲーム機。
【請求項５０】
前記輝度制御手段は、
前記裸眼立体映像表示手段が表示する映像が３Ｄ映像である場合は輝度を上げ、
前記裸眼立体映像表示手段が表示する映像が２Ｄ映像である場合は輝度を下げる輝度制御を行う
ことを特徴とする請求項４９に記載の遊技ゲーム機。
【請求項５１】
前記輝度制御は、
前記表示手段の光源へ供給する電流および／または電圧を制御することにより行う
ことを特徴とする請求項４９または５０に記載の遊技ゲーム機。
【請求項５２】
前記輝度制御は、
前記モニタ面に表示される映像のうち、
前記パララックスバリアにより覆われている、３Ｄ映像領域において、映像の明度を上げ、
該パララックスバリアにより覆われていない、２Ｄ映像領域において、映像の明度を下げることにより、
該パララックスバリアの有無による、該３Ｄ映像領域と該２Ｄ映像領域との輝度差を補正する映像明度補正である
ことを特徴とする請求項５０に記載の遊技ゲーム機。
【請求項５３】
前記映像明度補正は、
映像を再生するためのフレームバッファに一時的に蓄えられる映像データに対して、リアルタイムに画像処理を行う補正である
ことを特徴とする請求項５２に記載の遊技ゲーム機。
【請求項５４】
２Ｄ映像を表示するための２Ｄ映像表示装置をさらに備え、
前記裸眼立体映像表示手段は、３Ｄ映像のみを表示する
ことを特徴とする請求項３５から５３のいずれか一項に記載の遊技ゲーム機。
【請求項５５】
前記裸眼立体映像表示手段は、
操作をうながす画像または映像を表示し、
前記ゲーム制御手段は、
該操作時間および／または該操作方法に対応させて定義されたアルゴリズムと、
前記入力手段から送られた入力信号と
に基づいてゲームを制御し、
前記映像制御手段は、
該ゲーム制御手段によるゲームの制御に対応して、３Ｄ映像の出現回数、表示時間および／または立体飛び出し度を制御する
ことを特徴とする請求項３５から４０のいずれか一項に記載の遊技ゲーム機。
【請求項５６】
前記入力手段は、
ボタン、レバー、スライダー、ジョイスティック、マウス、キーボード、ジョグダイヤル、タッチパネルのいずれか１つ、または、複数の組み合わせである
ことを特徴とする請求項５５に記載の遊技ゲーム機。
【請求項５７】
遊技球の位置および／または遊技球の軌道を検知する検知手段をさらに備え、
前記ゲーム制御手段は、
該検知手段から取得した検知信号に基づいてゲームを制御し、
前記映像制御手段は、
該ゲーム制御手段によるゲームの制御に対応して、３Ｄ映像の出現回数、表示時間および／または立体飛び出し度を制御する
ことを特徴とする請求項３５から４０のいずれか一項に記載の遊技ゲーム機。
【請求項５８】
前記裸眼立体映像表示手段は、
役物および／または飾物の画像または映像を表示し、
前記ゲーム制御手段は、
前記映像制御手段から取得した該役物および／または該飾物の画像または映像を形成する前記表示手段の画素の位置情報と、
前記検知手段から取得した検知信号と、
に基づいてゲームを制御する
ことを特徴とする請求項５７に記載の遊技ゲーム機。
【請求項５９】
前記裸眼立体映像表示手段は、
通常はプレイヤーに対して隠されており、
所定の出現条件が満たされた場合のみ出現する
ことを特徴とする請求項３５から５８のいずれか一項に記載の遊技ゲーム機。
【請求項６０】
前記パララックスバリアは、
前記モニタ面の形状に限定されることなく、任意の形状である
ことを特徴とする請求項３５から５９のいずれか一項に記載の遊技ゲーム機。
【請求項６１】
前記パララックスバリアの、プレイヤー側の面の少なくとも一部には、
２Ｄ画像が形成されている
ことを特徴とする請求項３５から６０のいずれか一項に記載の遊技ゲーム機。
【請求項６２】
前記パララックスバリアは、パララックスバリア機能のＯＮまたはＯＦＦを電気的に制御可能な電気制御パララックスバリアであって、
３Ｄ映像表示時においてはパララックスバリア機能をＯＮにし、
２Ｄ映像表示時においてはパララックスバリア機能をＯＦＦにする
ことを特徴とする請求項１記載の裸眼立体映像表示システム。
【請求項６３】
前記電気制御パララックスバリアは、液晶分子の配向を電気的に制御することにより、パララックスバリア機能のＯＮまたはＯＦＦを制御可能とした液晶パララックスバリアである
ことを特徴とする請求項６２記載の裸眼立体映像表示システム。
【請求項６４】
前記電気制御パララックスバリアのＯＮまたはＯＦＦは、前記映像表示手段が取得する２Ｄ／３Ｄ切り替え指示に基づき、電気的に制御して切り替える
ことを特徴とする請求項６２記載の裸眼立体映像表示システム。
【請求項６５】
前記電気制御パララックスバリアのＯＮまたはＯＦＦは、前記タッチパネル操作による２Ｄ／３Ｄ切り替え指示に基づき、電気的に制御して切り替えることを特徴とする請求項６２に記載の裸眼立体映像表示システム。
【発明の詳細な説明】
【技術分野】
【０００１】
本発明は、パララックスバリア方式の裸眼立体表示技術に関するものである。
【背景技術】
【０００２】
（Ａ）
従来の典型的な立体映像表示装置の一種として、図４６に示すように左右２眼分の画像（ｈ）（ｍ）を、透明性フィルム（５２ａ）に描画ないし撮像した立体用原画（ｆ）を設けた原画像表示板（５２）を、その手前側に一定の間隔（ｄ）を置いて配置した透明板（５３）に、透明部（ｔ）と不透明部（ｓ）が交互に整列配置された視差バリア（５３ａ）を通して視ることにより、前記立体用原画（ｆ）を３次元映像として、視点（ｐ）において視覚することができるようにした、視差バリア方式の立体映像表示装置（５１）が古くから知られている。【０００３】
（Ｂ）
従来の技術では、タッチパネル部分も３Ｄ表示を行うものであった。【０００４】
（Ｃ）、（Ｅ）
また、従来の技術では、裸眼立体映像表示装置の１視点分の画素を、Ｒ、Ｇ、Ｂのサブピクセルを水平方向に３個並べて配置し、対応するパララックスバリアのスリットのエッジが階段状のものがあった。【０００５】
また、水平方向に３個並べる代わりに、Ｒ、Ｇ、Ｂのサブピクセルを斜め方向に３個または４個並べて配置する技術もある。（例えば、特許文献３参照）
また、パララックスバリアの斜めスリットのエッジを直線状にしたものもあった。【０００６】
（Ｆ）
パチンコ・パチスロといった遊技機や、アーケードゲーム機、コンシューマゲーム機、あるいはＰＣゲームにおいて、モニタ面上に通常表示される２Ｄ映像の他にプレイ内容に応じて迫力ある３Ｄ映像が表示されると、プレイヤーのプレイ意欲の喚起に大きく寄与する。【０００７】
特に、遊技機においては射幸心をそそり、プレイの継続を促すことに寄与する。【０００８】
該３Ｄ映像は、パララックスバリア方式の裸眼立体映像表示手段を遊技ゲーム機に備えることにより、これを表示する技術が一般的である。【０００９】
（ＲＴＰ−１）従来、裸眼立体ディスプレイは、通常の高解像度ディスプレイとパララックスバリアとが一体に形成されていた。そして、裸眼立体ディスプレイ用のハードウェアおよびソフトウェアを内製し、一体のシステムとして販売するビジネスモデルが主流であった。【００１０】
＜裸眼立体ディスプレイの製造方法について＞
図９５において、パララックスバリア方式の裸眼立体ディスプレイの製造に関わる構造を示す。図に示すように、裸眼立体ディスプレイは、画像を表示する通常のディスプレイの前面に、スペーサを設け、そのさらに前面に、背後にパララックスバリアが形成された強化ガラスを設けて製造される。【００１１】
スペーサを用いてディスプレイの画像表示面とパララックスバリアとの間に適切な間隔を設定することにより、予め設定された立体視可能エリアにおいて、適切な立体効果を得ることが出来る。【００１２】
パララックスバリアのスリット配置とディスプレイ上の一視点用の画素の配置とを適切に調整した後、ディスプレイとスペーサと強化ガラスとを固定することにより、裸眼立体ディスプレイを製造することが出来る。
【００１３】
（ＲＴＰ−２）従来、パララックスバリアを作成する際、まず透明な薄膜シートにパララックスバリアを印刷し、そのシートをガラス板の上に、位置を調整しながら、貼り付けるという２工程を用いていた。【００１４】
（ＲＴＰ−３）また、裸眼立体ディスプレイ自体もフルハイビジョン等の高解像度大型ディスプレイを用いたものが多く、コンテンツ作成者が作成途中でコンテンツの立体効果を確認するためには、複数のコンテンツ作成者が一台の裸眼立体ディスプレイを共用していた。【００１５】
（ＲＴＰ−４）また、裸眼立体ディスプレイを客先にプレゼンテーションしに行く際も、必ず大型の裸眼立体ディスプレイを運ぶ必要があった。
【先行技術文献】
【特許文献】
【００１６】
【特許文献１】特開平１１−２９６１２４（１９９９年１０月２９日公開）
【特許文献２】特開２００４−２９４８６１（２００４年１０月２１日公開）
【特許文献３】特許第４０２３６２６号（２００６年６月８日公表）
【特許文献４】特開平１１−２９０５２０号（１９９９年１０月２６日公開）
【特許文献５】特開２００４−３１３５６２号（２００４年１１月１１日公開）
【特許文献６】特開２００７−２４０５５９号（２００７年９月２０日公開）
【発明の概要】
【発明が解決しようとする課題】
【００１７】
（Ｂ）しかしながら、タッチパネル部分も３Ｄ表示とする場合、多視点分の映像を表示するため、解像度が落ち、タッチパネル用のメニューなどを表示する場合、綺麗に表示できないという問題点があった。【００１８】
（Ｃ）、（Ｅ）しかしながら、前記従来技術では、階段状のエッジは、縦長の長方形である各サブピクセル、すなわち長辺が垂直である事に対し、エッジも垂直になるので、パララックスバリアによりサブピクセルが一度に隠蔽され、視点の移動およびジャンプポイントが顕著に知覚されてしまうという欠点があった。【００１９】
また、パララックスバリアの斜めスリットを用いた場合でも、縦長の長方形である各サブピクセルに対し、傾斜角が一定の斜めのラインを用いて、サブピクセルを隠蔽していくので、視点の移動およびジャンプポイントの緩和の細かい制御が出来なかった。【００２０】
なお、視点の移動とは、例えば、右目が第１の視点用の画素を視認している状態から、第２の視点用の画素を視認する状態に移行することである。【００２１】
なお、ジャンプポイントとは、映像提示対象者が、例えば、第６の視点用の右目用映像を右目により、また左目用映像を左目により、視認し、適切な立体効果が得られている場所から、さらに例えば右方向に移動し、第６の視点用の右目用映像を左目により、また第１の視点用の左目用映像を右目により、視認し、不適切な立体効果が得られてしまう場所のことである。すなわち、視点の逆転現象である。【００２２】
（Ｆ）しかしながら、パララックスバリア方式の立体映像表示装置を備えた遊技ゲーム機には以下の複数の問題点がある。【００２３】
第一に、３Ｄ映像はプレイヤーの眼に負担がかかるため、裸眼立体映像表示手段を備えた遊技ゲーム機は長時間のプレイに適さない。【００２４】
第二に、パララックスバリアにより光の透過率が下がるため、裸眼立体映像表示手段において２Ｄの映像を表示しようとすると、輝度が低下する。【００２５】
上記第一の問題点を解決するために、特許文献４には３Ｄ映像を２Ｄ映像よりもプレイヤーの眼に対する視覚的な刺激の少ない、（１）画像の動作が少ない、（２）彩度が低い、（３）明度が低い、（４）先鋭度が低い、もののいずれかにすることでプレイヤーの眼にかかる負担を軽減しようとする構成が開示されている。【００２６】
かかる構成によれば、プレイヤーの眼にかかる負担は解消できても、３Ｄ映像の画質・迫力が犠牲となる、という問題点が新たに生じる。【００２７】
上記第二の問題点を解決するために、特許文献５および特許文献６にはパララックスバリアに液晶素子を用いることで、該液晶素子を制御することで、２Ｄ映像表示時においてはパララックスバリアの全面を光が透過する状態にする構成が開示されている。【００２８】
かかる構成によれば、２Ｄ映像表示時の輝度の低下は防げるが、製造に必要な工程数が増え、歩留まりが悪くなり、総じて、製造コストが増大するという問題点が新たに生じる。【００２９】
上記の種々の問題点は、裸眼立体映像表示手段を用いた遊技ゲーム機の普及の障害となっている。【００３０】
本発明は上記の問題を一挙に解決する。すなわち、第一に、３Ｄ映像の画質・迫力を犠牲とすることなく、それでいてプレイヤーの眼に負担をかけることのない裸眼立体映像表示手段を備えた遊技ゲーム機を提供する。【００３１】
第二に、２Ｄ映像表示時の輝度の低下を防いだ上で、かつ工程数を抑えて簡易に製造することができる裸眼立体映像表示手段を備えた遊技ゲーム機を提供する。【００３２】
第三に、裸眼立体映像表示手段を遊技ゲーム機に用いることで、プレイヤーの射幸心をあおり、プレイ意欲を喚起する新たな付加価値をもった遊技ゲーム機を提供する。【００３３】
本発明は上記の課題を解決することを目的とする。また、上記課題の解決をもって、裸眼立体映像表示手段を用いた遊技ゲーム機の普及に寄与することを目的とする。【００３４】
プラズマディスプレイは電磁波による人体への健康被害を防止するために、導電性の部材による電磁波シールドを、プラズマパネルの前面に設けることが必要とされる。【００３５】
ここで、プラズマディスプレイを用いてパララックスバリア方式の裸眼立体映像表示装置を製造しようとすると、パララックスバリアをさらにプラズマパネルの前面に設ける必要があるため、装置全体が大型化する。【００３６】
また、パララックスバリアを製造して組み込む工程が新たに必要となるため、高価な部材を多数使用しなければならないプラズマディスプレイの歩留まりが極めて悪くなる。【００３７】
そこで、電磁波シールドとパララックスバリアを一つの部材が兼用することができるようにすれば工程数が減り、歩留まりもよくなって便利である。【００３８】
（ＲＴＰ−１）しかしながら、裸眼立体ディスプレイのシステム全てを内製することは、例えば、コンピュータシステムが、大手のコンピュータベンダによって全てが提供されるビジネスモデルにより市場が独占されていた状態と同様である。【００３９】
コンピュータシステムでは、その後、ハードウェアとソフトウェアの制作が分離され、市場が解放された事により、多数の市場参加者を得て一大産業に発展した。【００４０】
同様に、裸眼立体コンテンツ関連の市場も、ハードウェア製造、ソフトウェア製造、コンテンツ制作などに特化した参加者を得ることにより、市場が拡大し発展することが望ましい。【００４１】
また、パララックスバリアが一体として形成された裸眼立体ディスプレイに対し、ユーザが、異なった裸眼立体効果を求めて、改造を行うことは困難であった。【００４２】
本発明は、上記の問題点に鑑みてなされたものであり、その目的は、既存のノートＰＣやＴＶモニタなどにハードウェアとしてはパララックスバリアシートを追加するのみで安価に裸眼立体ディスプレイを実現することにより、ハードウェア製造、ソフトウェア製造、コンテンツ制作などを行う市場参加者の増加を計り、裸眼立体ディスプレイ市場の拡大および発展を図ることの出来るパララックスバリアシートを実現することにある。【００４３】
また、本発明は、上記の問題点に鑑みてなされたものであり、その目的は、ユーザが市場で販売されている各種のパララックスバリアシートを選択することにより、裸眼立体効果をカスタマイズ出来るパララックスバリアシートを実現することにある
（ＲＴＰ−２）しかしながら、パララックスバリアを印刷した薄膜シートをガラス板に貼付する工程では、位置の調整が困難であったり、シートとガラス板との間に気泡が出来てしまったりという問題点があった。【００４４】
本発明は、上記の問題点に鑑みてなされたものであり、その目的は、パララックスバリアを直接、透明板に印刷することにより、気泡が形成されず、１工程のみで製造可能なパララックスバリアシートを実現することにある。【００４５】
（ＲＴＰ−３）しかしながら、コンテンツの制作時に、立体効果を確かめるために、高価格の裸眼立体ディスプレイを用いる必要があったので、制作者が在宅勤務を行う場合、裸眼立体ディスプレイを自宅に設置することは、金銭的および空間的な制限があった。【００４６】
本発明は、上記の問題点に鑑みてなされたものであり、その目的は、既存のＰＣを用いながら、安価に在宅勤務のコンテンツ制作者が、自宅の低解像度・低処理能力の作業用ＰＣにおいて、容易に裸眼立体コンテンツの立体効果を確認できるようになれば、裸眼立体コンテンツの制作に携わる就業者の数を増やすことが出来る。【００４７】
（ＲＴＰ−４）しかしながら、高価格の裸眼立体ディスプレイを持ち運び、誰でもが自由に利用するのは容易ではなかった。【００４８】
本発明は、上記の問題点に鑑みてなされたものであり、その目的は、通常のモバイルＰＣに加えて、そのモバイルＰＣの画面サイズ、解像度、処理能力に適合したパララックスバリア１枚を持ち運ぶだけで、客先等で容易に裸眼立体コンテンツの裸眼立体効果をプレゼンテーション出来る、パララックスバリアシートを実現することにある。【００４９】
これにより、ディスプレイの解像度が向上した携帯電話機においても裸眼立体表示が可能となり、何時でも何処でも裸眼立体コンテンツを表示することが可能となる。
【課題を解決するための手段】
【００５０】
本発明の裸眼立体映像表示システムは２Ｄ映像および／または３Ｄ映像の表示を行う映像表示手段、および、パララックスバリアからなる裸眼立体映像表示装置と、該裸眼立体映像表示装置に対してタッチパネル操作を受け付けるタッチパネルとを備えた裸眼立体映像表示システムであって、該タッチパネルは、メニュー映像を表示、および／またはメニュー画像を形成したタッチ面をガラス面に備え、該裸眼立体映像表示装置は、該ガラス面の外側からタッチパネル操作に必要な所定距離だけ離れた位置が立体視適正領域に入るように、該ガラス面の内側から所定の距離（前記立体視適正領域までの距離−前記タッチパネル操作に必要な所定距離）をあけてガラス面の内側に設置されることを特徴とする。【００５１】
前記タッチパネルは、メニュー映像を表示するために着脱可能な、タッチ面を形成した薄型ディスプレイをガラス面に備えることが好ましい。【００５２】
前記タッチパネルは、メニュー画像として着脱可能な、写真またはグラフィック等により形成されたアイコンや文字等が印刷されたタッチシートをガラス面に備えることが好ましい。【００５３】
前記タッチパネルは、メニュー画像として着脱可能な、写真またはグラフィック等により形成されたアイコンや文字等が印刷された媒体、ペーパーコントローラ、または、ペーパーキーボードをガラス面に備え、該媒体、該ペーパーコントローラ、または、該ペーパーキーボードに重畳して形成されたドットパターンを操作者が光学読み取り手段（スキャナ）でタッチして読み取ることによって、前記裸眼立体映像表示装置に対するタッチパネル操作を受け付けることが好ましい。【００５４】
前記パララックスバリアは、パララックスバリア機能のＯＮまたはＯＦＦを電気的に制御可能な電気制御パララックスバリアであって、３Ｄ映像表示時においてはパララックスバリア機能をＯＮにし、２Ｄ映像表示時においてはパララックスバリア機能をＯＦＦにすることが好ましい。【００５５】
前記電気制御パララックスバリアは、液晶分子の配向を電気的に制御することにより、パララックスバリア機能のＯＮまたはＯＦＦを制御可能とした液晶パララックスバリアであることが好ましい。【００５６】
前記電気制御パララックスバリアのＯＮまたはＯＦＦは、前記映像表示手段が取得する２Ｄ／３Ｄ切り替え指示に基づき、電気的に制御して切り替えることが好ましい。【００５７】
前記電気制御パララックスバリアのＯＮまたはＯＦＦは、前記タッチパネル操作による２Ｄ／３Ｄ切り替え指示に基づき、電気的に制御して切り替えることが好ましい。【００５８】
本発明の裸眼立体映像表示装置は、近傍の物体を撮像する撮像手段をさらに備え、前記映像表示手段による前記２Ｄ得初像／または３Ｄ映像の表示状態の制御に際し、前記制御部は、該撮像手段により撮影した映像と共に、該画像を解析し、解析結果に応じた立体映像を表示する制御を行うことを特徴とする。【００５９】
本発明の裸眼立体映像表示装置は、パララックスバリアを用いた裸眼立体映像表示装置であって、前記パララックスバリアのスリットのエッジ形状は、ディスプレイ上に配置された、該スリットを通して画像提示対象者により視認される可視領域を形成する、１つまたは複数の視点用の画素に対応した一定形状の楕円弧を、連続して接続した形状であり、前記楕円弧は、各画素を水平方向に分割する各水平線上において接続されることを特徴とする。【００６０】
本発明の裸眼立体映像表示装置は、パララックスバリアを用いた裸眼立体映像表示装置であって、該パララックスバリアを構成する複数のスリット部および複数のバリア部のうち、該スリット部のそれぞれは、１個のスリット部に代わり、裸眼立体表示用の各画素に対応した、複数個の可視光透過領域である穴部により構成され、画像提示対象者が裸眼立体効果を最も得られる位置であるベストビューポイントにおいて該穴部を通して画像提示対象者に視認させようとする画素配列面上の最大領域を、所定の幅と所定の高さとを有する該画素配列面上の矩形領域とし、該穴部は、該パララックスバリア面上にそれぞれ独立して配置され、該穴部の形状は、楕円弧形の形状、または六角形以上の凸偶数多角形の形状であって、かつ、該穴部の形状は、該ベストビューポイントにおける前記画像提示対象者の左右いずれかの眼を基点として、該矩形領域と結ぶ線分と、該パララックスバリア面との交点からなる該矩形領域の相似形をなす領域の上下および左右の辺に内接する形状とし、該ベストビューポイントにおける前記画像提示対象者の左右いずれかの眼を基点として、該穴部を通して画像提示対象者に視認される画素配列面上の領域が、該穴部の相似形をなす有効可視領域であることを特徴とする。【００６１】
前記パララックスバリアは、パララックスバリア機能のＯＮまたはＯＦＦを電気的に制御可能な電気制御パララックスバリアであって、３Ｄ映像表示時においてはパララックスバリア機能をＯＮにし、２Ｄ映像表示時においてはパララックスバリア機能をＯＦＦにすることが好ましい。【００６２】
前記電気制御パララックスバリアは、液晶分子の配向を電気的に制御することにより、パララックスバリア機能のＯＮまたはＯＦＦを制御可能とした液晶パララックスバリアであることが好ましい。【００６３】
前記電気制御パララックスバリアのＯＮまたはＯＦＦは、前記映像表示手段が取得する２Ｄ／３Ｄ切り替え指示に基づき、電気的に制御して切り替える
ことが好ましい。【００６４】
前記電気制御パララックスバリアのＯＮまたはＯＦＦは、前記タッチパネル操作による２Ｄ／３Ｄ切り替え指示に基づき、電気的に制御して切り替えることが好ましい。【００６５】
前記パララックスバリアは、電磁波シールドを兼用することが好ましい。【００６６】
前記パララックスバリアは、導電性の部材により形成されることにより、前記電磁波シールドを兼用することが好ましい。【００６７】
前記パララックスバリアは、電磁波シールドが重畳して形成されることにより、前記電磁波シールドを兼用することが好ましい。【００６８】
前記パララックスバリアは、前記スリットまたは前記可視光透過領域の長軸方向の長さが、電磁波を遮断するために必要な所定の幅を超える場合には、該スリットまたは該可視光透過領域を電磁波シールドにより二以上の領域に分割することが好ましい。【００６９】
本発明のパララックスバリアシートは、前記パララックスバリアが、ディスプレイを裸眼立体ディスプレイとして機能させるために、該ディスプレイと共に用いられ、該ディスプレイに対し脱着可能なパララックスバリアシートであって、透明媒体と、該透明媒体に形成されたパララックスバリア部とからなることを特徴とする。【００７０】
前記透明媒体は、ガラス製、または、使用時に平面性を保持できる硬度の樹脂製である
ことが好ましい。【００７１】
前記パララックスバリア部の形成は、前記透明媒体へ、直接、グラビア印刷することにより行われることが好ましい。【００７２】
前記パララックスバリア部の形成は、該パララックスバリア部を薄膜透明シートに形成した後、該薄膜透明シートを前記透明媒体に貼付することにより行われることが好ましい。【００７３】
前記パララックスバリア部のうち、少なくとも画像提示対象者側には、広告等のグラフィックが付加されていることが好ましい。【００７４】
前記パララックスバリア部は、可視光を遮断する黒色であることが好ましい。【００７５】
前記裸眼立体ディスプレイに対する、立体視適性範囲および／またはベストビューポイントを設定する為に計算された、前記ディスプレイの画像表示面からパララックスバリアのマスク面までの空隙距離（Ｚ値）を、該画像表示面との間に保持するためのスペーサを
さらに備えたことが好ましい。【００７６】
前記スペーサは、透明であることが好ましい。【００７７】
前記スペーサは、前記透明媒体と同じ材質により、該透明媒体と一体成形されることが好ましい。【００７８】
前記スペーサは、前記空隙距離を簡易に変更可能な構造であることが好ましい。【００７９】
前記ディスプレイを通常の２Ｄ表示ディスプレイとして使用する場合は、前記スペーサの厚みを第１の厚みに調整し、該ディスプレイを裸眼立体ディスプレイとして使用する場合は、該スペーサの厚みを第１の厚みより薄い第２の厚みに調整することが好ましい。【００８０】
前記スペーサの少なくとも一部は、前記透明媒体の厚みにより代用されることが好ましい。【００８１】
前記スペーサは、前記ディスプレイ面の枠により代用されることが好ましい。【００８２】
前記パララックスバリア部は、前記立体視適性範囲および／または前記ベストビューポイントを設定する際に、前記枠の厚みを調整する代わりに、前記パララックスバリア部のスリットの幅を調整して形成されることが好ましい。【００８３】
前記パララックスバリア部のスリットが水平線に対し斜めに形成される場合、該スリットの水平線に対する角度は、該パララックスバリア部を前記ディスプレイに取り付ける際に、必ず所定の角度θになるように保持されることが好ましい。【００８４】
前記パララックスバリア部の傷、はがれ、付着物を防止するための保護手段を備えたことが好ましい。【００８５】
前記ディスプレイの画像表示面に、所定の１個または２個の視点用の画像を白色とし、それ以外の視点用の画像を黒色とすることにより、キャリブレーション用の指標を形成し、該指標が前記パララックスバリア部のスリットを通して連続した線として視認できるように調整してキャリブレーションを行うことが好ましい。【００８６】
前記透明媒体には、キャリブレーション用の第１の指標が形成され、前記ディスプレイの枠または該ディスプレイの画像表示面には、キャリブレーション用の第２の指標が形成され、前記パララックスバリアシートを該ディスプレイに設置する際には、第１の指標と第２の指標とを合わせることにより、キャリブレーションを行うことが好ましい。【００８７】
前記第１の指標は、前記透明媒体の所定の位置に、水平および／または垂直に所定の幅のキャリブレーション用ライン状スリットを設けたものであり、前記キャリブレーションは、前記画像表示面上の、対応する位置に表示されたラインである第２の指標を欠落無く視認できるように、該透明媒体の位置を調整するキャリブレーションであることが好ましい。【００８８】
本発明の遊技ゲーム機は、表示手段と、請求項６または７記載のパララックスバリアとからなるパララックスバリア方式の裸眼立体映像表示手段と、ゲーム内容を制御するゲーム制御手段と、プレイヤーによる操作を受け付ける入力手段と、経過時間および／または連続プレイ時間を計測する計時手段と、該経過時間および／または該連続プレイ時間に基づき、該裸眼立体映像表示手段により表示される３Ｄ映像の出現回数、表示時間、および／または、立体飛び出し度を制御する映像制御手段とを備えたことを特徴とする。【００８９】
前記映像制御手段は、前記３Ｄ映像の出現回数、表示時間、および／または、立体飛び出し度の制御を、所定の複数の視点用映像を所定のアルゴリズムにより予めブレンドして作成された、裸眼立体表示用映像を所定数用意することにより行うことが好ましい。【００９０】
前記映像制御手段は、前記３Ｄ映像の出現回、表示時間、および／または、立体飛び出し度の制御を、予め用意された複数の各視点用映像から、前記パララックスバリアに対応した視点数分の該各視点用映像を、隣り合う各視点同士の視差が同一となるように複数選択し、リアルタイムにブレンドすることにより行うことが好ましい。【００９１】
前記映像制御手段は、前記３Ｄ映像の出現回数、表示時間、および／または、立体飛び出し度の制御を、３ＤＣＧを描画するための視点となるマルチカメラを描画対象物に対して接近・離隔させることにより、および／または、描画対象物を該マルチカメラに対して接近・離隔させることにより、または前記パララックスバリアに対応する複数の該マルチカメラの向きを変えて、該マルチカメラの注視点の位置を前後させることにより行うことが好ましい。【００９２】
前記映像制御手段は、前記入力手段から送られた入力信号に基づいて、前記飛び出し度を制御することが好ましい。【００９３】
前記パララックスバリアを動かす駆動手段をさらに備え、該パララックスバリアは前記表示手段のモニタ面の少なくとも一部を覆う、可動式パララックスバリアであることが好ましい。【００９４】
本発明の遊技ゲーム機は、表示手段と、請求項６または７記載のパララックスバリアを用いた可動式パララックスバリアとからなるパララックスバリア方式の裸眼立体映像表示手段と、ゲーム内容を制御するゲーム制御手段と、プレイヤーによる操作を受け付ける入力手段と、該可動式パララックスバリアを動かす駆動手段と、該表示手段のモニタ面の少なくとも一部を覆う、可動式パララックスバリアとを備えたことを特徴とする。【００９５】
前記駆動手段は、前記可動式パララックスバリアを上下または／および左右に移動可能とする、前記モニタ面の周辺に配置された適正距離維持手段により、該可動式パララックスバリアから該モニタ面までの所定の距離を維持することが好ましい。【００９６】
前記可動式パララックスバリアから前記モニタ面までの所定の距離を維持するための適正距離維持手段をさらに備え、前記可動式パララックスバリアは、前記表示手段が２Ｄ映像を表示する際に該モニタ面に重ねられる透明部分を含んだロール可能シートの一部であり、前記駆動手段は、該ロール可能シートを上下方向または左右方向に巻き取ることが好ましい。【００９７】
前記適正距離維持手段は、前記ロール可能シートと前記モニタ面との間に配置された透明な平面板と、該モニタ面の周辺に配置され、該透明な平面板に該ロール可能シートを密着させて固定する固定手段とからなることが好ましい。【００９８】
前記透明な平面板は、複数の微細孔が設けられ、前記固定手段は、該微細孔から前記ロール可能シートを吸引して、該該ロール可能シートを該透明な平面版に密着させて固定する吸引手段であることが好ましい。【００９９】
前記適正距離維持手段は、前記モニタ面の周辺に配置されたスペーサおよび／またはレールであることが好ましい。【０１００】
前記駆動手段は、前記モニタ面の周辺に配置され、前記裸眼立体映像表示手段が表示する映像が３Ｄ映像であるか、または、２Ｄ映像であるかに基づき、前記可動式パララックスバリアを前後に移動することにより、該可動式パララックスバリアを該モニタ面に接近させて３Ｄ映像を適正に表示し、該可動式パララックスバリアを該モニタ面から離して２Ｄ映像を欠落なく表示することが好ましい。【０１０１】
３Ｄ映像を表示する際に輝度を制御する輝度制御手段をさらに備えたことが好ましい。【０１０２】
３Ｄ映像を表示する際に輝度を制御する輝度制御手段をさらに備えたことが好ましい。【０１０３】
前記輝度制御手段は、前記裸眼立体映像表示手段が表示する映像が３Ｄ映像である場合は輝度を上げ、前記裸眼立体映像表示手段が表示する映像が２Ｄ映像である場合は輝度を下げる輝度制御を行うことが好ましい。【０１０４】
前記輝度制御は、前記表示手段の光源へ供給する電流および／または電圧を制御することにより行うことが好ましい。【０１０５】
前記輝度制御は、前記モニタ面に表示される映像のうち、前記パララックスバリアにより覆われている、３Ｄ映像領域において、映像の明度を上げ、該パララックスバリアにより覆われていない、２Ｄ映像領域において、映像の明度を下げることにより、該パララックスバリアの有無による、該３Ｄ映像領域と該２Ｄ映像領域との輝度差を補正する映像明度補正であることが好ましい。【０１０６】
前記映像明度補正は、映像を再生するためのフレームバッファに一時的に蓄えられる映像データに対して、リアルタイムに画像処理を行う補正であることが好ましい。【０１０７】
２Ｄ映像を表示するための２Ｄ映像表示装置をさらに備え、前記裸眼立体映像表示手段は、３Ｄ映像のみを表示することが好ましい。【０１０８】
前記裸眼立体映像表示手段は、操作をうながす画像または映像を表示し、前記ゲーム制御手段は、該操作時間および／または該操作方法に対応させて定義されたアルゴリズムと、前記入力手段から送られた入力信号とに基づいてゲームを制御し、前記映像制御手段は、該ゲーム制御手段によるゲームの制御に対応して、３Ｄ映像の出現回数、表示時間および／または立体飛び出し度を制御することが好ましい。【０１０９】
前記入力手段は、ボタン、レバー、スライダー、ジョイスティック、マウス、キーボード、ジョグダイヤル、タッチパネルのいずれか１つ、または、複数の組み合わせであることが好ましい。【０１１０】
遊技球の位置および／または遊技球の軌道を検知する検知手段をさらに備え、前記ゲーム制御手段は、該検知手段から取得した検知信号に基づいてゲームを制御し、前記映像制御手段は、該ゲーム制御手段によるゲームの制御に対応して、３Ｄ映像の出現回数、表示時間および／または立体飛び出し度を制御することが好ましい。【０１１１】
前記裸眼立体映像表示手段は、役物および／または飾物の画像または映像を表示し、前記ゲーム制御手段は、前記映像制御手段から取得した該役物および／または該飾物の画像または映像を形成する前記表示手段の画素の位置情報と、前記検知手段から取得した検知信号と、に基づいてゲームを制御することが好ましい。【０１１２】
前記裸眼立体映像表示手段は、通常はプレイヤーに対して隠されており、所定の出現条件が満たされた場合のみ出現することが好ましい。【０１１３】
前記パララックスバリアは、前記モニタ面の形状に限定されることなく、任意の形状であることが好ましい。【０１１４】
前記パララックスバリアの、プレイヤー側の面の少なくとも一部には、２Ｄ画像が形成されていることが好ましい。
【発明の効果】
【０１１５】
（Ｂ）本発明に係る裸眼立体映像表示装置は、以上のように、２Ｄ／３Ｄ映像の表示を行う映像表示手段と、ユーザからの入力を受け付けるタッチパネルとを備えているので、タッチパネルから入力されたユーザの指示に応じて、表示する２Ｄ／３Ｄ映像を変化させることが出来るという効果を奏する。【０１１６】
（Ｃ）本発明に係る裸眼立体映像表示装置は、以上のように、スリットの配置形状、すなわち、スリットの中心線の形状が、ジグザグ形状または正弦波状の曲線形状であれば、スリットの形状の配置と画素の配置とのずれが一定となる直線形状のスリットと異なり、ずれが大きくなる部分があっても、他の部分ではずれが小さくなる。すなわち、ジグザグ形状または正弦波曲線形状において、１／４周期点でジグザグ形状の角または正弦波の最大振幅点を通過する半周期分の間に、ずれを制御することが出来るという効果を奏する。【０１１７】
また、スリットのエッジ形状を楕円弧とすることにより、穏やかで適度なビューミックスを発生させ、視点の移動およびジャンプポイントの緩和を行うことが出来るという効果を奏する。【０１１８】
また、前記エッジの形状は、楕円弧と、各行の画素を分割する水平線の一部である線分とで構成されるので、画像提示対象者が該装置の正面において立体映像を見た際に、最もクリアな立体映像を提供できるという効果を奏する。【０１１９】
また、注視点の左右に位置するビューミックスの面積は、階段状のエッジに較べて小さいので、水平方向のビューミックスを抑え、立体効果を高めることが出来るという効果を奏する。【０１２０】
（Ｅ）本発明に係るパララックスバリアは、以上のように、該パララックスバリアを構成する複数のスリット領域および複数のバリア領域のうち、該スリット領域のそれぞれは、１個のスリットに代わり、裸眼立体表示用の各画素に対応した、複数個の可視光透過領域により構成され、該可視光透過領域は、該パララックスバリア上にそれぞれ独立して配置され、ベストビューポイントにおいて、画像提示対象者の左右いずれかの眼により該可視光透過領域を通して視認される有効可視領域は、所定の幅および所定の高さにより定まる矩形領域の中に、該有効可視領域の周囲が該矩形領域の上下および左右の辺に内接する形で収まる形状であることを特徴とする。【０１２１】
それ故、ビューミックスを発生させ、かつジャンプポイントを緩和するために一度に片方の眼で視認すべきサブピクセルの領域を最初に定め、そこから逆算して、パララックスバリア上の可視光透過領域を定めるので、最も適切な可視光透過領域の形状を、容易に設計することが出来るという効果を奏する。【０１２２】
（Ｆ）本発明は以上の通り、第一に、３Ｄ映像の画質・迫力を犠牲とすることなく、それでいてプレイヤーの眼に負担をかけることのない裸眼立体映像表示手段を備えた遊技ゲーム機を提供することができる。【０１２３】
第二に、２Ｄ映像表示時の輝度の低下を防いだ上に、かつ工程数を抑えて簡易に製造することができる裸眼立体映像表示手段を備えた遊技ゲーム機を提供することができる。【０１２４】
第三に、裸眼立体映像表示手段を遊技ゲーム機に用いることにより実現する、プレイヤーの射幸心をあおり、プレイ意欲を喚起する新たな付加価値をもった遊技ゲーム機を提供することができる。【０１２５】
（Ｈ）本発明にかかるパララックスバリアは、以上のように、電磁波シールドを兼用し、しかも一度の工程で製造できるため、プラズマディスプレイを用いた裸眼立体ディスプレイをより簡易に製造することができるという顕著な効果を奏する。【０１２６】
（ＲＴＰ）本発明に係るパララックスバリアシートは、以上のように、ディスプレイを裸眼立体ディスプレイとして機能させるために、該ディスプレイと共に用いられ、該ディスプレイに対し脱着可能なパララックスバリアシートであって、透明媒体と、該透明媒体に形成されたパララックスバリアとからなることを特徴としているので、パララックスバリアを、裸眼立体ディスプレイとは切り離して製造し、市場に供給することが出来、ユーザは自身の安価なディスプレイを用いて裸眼立体映像を見ることが出来るので、既存のノートＰＣやＴＶモニタなどにハードウェアとしてはパララックスバリアシートを追加するのみで安価に裸眼立体ディスプレイを実現することが出来、ユーザが市場で販売されている各種のパララックスバリアシートを選択することが出来、通常のモバイルＰＣに加えて、そのモバイルＰＣの画面サイズ、解像度、処理能力に適合したパララックスバリア１枚を持ち運ぶだけで、客先等で容易に裸眼立体コンテンツの裸眼立体効果をプレゼンテーション出来、ディスプレイの解像度が向上した携帯電話機においても裸眼立体表示が可能となり、何時でも何処でも裸眼立体コンテンツを表示することが出来るという効果を奏する。
【図面の簡単な説明】
【０１２７】
【図１】本発明の実施形態の概要を示すものであり、（ａ）は横長の投光部の例であり、（ｂ）は点光源状の投光部の例であり、（ｃ）は立体映像表示装置の要部構成を示すブロック図である。
【図２】本発明の立体映像表示装置の表示モードを示すものであり、（ａ）は「マルチビュー立体表示モード」の例であり、（ｂ）は「描画・印刷閲覧モード」の例であり、（ｃ）は「混合モード」の例である。
【図３】本発明の実施形態の概要を示すものであり、（ａ）は団子スリットの例であり、（ｂ）は円形スリットの例であり、（ｃ）は穴型スリットの例であり、（ｄ）は平行四辺形状スリットの例であり、（ｅ）は六角形状スリットの例である。
【図４】本発明の表示部の構造例を示すものであり、（ａ）は主に強化ガラスと空隙部とを備えた構造例であり、（ｂ）は主に保護シートと透明材とを備えた構造例である。
【図５】本発明の表示部の他の構造例を示すものであり、（ａ）はバックライトおよび立体印刷部により構成した例であり、（ｂ）は画像発光部５ｄに液晶、プラズマ、またはＬＥＤを用いた例であり、（ｃ）は（ｂ）に示す構成例の空隙部を透明材に置換した例である。
【図６】本発明の表示部のさらなる変形例を示すものであり、（ａ）は脱着可能またはローリング可能な構成を示す図であり、（ｂ）は立体印刷部などがロール状である構成を示す図である。
【図７】本発明の実施形態を示すものであり、パララックスバリアの前面に描画された画像上にドットパターンを重ねて形成する例を示す図であり、（ａ）はスリットが団子状の例、（ｂ）はスリットが穴型の例である。
【図８】本発明の実施形態を示すものであり、パララックスバリアおよびタッチパネルが表示部の一部のみに設けられた例を示す図であり、（ａ）は表示部の右側が立体表示領域でありパララックスバリアが設けられている例を示す図であり、（ｂ）はタッチパネルと、通常モニタ領域と、立体映像表示領域と、印刷領域とから構成される例を示す図である。
【図９】本発明のパララックスバリア方式の裸眼立体ディスプレイの製造に関わる構造を示す図である。
【図１０】本発明の裸眼立体ディスプレイとタッチパネルを組み合わせた実施形態を示す図であり、（ａ）は正面図であり、（ｂ）は上面図である。
【図１１】本発明のタッチパネルの概要を示す図であり、（ａ）はＩＲ−ＬＥＤおよびＩＲカメラを用いたタッチパネルを使用した構成を示す図であり、（ｂ）はＩＲカメラにより撮影される画像の例を示す
【図１２】三角測量の原理を用いた、通常の画像認識方式によるタッチパネルを示す図である。
【図１３】本発明の裸眼立体ディスプレイとタッチパネルを組み合わせたシステムの使用状態を示す図である。
【図１４】本発明のタッチパネルの具体例を示す図であり、（ａ）は液晶・有機ＥＬ系の薄型タッチパネル、（ｂ）は加圧式タッチシート、（ｃ）はドットシートである。
【図１５】本発明の実施形態の、パララックスバリアのスリットのエッジ形状の構成を示す図であり、（ａ）はサブピクセルの並びを示す図であり、（ｂ）はエッジが円弧と直線から構成される例を示す図である。
【図１６】本発明の実施形態の、パララックスバリアのスリットのエッジ形状の構成を示す図であり、（ａ）はエッジが円弧のみから構成される例であり、（ｂ）はエッジが楕円弧のみから構成される例であり、（ｃ）はエッジが楕円弧のみから構成される他の例であり、（ｄ）はエッジがスプライン曲線のみから構成される例である。
【図１７】本発明の実施形態の、楕円弧状スリットの他の例を示す図であり、（ａ）はサブピクセルの並びを示し、（ｂ）は楕円をつないだスリットを示し、（ｃ）は楕円を別のつなぎ方としたスリットの形状を示す。
【図１８】本発明の実施形態の、画素を構成するサブピクセルの配置と楕円弧状スリットとの他の例を示す図であり、（ａ）は、各サブピクセルの配置の別の例であり、（ｂ）は１個の楕円を用いて２個の画素をカバーする配置を示し、（ｃ）は３個の楕円を用いて２個の画素をカバーする配置を示している。
【図１９】本発明の実施形態の、立体映像データを２Ｄ部分と３Ｄ部分とで分離し圧縮する例を示す図であり、（ａ）はフラグの立て方を示し、（ｂ）は１フレームの分割方法を示し、（ｃ）は５視点分のカメラの配置を示す図である。
【図２０】本発明の実施形態の、画像を格納するファイルの１フレームの分割例であり、（ａ）は各視点用の領域には、３Ｄ部分の画像のみを格納し、背景（２Ｄ）となる部分は、右下の領域にマスクを兼用させて格納する例であり、（ｂ）は５視点分の２Ｄおよび３Ｄ画像の領域と、右下の５視点分（５ビット）のマスク情報のみを保持する例であり、（ｃ）は２Ｄ画像用を別ファイルとし、３Ｄ画像ファイルの、フレームを分割した各領域に、３Ｄ画像とマスクを兼ねた黒色領域とを持たせる例である。
【図２１】本発明の実施形態の、画像を格納するファイルの１フレームの分割例であり、４視点のフォーマット例である。
【図２２】本発明の実施形態の、画像を格納するファイルの１フレームの分割例であり、５視点のフォーマット例である。
【図２３】本発明の実施形態の、画像を格納するファイルの１フレームの分割例であり、６視点のフォーマット例である。
【図２４】本発明の実施形態の、画像を格納するファイルの１フレームの分割例であり、７視点のフォーマット例である。
【図２５】本発明の実施形態の、画像を格納するファイルの１フレームの分割例であり、８視点のフォーマット例である。
【図２６】本発明の実施形態の、時間方向圧縮マスクの例である。
【図２７】本発明の実施形態の、各視点用の画素のブレンドおよび圧縮の方法を示す図であり、（ａ）は各画素のサブピクセルの配置を示し、（ｂ）は圧縮前の第ｋ視点用の画素の配置を示し、（ｃ）は第ｋ視点用の圧縮画像の配置を示す図である。
【図２８】本発明の実施形態の、各視点用の画素のブレンド方法を示す図である。
【図２９】本発明の実施形態の、各視点用の画素のブレンドおよび圧縮の方法を示す図であり、（ａ）は各画素のサブピクセルの配置を示し、（ｂ）は圧縮前の第ｋ視点用の画素の配置を示し、（ｃ）は第ｋ視点用の圧縮画像の配置を示す図である。
【図３０】本発明の実施形態の、各視点用の画素のブレンド方法を示す図である。
【図３１】本発明の実施形態の、各視点用の画素のブレンドおよび圧縮の方法を示す図であり、（ａ）は各画素のサブピクセルの配置を示し、（ｂ）は圧縮前の第ｋ視点用の画素の配置を示し、（ｃ）は第ｋ視点用の圧縮画像の配置を示す図である。
【図３２】本発明の実施形態の、各視点用の画素のブレンド方法を示す図である。
【図３３】本発明の実施形態の、立体効果に関係する各パラメータを説明する図であり、（ａ）は両目により視認できる可視領域を示す図であり、（ｂ）は注視点間距離を示す図である。
【図３４】本発明の実施形態の、楕円弧のエッジ形状のスリットの立体効果に関係する各パラメータを説明する図である。
【図３５】本発明の実施形態の、楕円弧のエッジ形状のスリットの立体効果に関係する各パラメータを説明する図であり、（ａ）は左右の可視領域が接している例であり、（ｂ）は重なっている例である。
【図３６】本発明の実施形態の、楕円弧のエッジ形状のスリットの立体効果に関係する各パラメータを説明する図であり、（ａ）は上面図であり、（ｂ）は画素の配置を示す図である。
【図３７】本発明の実施形態の、楕円弧のエッジ形状のスリットの立体効果に関係する各パラメータを説明する図であり、（ａ）は上面図であり、（ｂ）は画素の配置を示す図である。
【図３８】本発明の実施形態の、楕円弧のエッジ形状のスリットの立体効果に関係する各パラメータを説明する図であり、（ａ）は上面図であり、（ｂ）は画素の配置を示す図である。
【図３９】本発明の実施形態の、可視領域を説明する図である。
【図４０】本発明の実施形態の、可視領域を説明する図である。
【図４１】本発明の実施形態の、可視領域を説明する図である。
【図４２】本発明の実施形態の、立体視適性距離の範囲を示す図である。
【図４３】本発明の実施形態の、１画素を構成するサブピクセルの配置を説明する図である。
【図４４】本発明の実施形態の、１画素を構成するサブピクセルの配置を説明する図である。
【図４５】本発明の実施形態の、１画素を構成するサブピクセルの配置を説明する図である。
【図４６】従来技術を示すものであり、視差バリア方式の立体映像表示装置の概要を示す図である。
【図４７】従来技術を示すものであり、板状スクリーンの視差バリア領域の少なくとも一部に平面画像を描画する例を示す図である。
【図４８】従来技術を示すものであり、液晶パララックスバリアを備えたパララックス方式による立体映像表示装置を示す図である。
【図４９】本発明の実施形態を示すものであり、有効可視領域と、可視光透過領域と、ベストビューポイントにおける画像提示対象者の片眼の位置との関係を示す図である。
【図５０】本発明の実施形態を示すものであり、画素平均幅を求める際の各種ブレンド方法におけるサブピクセルの配置を示した図であり、（ａ）は２行３サブピクセルの２画素の配置を示し、（ｂ）は３行４サブピクセルの３画素の配置を示し、（ｃ）は１行３サブピクセルの１画素の配置を示し、（ｄ）は２行４サブピクセルの１画素の配置を示し、（ｅ）は３行３サブピクセルの１画素の配置を示す。
【図５１】本発明の実施形態を示すものであり、有効可視領域を設計する際のサイズを示す図である。
【図５２】本発明の実施形態を示すものであり、可視光透過領域の具体的な形状を示す図であり、（ａ）が四角形、（ｂ）が四角形（菱形）、（ｃ）および（ｄ）が六角形、（ｅ）が八角形、（ｆ）から（ｊ）までが、（ａ）から（ｅ）までの図形を変形し、四隅の角部を円弧により描いた多角形の例を示す図である。
【図５３】本発明の実施形態を示すものであり、（ａ）は矩形領域の平行四辺形への変形を示す図であり、（ｂ）は変形する際の中心点を示す図であり、（ｃ）は矩形領域の回転と辺の伸縮とによる変形を示す図である。
【図５４】本発明の実施形態を示すものであり、垂直方向における、設計時の視点と実際の視点とのずれを示す図である。
【図５５】本発明にかかる遊技ゲーム機の構成を示すブロック図である。
【図５６】本発明における３Ｄ映像の出現回数、表示時間、立体飛び出し度を制御する第一の制御方法を示す図である。
【図５７】本発明における３Ｄ映像の出現回数、表示時間、立体飛び出し度を制御する第二の制御方法を示す図である。
【図５８】本発明における３Ｄ映像の出現回数、表示時間、立体飛び出し度を制御する第三の制御方法の一形態を示す図である。
【図５９】本発明における３Ｄ映像の出現回数、表示時間、立体飛び出し度を制御する第三の制御方法の一形態を示す図である。
【図６０】本発明における３Ｄ映像の出現回数、表示時間、立体飛び出し度を制御する第三の制御方法の一形態を示す図である。
【図６１】本発明における可動式パララックスバリアの一形態を示す図である。
【図６２】パララックスバリア方式の裸眼立体映像表示技術における、モニタとパララックスバリア間の適正な空隙距離と、パララックスバリアと画像提供対象者（プレイヤー）の眼の間の距離との関係を示す図である。
【図６３】本発明における可動式パララックスバリアの一形態を示す図である。
【図６４】本発明における可動式パララックスバリアの一形態を示す図である。
【図６５】本発明における可動式パララックスバリアの一形態を示す図である。
【図６６】本発明におけるパララックスバリアの一形態を示す図である。
【図６７】本発明におけるパララックスバリアの一形態を示す図である。
【図６８】本発明における可動式パララックスバリアの一形態を示す図である。
【図６９】本発明における可動式パララックスバリアの一形態を示す図である。
【図７０】本発明における輝度制御手段の一形態を示す図である。
【図７１】本発明における遊技ゲーム機の一形態を示す図である。
【図７２】本発明における輝度制御手段の一形態を示す図である。
【図７３】本発明における遊技ゲーム機の一形態を示す図である。
【図７４】本発明における裸眼立体映像表示手段の一形態を示す図である。
【図７５】本発明の実施形態のパララックスバリアシートのうち、Ｌ字型スペーサを用いる例の斜視図および断面図である。
【図７６】本発明の実施形態のパララックスバリアシートのうち、Ｌ字型スペーサおよび挟み込み型取り付けフックを用いる例の斜視図および断面図である。
【図７７】本発明の実施形態のパララックスバリアシートのうち、円柱型スペーサおよびレール（桟）を用いる例の斜視図および断面図である。
【図７８】本発明の実施形態のパララックスバリアシートのうち、円柱型スペーサおよび上下のレール（桟）を用いる例の斜視図および断面図である。
【図７９】本発明の実施形態のパララックスバリアシートのうち、上下のレールでスペーサを兼用する例の断面図である。
【図８０】本発明の実施形態のパララックスバリアシートのうち、円柱型スペーサおよびコの字型レールを用いる例の斜視図である。
【図８１】本発明の実施形態のパララックスバリアシートのうち、角柱型スペーサおよびフックを用いる例の斜視図および断面図である。
【図８２】本発明の実施形態のパララックスバリアシートのうち、円柱型スペーサおよびネジ止め型ピンを用いる例の斜視図および断面図である。
【図８３】本発明の実施形態のパララックスバリアシートのうち、ネジ止め型ピンを用い、スペーサをリングにより兼用した例の断面図である。
【図８４】本発明の実施形態のパララックスバリアシートのうち、円柱型スペーサおよび粘着クッション材を用いる例の斜視図および断面図である。
【図８５】本発明の実施形態のパララックスバリアシートのうち、スペーサを兼ねた硬化粘着材を用いる例の斜視図および断面図である。
【図８６】本発明の実施形態のパララックスバリアシートのうち、スペーサのモニタ面側に粘着材を用いる例の斜視図である。
【図８７】本発明の実施形態のパララックスバリアシートのうち、スペーサを兼ねたＬ字型取り付け具を用いた例の斜視図および断面図である。
【図８８】本発明の実施形態のパララックスバリアシートのうち、スペーサを兼ねた挟み込み型取り付けフックを用いた例の斜視図および断面図である。
【図８９】本発明の実施形態のパララックスバリアシートのうち、スペーサを兼ねたＬ字型取り付け具と円柱状スペーサとを組み合わせて用いた例の斜視図および断面図である。
【図９０】本発明の実施形態のパララックスバリアシート（フィルタ）のうち、モニタ面より幾分大きいフィルタを用い、そのフィルタの四隅に粘着材を設け、フレームに貼り付ける方法を示す例の斜視図および断面図である。
【図９１】本発明の実施形態のパララックスバリアシート（フィルタ）のうち、モニタ面より幾分大きいフィルタを用い、粘着材の代わりに、挟み込み型取り付けフックを用いる例の斜視図および断面図である。
【図９２】本発明の実施形態のパララックスバリアシート（フィルタ）のうち、テーブル型ディスプレイに対して、フィルタを取り付ける方法を示す斜視図である。
【図９３】本発明の実施形態のパララックスバリアシート（フィルタ）のうち、テーブル型ディスプレイに対して、モニタ面の四隅に来るようにスペーサを設置し、フィルタを上から置く方法を示す斜視図である。
【図９４】本発明の実施形態のパララックスバリアシートを用いる際に、３Ｄ表示を視る(立体視）場合と２Ｄ表示を視る（通常）場合とを切り替える様子を示す図である。
【図９５】本発明の実施形態の、キャリブレーション方法を示す図である。
【図９６】本発明の実施形態の、キャリブレーション用スリットをパララックスバリアシートに形成した例を示す図である。
【図９７】本発明の実施形態の、モニタ面に表示された黄色ラインが、フィルタ面に形成されたキャリブレーション用ラインと重なることにより、赤色に変色する様子を示す図である。
【図９８】本発明の実施形態の、パララックスバリアのスリットのエッジ形状の構成を示す図であり、（ａ）楕円弧を傾けてエッジを構成する例であり、（ｂ）から（ｄ）はエッジが三角形から構成される例である。
【図９９】本発明の実施形態の、ブレンド方法を示す図であり、（ａ）はブレンド後の各視点用画素の配置を示す図であり、（ｂ）はブレンド前の各視点用画像において、対応する画素の位置を示す図である。
【図１００】本発明におけるパララックスバリアの形成方法の三形態を示す図である。
【図１０１】本発明におけるパララックスバリアの形成方法の一形態を示す図である。
【図１０２】本発明におけるパララックスバリアの形成方法の一形態を示す図である。
【図１０３】本発明におけるパララックスバリアの形成方法の一形態を示す図である。
【図１０４】本発明におけるパララックスバリアの形成方法の四形態を示す図である。
【図１０５】本発明におけるパララックスバリアの形成方法の四形態を示す図である。
【図１０６】本発明におけるパララックスバリアの形成方法の六形態を示す図である。
【図１０７】本発明におけるパララックスバリアの数値の算出方法を示す図である。
【図１０８】本発明におけるプラズマ３Ｄモニタの構造を示す図である。
【符号の説明】
【０１２８】
１    立体映像表示装置
２    パララックスバリア
３    描画された画像
４    投光部（投光手段）
４ｂ  投光部（投光手段）
５    表示部（表示手段）
５ｄ  画像発光部
６    制御部（制御手段）
７    照度センサ（外部光検知手段）
８    位置センサ（各検知手段）
９    タッチパネル
【発明を実施するための形態】
【０１２９】
本発明の実施形態について説明すると以下の通りである。
【０１３０】
＜概要＞
図１において、本発明にかかる立体映像表示装置１の概要を示す。図１（ａ）および（ｂ）は、バララックスバリア２の前面に照明用の光を照射し、外部光が弱い場合でもバララックスバリア２の前面に描画された画像３が画像提示対象者に対し視認可能にする投光部（投光手段）４および４ｂと、表示部（表示手段）５との位置関係を示す図である。
【０１３１】
投光部４および４ｂは、外部光が少ない場合であり、かつ、バララックスバリア２の前面に描画された画像３を画像提示対象者が視認可能なように点灯させて用いる。
【０１３２】
図１（ａ）に示す例では、投光部４は、表示部５の上部に配置された横長の光源である。横長の光源としては、点光源状のライトを並べたものを用いてもよいし、蛍光灯のような線状のライトを用いてもよいし、有機ＥＬのような面状のライトを用いてもよい。
【０１３３】
図１（ｂ）に示す例では、投光部４ｂは、点光源状のライトを並べたものである。投光部４および４ｂの形状、個数、および配置は、外部光の変化に応じて画像提示対象者が効果的に画像３を視認できるものであれば、どのような形状、個数、および配置でもよく、これらの例に限られるものではない。
【０１３４】
なお、投光部４と投光部４ｂとの違いを説明すると以下のとおりである。すなわち、投光部４は、単に点光源ライト型の投光部４ｂを覆う形として、投光部４ｂの目隠しをしているに過ぎない。大きな屋外看板の場合、コスト面から投光部４ｂを用いることが多い。
【０１３５】
投光部４および４ｂは、表示部５の上下左右どちらの側に設置してもよい。片側のみに設置してもよいし、両側に設置してもよい。
【０１３６】
投光部４の形状は、屋内用か屋外用かを問わず、中小規模の立体映像表示装置１において、見てくれにこだわる場合にライトの目隠しを行う目的で用いることが好ましい。
【０１３７】
図１（ｃ）において、本発明にかかる立体映像表示装置１の構成の概要を示す。立体映像表示装置１は、投光部４と、表示部５と、制御部（制御手段）６と、照度センサ（外部光検知手段）７とを含んで構成される。
【０１３８】
表示部５は、通常の裸眼立体ディスプレイとして機能するものと同様の機能を有し、映像の表示を行う画像発光部５ｄとその前面に配置されるパララックスバリア２とを含んで構成される。パララックスバリア２の前面には、広告などの画像３が描画されている。
【０１３９】
なお、パララックスバリア２の前面に画像３を描画する場合、通常は黒色であるバリア面に白色の塗装を行ってから、描画のための彩色を行うとよい。
【０１４０】
表示部５の基本的な動作としては、制御部６から送出される映像信号に基づき、パララックスバリア２の背後にある液晶ディスプレイ、プラズマディスプレイ、有機ＥＬディスプレイ、ＬＥＤディスプレイなどの画像発光部５ｄが２Ｄ／３Ｄ表示用映像を表示する。表示により発光し、パララックスバリア２のスリットを通過した光が、３Ｄ映像適視位置内の画像提示対象者により知覚される。そして、裸眼立体映像が画像提示対象者に対して提示される。
【０１４１】
なお、表示される映像は、３Ｄ表示用映像ではなくてもよく、例えば、パララックスバリア２に描画された画像３を補完するための２Ｄ映像でもよい。もちろん、３Ｄ映像により画像３を補完してもよい。補完を目的として映像を表示する場合、映像の輝度を抑え、画像３の質感を損傷しない様にしつつ、画像３を補完する色を表示してもよい。
【０１４２】
表示部５の詳細な構造については後述する。
【０１４３】
投光部４は、点灯時にパララックスバリア２の前面に対して光を照射出来る構造の光源である。制御部６からの制御信号に基づき、パララックスバリア２の前面に照射する光の強度を調整する。もちろん、制御部６からの制御信号に基づき、照射方向および照射方法などを調整してもよい。
【０１４４】
照射方法としては、立体映像表示装置１の周りの照明環境および／または画像提示対象者の位置により、光源を所定の間隔をもって点滅させたり、照射する光の色調を変更したりしてもよい。
【０１４５】
照度センサ７は、パララックスバリア２の前面に当たる外部光の強度を測定し、測定結果を制御部６に送る。照度センサ７は、無指向性のセンサ１個または複数個により構成されてもよいし、外部光の入射する方向を検知出来るように、指向性のセンサ１個または複数個により構成されてもよいし、これらセンサを適宜組み合わせて構成されてもよい。
【０１４６】
制御部６は、照度センサ７から受け取った測定結果に基づき、表示部５に送出する映像信号および投光部４を制御する。どのような制御を行うかについての詳細は、後述する。
【０１４７】
なお、制御部６が表示部５に送出する映像は、予め制御部６内に蓄積されているものでもよいし、外部から入力されたものでもよい。外部から入力する映像は、独立した記憶部（図示せず）を設け、そこに映像を蓄積しておいてもよいし、ネットワーク経由の通信または放送などの無線通信により、受信してもよい。
【０１４８】
＜立体映像表示装置１の表示モードについて＞
図２は、立体映像表示装置１が、大きく分けて「マルチビュー立体表示モード」および「描画・印刷閲覧モード」の２つのモードを有することを示す図である。図２（ａ）に示すマルチビュー立体表示モードでは、立体映像表示装置１は、パララックスバリア方式の裸眼立体ディスプレイとして動作する。図２（ｂ）に示す描画・印刷閲覧モードでは、立体映像表示装置１は、バララックスバリア２の前面に描画された画像３を表示する表示板として動作する。
【０１４９】
図２（ａ）に示す「マルチビュー立体表示モード」の例では、表示部５には、携帯電話機の広告が表示されている。この例では、立体画像により制作された奥行きのある部屋を背景として、宙に浮いた携帯電話機と、「ケイタイＮｏ．１」の文字とが部屋の奥から手前に迫ってくる立体映像として表示されている。
【０１５０】
図２（ｂ）に示す「描画・印刷閲覧モード」の例では、パララックスバリア２の前面には、画像３として樹木と人物とが描かれている。
【０１５１】
もちろん、表示モードは、「マルチビュー立体表示モード」および「描画・印刷閲覧モード」が完全に切り替わる構成でもよいし、後述するように、両方の表示モードを混在させた「混合モード」を用いて、画像提示対象者に対し２Ｄ画像／３Ｄ映像を組み合わせた効果的な広告を行う構成でもよい。
【０１５２】
図２（ｃ）に示す「混合モード」の例では、表示部５には、パララックスバリア２の前面に画像３として山と花とが描かれている。そして、蝶のみが立体画像として表示され、蝶は、花を起点として３次元空間を飛んでいる。
【０１５３】
なお、図３（ａ）に示すとおり、パララックスバリア２の前面は、鏡面状になっていてもよい。この構成では、従来技術と同じように位置センサ８（図示せず）を設けると、自分の姿が別の画像に変換されることによる驚きを画像提示対象者に与えることが出来る。
【０１５４】
すなわち、立体映像表示装置１に接近する画像提示対象者は、最初、バララックスバリア２の前面に自分の姿が映るので、バララックスバリア２の前面を通常の鏡であると認識する。
【０１５５】
また、パララックスバリア２の前面を簡易に鏡面状にするために、画像発光部５ｄが発光する際には、マジックミラーを透過する分だけ、画像が暗くなってしまうが、パララックスバリア２の、スリット部を含んだ全面を、マジックミラーとする構成としてもよい。
【０１５６】
この構成では、表示部５の製造時に、パララックスバリア２の前に、マジックミラーを設置すればよいので、スリット部を避けてパララックスバリア２の前面のみを鏡面とする工作を行うよりも、より簡単に全面を均一な鏡とすることが出来る。
【０１５７】
次いで、位置センサ８により、画像提示対象者が３Ｄ映像適視位置に入ったことを検知した制御部６は、画像提示対象者に対し３Ｄ映像（例えば、骸骨など）を提示するので、画像提示対象者は、鏡に映った自分の姿に代わり、３Ｄ映像を認識する。
【０１５８】
この構成を採る場合、表示部５からの光の強度は、パララックスバリア２の前面に写った画像提示対象者の姿が実質的に消え、３Ｄ映像のみが認識される程度以上の強度であってもよい。
【０１５９】
なお、パララックスバリア２のスリットの形状は、図３（ａ）に示すような団子形状、図３（ｂ）に示すような斜め直線状、図３（ｃ）に示すような穴型提灯形状、図３（ｄ）に示すような穴型平行四辺形、図３（ｅ）に示すような穴型六角形、図３（ｆ）に示すような斜め階段状でもよい。スリット形状の詳細については、後述する。
【０１６０】
＜表示部および投光部の制御方法＞
制御部６が行う、表示部５および投光部４の制御方法の詳細は、以下のとおりである。
【０１６１】
制御部６は、外部光の位置および光量などを考慮して、画像提示対象者に対し２Ｄ画像／３Ｄ映像を組み合わせた効果的な広告を行うことが出来るように、投光部４および表示部５の制御を行う。具体的には、以下のとおりである。
【０１６２】
例えば、外部光として太陽光を想定する場合、太陽は、東からの日の出から西への日没まで位置が変化するので、その位置と入射光の強度を照度センサ７により測定し、その位置と強度に合わせて、表示部５に表示する２Ｄ／３Ｄ映像と投光部４の照明方法とを制御してもよい。
【０１６３】
太陽の位置に関しては、画素毎に点灯／消灯が制御できるＬＥＤディスプレイなどの場合、パララックスバリア２のスリットから進入した直射日光が当たる箇所の画素は消灯し、パララックスバリア２の影になり直射日光が当たらない箇所の画素は点灯することにより、消費電力を削減することも出来る。
【０１６４】
また、太陽光の強度も、朝および夕方は弱く、昼間は強い。
【０１６５】
そこで、昼間は表示部５の点灯を行わず、パララックスバリア２上の画像３を見せるだけの屋外広告とする構成でもよい。この構成を採ることにより、立体映像表示装置１が昼間に消費する電力を削減することが出来る。
【０１６６】
昼間であっても、パララックスバリア２のスリット部を黒く見せないために、表示部５に映像を表示させ、画像３を補完する構成でもよい。
【０１６７】
朝および夕方は、投光部４からの照明により、パララックスバリア２の前面を照らす制御を行ってもよい。照度センサ７による外部光の測定結果に基づき、表示部５が表示する映像の輝度も制御を行い、立体映像表示装置１の周囲の明るさに応じて裸眼立体映像を表示するか否か判断する制御を行ってもよい。
【０１６８】
画像提示対象者に対し裸眼立体映像を提示可能な時間帯および外部光の条件である事と、立体に見せたい映像であるという事との両方の条件が揃った場合のみ、３Ｄ映像を表示し、それ以外の場合は、画像３を表示するように自動制御を行ってもよい。
【０１６９】
外部光など周囲のわずかな変化に対しても、中間的なライティングを行うなど、細かい制御を行う構成でもよい。
【０１７０】
すなわち、本発明にかかる立体映像表示装置１のポイントは、光を与えることと、それに対する反射光、そして液晶ディスプレイなどの発光体を制御対象とし、これらを切り替えることである。
【０１７１】
もちろん、天気により太陽光の強度は変動するので、昼間であっても曇りであれば、表示部５の発光強度に関し、朝および夕方と同じ制御を行えばよい。
【０１７２】
描画または印刷された画像３と同じ画像を表示部５により表示することにより、太陽光が少ない時でも画像３を強調して画像提示対象者に見せることが出来る。
【０１７３】
なお、照度センサ７は、外部光の強度を測定する際に、光の周波数帯域ごとに強度を測定してもよい。例えば、この構成を採ることにより、朝および夕方に、太陽光に占める赤色成分が多くなった時に、最も効果的な色調を用いて、表示部５が２Ｄ／３Ｄ映像を表示する制御方法でもよい。
【０１７４】
また、従来技術と同じように位置センサ８を設け、画像提示対象者の位置により表示部５に映し出す映像および投光部４の照明を制御することにより、画像提示対象者に対し効果的な広告を行うことも出来る。
【０１７５】
また、カメラ（撮像手段）を用いて、立体映像表示装置１近傍の物体（人物、動物、自動車など）を撮影し、制御部６において、撮影した画像を解析し、撮影した画像と共に、解析結果に応じた立体映像（他の人物、動物、キャラクター、骸骨など）を表示部５に表示する制御を行ってもよい。
【０１７６】
例えば、立体映像表示装置１の前を歩いている画像提示対象者が、表示部５を見ると、自分の姿に加えて、その周りに、春は蝶、秋はトンボが、立体映像として知覚される制御を行う構成でもよい。
【０１７７】
＜適した利用方法について＞
裸眼立体ディスプレイにおいて、最も立体が効果的に見えるのは、パララックスバリア２の前面が黒く、パララックスバリア２のスリットからの光のみが、画像提示対象者に知覚される場合である。それ故、画像３の色調をなるべく暗い色とすることが望ましい。
【０１７８】
また、立体表示用に、パララックスバリア２のスリットから視認される画素の輝度は非常に低いので、昼間の屋外において裸眼立体表示を行うことは困難である。それ故、昼間に裸眼立体を表示させる場合には、立体映像表示装置１を屋内に置き、屋内または屋外に居る画像提示対象者に対して裸眼立体表示を行うようなショールームに向いている。
【０１７９】
また、立体映像表示装置１を屋内に置き、画像提示対象者も屋内に居る場合、室内照明を投光部４として制御することにより、立体映像を効果的に表示することも出来る。なお、この場合も、立体映像を鮮明に見せるために、少なくとも表示内容が立体映像となる時点に合わせて、室内照明を弱める制御を行うことが望ましい。
【０１８０】
＜２Ｄ画像と３Ｄ映像との組み合わせについて＞
パララックスバリア２の前面に描かれた２Ｄの画像３と、裸眼立体として表示される３Ｄ映像とに関し、画像提示対象者が知覚する２Ｄ画像／３Ｄ映像の前後関係について説明すると、以下のとおりである。
【０１８１】
例えば、夕方、投光部４を用いて印刷した画像３をライティングしながら、表示部５により裸眼立体映像を表示することにより、裸眼立体映像を浮き出させることが出来る。画像提示対象者は、印刷画像３よりも裸眼立体映像の立体が手前にあることを明確に知覚できる。その理由は、人間の目は、反射光により知覚される描画されたリアルな画像と、素子の発光により知覚される映像による立体効果とを区別できるからである。
【０１８２】
このように、描画されたリアルな２Ｄ画像とその画像の描画面より前に出して浮かべられた立体との組み合わせでは、映像による２Ｄ画像とその画像の表示面より前に出して浮かべられた立体との組み合わせに較べ、画像提示対象者に対し、立体をよりリアルに提示することが出来る。
【０１８３】
すなわち、３Ｄ映像に慣れてしまっている画像提示対象者に対しても、本物の絵や写真の前に、裸眼立体効果により立体表示対象物を飛び出させて提示できるので、画像提示対象者に驚きと感動とを与えることが出来る。
【０１８４】
また、黒い背景と明るい前景を有する３Ｄ映像を用いれば、画像提示対象者に対し、明るい前景を手前に見せると共に、黒い背景部分に、画像３である下絵や看板を見せることが出来る。
【０１８５】
このように、描画された画像３である看板の絵と裸眼立体として表示する映像との組み合わせにより、立体を看板より手前に浮き上がらせる効果を得たり、映像の光を強めて看板からの反射光の知覚を防ぎ看板が消えてしまう効果を得たりと、様々な効果を演出させることが出来る。
【０１８６】
さらに、２Ｄ画像および３Ｄ映像の明暗を調整することにより、画像提示対象者に対し、像を結ぶ立体の位置が２Ｄ画像より手前にあるように知覚させたり、２Ｄ画像より後ろにあるように知覚させたりすることが出来る。
＜表示部５の構造の詳細につて＞
【０１８７】
図４において、表示部５の構造の詳細を断面図として示す。
【０１８８】
図４（ａ）に示す例では、表示部５は、画像提示対象者に近い側から、強化ガラスと、グラフィック印刷と、マスク印刷層と、空隙部と、画像発光部５ｄとを含んで構成される。
【０１８９】
図４（ｂ）に示す例では、表示部５は、画像提示対象者に近い側から、保護シートと、グラフィック印刷と、マスク印刷層と、透明材と、画像発光部５ｄとを含んで構成される。
【０１９０】
これらの図から分かるように、強化ガラスと空隙部との組み合わせを用いる場合、強化ガラスには強度を持たせるために適度な厚みを持たせる必要がある。また、保護シートと透明材との組み合わせを用いる場合、表示部５の強度は、透明材により保たれるので、保護シートを薄くすることが出来る。もちろん、表示部５の構成は、薄い強化ガラスと透明材との組み合わせでもよい。
【０１９１】
グラフィック印刷として、画像３が描画される。グラフィック印刷部分は、鏡面でもよい。
【０１９２】
マスク印刷層は、画像発光部５ｄから発光された光を遮断し光の進行方向を制限する不透過部と光が透過する透過部（スリット）とから構成される。
【０１９３】
画像発光部５ｄは、２Ｄ映像および／または３Ｄ映像を表示する画素の配列、すなわちディスプレイである。
【０１９４】
図５において、他の表示部５の構成例を断面図として示す。
【０１９５】
図５（ａ）に示すものは、画像発光部５ｄを、バックライトおよび立体印刷部により構成し、マスク印刷層と立体印刷部との間を透明材により充填した例である。もちろん、透明材と保護シートとの組み合わせに代えて、空隙部と強化ガラスの組み合わせでもよい。
【０１９６】
図５（ｂ）は、画像発光部５ｄに、液晶、プラズマ、またはＬＥＤを用いて、画像発光部５ｄとマスク印刷層との間に、空隙部を設けた例である。
【０１９７】
図５（ｃ）は、図５（ｂ）に示す構成例の空隙部を透明材に置換した例である。空隙部を透明材に置換することにより、強度を持たせることが出来るので、厚い強化ガラスを薄い保護シートに置換することが出来る。
【０１９８】
図６において、表示部５のさらなる変形例を示す。
【０１９９】
図６（ａ）は、立体印刷部、透明材、マスク印刷層、グラフィック印刷、保護シートなどが、脱着可能またはローリング可能な構成を示す図である。
【０２００】
図６（ａ）における構成は、一見すると図５（ａ）に示す例と同様であるが、立体印刷部のみ、または立体印刷部に加えて透明材、マスク印刷層、グラフィック印刷、保護シートなどが、脱着可能またはローリング可能なように構成されている。
【０２０１】
脱着可能とする場合、立体印刷部などは柔軟性を有する必要は無いが、ローリング可能とする場合、立体印刷部などはローラーによる巻き取りが可能なように、柔軟性を持たせる必要がある。
【０２０２】
なお、透明材の部分を空隙部とする構成でもよい。
【０２０３】
図６（ｂ）は、立体印刷部のみ、または立体印刷部と透明材とマスク印刷層とグラフィック印刷と保護シートとがロール状である構成を示す図である。図６（ａ）に示す立体印刷部、マスク印刷層、グラフィック印刷層、保護／強化シートのうち、少なくとも立体印刷部が、表示部５の筐体の端に設けられたローラーの間を、ローラーの回転により移動する構成を示す図である。
【０２０４】
なお、ローリング可能な構成とする場合、前記のとおり、立体映像表示装置１の前面からのみ画像が視認できる構成でもよいし、図６（ｂ）に示すように、背面からも画像が視認できる構成でもよい。
【０２０５】
＜モーションをトリガーとした実施形態について＞
画像提示対象者の動きをトリガーとして、表示制御を行う点について説明すると、以下のとおりである。
【０２０６】
前記の構成では、画像提示対象者が所定の３Ｄ映像適視位置に入ったことを位置センサ８により検知し、効果的な映像表示を行う点について説明した。さらに、各種センサを用いることにより、画像提示対象者が、乗る、触る、近づくなどの動作を行うと、その動作をトリガーとして、立体が飛び出すアトラクションなどの表示制御を行うことが出来る。計時手段により時間を計測し、表示内容を制御してもよい。
【０２０７】
例えば、立体映像表示装置１を床の一部とする構成としてもよい。この構成によると、通常は強化ガラスの、大理石またはタイルの様に見える床だが、人が近づくと立体が飛び出したり、池になったり、池の鯉が出てきたりするような制御をすることが出来る。
【０２０８】
立体映像表示装置１の手前に感圧式センサを備える構成でもよい。この構成では、画像提示対象者が感圧式センサに乗ると、画像提示対象者の進行方向前方にある立体映像表示装置１に、画像提示対象者が歩いていく方向に、川など、立体を見せることも出来る。
【０２０９】
また、レストランなどにおいて、客（画像提示対象者）を席まで案内するために、客の前方に、立体的に案内表示を行うことも出来る。この場合、横方向からは、立体表示が見えないので、他の客を混乱させることがない。複数の分岐路がある通路において用いてもよいし、広い部屋の中を案内するために用いてもよい。
【０２１０】
例えば、立体映像表示装置１を扉の一部とする構成としてもよい。この構成によると、人が扉のノブを握った瞬間に立体を飛び出させるような制御をすることが出来る。
【０２１１】
例えば、立体映像表示装置１を鏡として用いる構成でもよい。この構成によると、通常は自分の姿が映るが、人が鏡を覗き込んだり、鏡を触ったりすると、骸骨が飛び出すような制御をすることが出来る。
【０２１２】
例えば、センサとしてマイクを用いる構成としてもよい。この構成によると、人が出す音に反応して、壁が迫ってくるような制御をすることが出来る。
【０２１３】
例えば、立体映像表示装置１を自動販売機の一部とする構成でもよい。この構成によると、人がそばに来ると立体が飛び出るような制御をすることが出来る。
【０２１４】
例えば、立体映像表示装置１をからくり時計の一部とする構成でもよい。この構成によると、予め定められた時刻になると、立体が飛び出すような制御をすることが出来る。
【０２１５】
例えば、立体映像表示装置１をゲーム機の一部とする構成でもよい。この構成によると、ゲームのシナリオによって、手前の画面がいきなり立体になるような制御をすることが出来る。
【０２１６】
例えば、立体映像表示装置１をエレベータの一部とする構成でもよい。この構成によると、エレベータに人が乗ると、エレベータ内に立体が表示されるような制御をすることが出来る。
【０２１７】
例えば、立体映像表示装置１を電車の中に組み込んでもよい。エレベータと同様に人が乗ったことを検知して映像の制御を行ってもよいし、電車では車両の移動に伴い外部光の入射方向が変わるので、その変化に応じて表示する裸眼立体映像を制御してもよい。
【０２１８】
＜パララックスバリアへのドットパターン形成＞
特許３７０６３８５号および特許３７７１２５２号に開示されているような、情報を持たせたドットパターンをテキストや写真と重ねて媒体面上に形成し、ユーザがスキャナを用いてそのテキストや写真をタッチすると、重なったドットパターンから情報が取り出される仕組みを、立体映像表示装置１と組み合わせる構成でもよい。
【０２１９】
具体的には、図７に示すように、パララックスバリア２の前面に描画された画像３上にドットパターンを重ねて形成する。ドットパターンに保持させる情報としては、立体映像表示装置１のパララックスバリア２の表面上の位置を表すＸＹ座標値を用いることが好ましい。
【０２２０】
なお、図７（ａ）はスリットが団子状の場合、図７（ｂ）はスリットが穴型である場合を示したものである。
【０２２１】
また、他の具体例として、パララックスバリア２の全面、すなわち、画像３を描画する不透明部と、背後の画像発光部５ｄからの光を透過させる透明なスリット部とを区別せずに、ドットパターンを形成する構成でもよい。
【０２２２】
この構成は、パララックスバリア２を形成する際に、透明な部材の上に、パララックスバリア２の不透明部を、描画、印刷等により形成する工程を用いる場合に有効である。つまり、ドットパターンを形成する際に、透明なスリット部と、画像３が形成される不透明部とを区別する事なく、通常のドットパターン形成方法を用いて、ドットパターンの形成が出来るので、製造工程を簡略化することが出来る。
【０２２３】
例えば、透明なシートの前面、すなわち画像発光部５ｄとは反対側の面に対し、パララックスバリア２の不透明部を形成し、その上から、スリット部も含めてドットパターン層を形成し、そのシートを、さらに前面に配置される強化ガラスまたは保護シートの背面、すなわち、画像発光部５ｄ側の面に貼り付けるような製造方法では有効である。
【０２２４】
さらに、画像３上のみにドットパターンを形成する構成に較べ、ユーザがスキャナを用いてタッチする場所が、スリット部の上であったとしても、スリット部にもドットパターンが形成されているため、確実に、ドットパターンを読み取ることが出来る。
【０２２５】
なお、ドットパターンを形成する透明な部材を赤外線反射シートとし、ノンカーボン（赤外線を吸収しない）材料を用いてパララックスバリア２の不透明部を形成し、ドットパターンの各ドットをカーボンブラック（赤外線吸収材料）により形成すること構成でもよい。不透明部には、ドットパターン形成前に、白色を塗装し、その上に画像３を描画してもよい。
【０２２６】
また、塗装が厚くなりすぎる場合は、ノンカーボンのブラックによりパララックスバリア２の不透明部（マスク部）を形成し、その上に白い下地を塗り、その上にカーボンブラックによりドットパターンを全面に形成し、その上にノンカーボンのインクを用いて画像３を描画する構成でもよい。
【０２２７】
これらの構成では、スキャナにより最適なドットパターンの読み取り行うことが出来る。
【０２２８】
なお、ドットパターンが表す情報としては、上述したように、ＸＹ座標を表す構成でもよいし、画像３の内容（例えば、描いたそれぞれのキャラクタ）に対応した情報を表す構成でもよいし、両方を表す構成でもよい。
【０２２９】
例えば、画像３として、熊さんとわんことが描かれている場合、ユーザが、ブルートゥース等のスキャナペンによりわんこをタッチすると、画像３の内容（犬）が指示されたと解釈し、犬に関する映像が表示されてもよいし、ユーザが、わんこの後方をタッチすると、犬の後方に位置するＸＹ座標が取得され、表示された犬が後方に移動するように表示制御を行ってもよい。
【０２３０】
この構成を用いると、例えば、画像提示対象者がスキャナを用いてパララックスバリア上の所望の位置をタッチすると、タッチ位置のＸＹ座標値およびタッチ時に表示されていた映像から、画像提示対象者が映像中の何をタッチしたかが分かる。それにより、次に表示する映像を変更するなどの画像制御を行うことが出来る。
【０２３１】
＜タッチパネルと組み合わせた実施形態について＞
前記の説明では、パララックスバリア２の前面にドットパターンを形成し、画像提示対象者がスキャナを用いて画像／映像をタッチすることにより、立体映像表示装置１をインタラクティブなインタフェースとして用いる構成を示した。
【０２３２】
これ以外に、画像提示対象者が指などで、立体映像表示装置１に描画された画像および表示された映像をタッチすることにより、表示内容、投光部４による投光方法などを制御する構成でもよい。
【０２３３】
この構成では、表示部５の前面、すなわち画像提示対象者に向けられた側の全領域に光学式タッチパネル（図示せず）を取り付ける。この光学式タッチパネルの一部領域に裸眼立体表示用のパララックスバリア（立体マスク）２が取り付けられている。
【０２３４】
このように、タッチパネルの領域を、パララックスバリア２の領域よりも大きく取り、パララックスバリア２の前面に描画された画像３と関連する画像であって、パララックスバリア２の領域外に描かれた画像を覆う領域とすることにより、画像３および裸眼立体映像に加えて、パララックスバリア２の領域外の画像も用いたインタラクティブなインタフェースを実現することが出来る。
【０２３５】
なお、パララックスバリア２の領域外の画像は、印刷等により描画された画像でもよいし、他の映像表示装置により表示された映像でもよい。
【０２３６】
もちろん、パララックスバリア２の前面には、画像３が描かれていてもよいし、描かれていなくてもよい。画像３が描かれていない場合、画像提示対象者は、表示された２Ｄ／３Ｄ映像のみを知覚して光学式タッチパネルをタッチし、所望の入力操作を行う。
【０２３７】
なお、タッチパネルは、光学式でも圧力式でもよい。
【０２３８】
＜表示部の一部のみにタッチパネルを設けた実施形態について＞
前記の説明では、表示部５の全面にタッチパネルが設けられ、タッチパネルがパララックスバリア２の全面を覆う構成について説明した。この構成以外に、タッチパネルを表示部５の一部のみに設ける構成でもよい。
【０２３９】
図８において、パララックスバリア２およびタッチパネル９が表示部５の一部のみに設けられた例を示す。
【０２４０】
図８（ａ）に示す例では、表示部５の右側は、立体表示領域であり、パララックスバリア２が設けられている。表示部５の左側は、メニュー領域であり、パララックスバリア２は設けられておらず、光学式または圧力式のタッチパネル９が設けられている。なお、タッチパネル９は、立体表示領域にも設けられていてもよい。
【０２４１】
このように、表示部５の領域を立体表示領域とメニュー領域とに分割することにより、立体を表示することが可能になると同時に、細かい文字などをメニューとして表示することが可能になる。
【０２４２】
多視点のパララックスバリア方式の表示部５では、水平方向に複数視点用の画素を並べる必要があり、１個の視点用の画素は少なくなり、立体効果は得られるものの解像度が低下してしまう。写真など、解像度が低下しても違和感無く綺麗に見えるものは立体として表示することが好ましいが、細かい文字など、解像度の低下により判読が困難になるものは立体表示領域とは分けて表示することが望ましい。
【０２４３】
そこで、細かい文字を用いて表されることが多いメニュー領域には、パララックスバリア２を設けず、画像表示も２Ｄ映像または印刷とする。
【０２４４】
なお、図８（ｂ）に示す例のように、表示部５を覆うタッチパネル９と、メニューなどを表示させる、表示部５の左側の通常モニタ領域と、表示部５の右上側の立体映像表示領域と、「立体映画」などの文字が印刷されている、表示部５の右下側の印刷領域とから構成してもよい。
【０２４５】
このように、表示部５の前面を、機能領域毎に分割することにより、各機能に最適化された表示方法を採用することが出来る。また、大きい表示部５であっても、分割することにより、廉価な小さい部品を組み合わせることが可能になり、表示部５の製造コストを低減させることが出来る。
【０２４６】
＜着脱可能なタッチパネルと共に用いる実施形態について＞
なお、タッチパネル９は、モニタータイプの他、印刷タイプでもよい。タッチパネル９としては、光学式タッチパネル、または加圧式タッチパネル（印刷タイプに使用）を用いる。
【０２４７】
モニタータイプのタッチパネル９は、透明であり、表示部５により表示されるメニューの上に重ねて用いられる。印刷タイプのタッチパネル９は、透明なタッチパネル９の前面または背後にメニューの写真を印刷して用いられるか、タッチパネル９自体にメニューの写真を描画して用いられる。
【０２４８】
モニタータイプのタッチパネル９を用いる場合、特願２００７ー２３０７７６に開示されているグリッドシートを用いてもよい。このグリッドシートは、モニタ画面に重ねて用いられる透明なシート上に形成された、目に見えない微少なドットパターンを、スキャナを用いてタッチすることにより、タッチパネルとしての機能を実現するものである。
【０２４９】
印刷タイプのタッチパネル９を用いる場合、タッチパネル９は、表示部５に固定されている構成でもよいし、取り外しが出来る構成でもよい。
【０２５０】
例えば、特許４０１９１１４号、特許４０４２０６５号などに開示されている、ペーパーキーボード、ペーパーコントローラを用いることにより、取り外し可能なタッチパネル９を構成してもよい。
【０２５１】
これらのペーパーキーボードおよびペーパーコントローラは、紙などの媒体上に、キーボードのキーやリモートコントローラのボタンを、ドットパターンと重ねて印刷したものである。ペーパーキーボードおよびペーパーコントローラ上のボタンやキーをペン型のスキャナによりタッチすることにより、ボタンやキーに割り当てられた情報が読み取られ、読み取られた情報に対応した、画像切り替えなどの機能が実行される。
【０２５２】
なお、本発明にかかるペーパーキーボードおよびペーパーコントローラでは、前記に加え、商品写真などを並べて印刷または描画したものでもよい。ペーパーキーボードおよびペーパーコントローラは、写真やグラフィックにより、アイコン等が描画または印刷された媒体でもよい。
【０２５３】
この構成では、画像提示対象者が、詳細を知りたい商品を選択すると、その詳細が立体として表示される。
【０２５４】
＜グリッドシートとパララックスバリアの兼用＞
立体映像表示装置１は、パララックスバリアと従来のグリッドシートとを兼用させた構成でもよい。
【０２５５】
なお、パララックスバリアと兼用させるグリッドシートの構成部材として、どのように、赤外線反射層、赤外線拡散層、赤外線拡散反射層を用いるかは、従来のグリッドシートにおける構成方法と同じである。
【０２５６】
前記の構成では、グリッドシートとパララックスバリアを兼用するので、別々の部材として製造する構成に較べ、製造コストを低減させることが出来る。
【０２５７】
＜裸眼立体ディスプレイの製造方法について＞
まず、図９において、パララックスバリア方式の裸眼立体ディスプレイの製造に関わる構造を示す。図に示すように、裸眼立体ディスプレイは、画像を表示する通常のディスプレイ（画像発光部）５ｄの前面に、スペーサを設け、そのさらに前面に、背後にパララックスバリア２が形成された強化ガラスを設けて製造される。
【０２５８】
スペーサを用いてディスプレイ５ｄの画像表示面とパララックスバリア２との間に適切な間隔を設定することにより、予め設定された立体視可能エリアにおいて、適切な立体効果を得ることが出来る。
【０２５９】
パララックスバリア２のスリット配置とディスプレイ５ｄ上の一視点用の画素の配置とを適切に調整した後、ディスプレイ５ｄとスペーサと強化ガラスとを固定することにより、裸眼立体ディスプレイを製造することが出来る。
【０２６０】
＜タッチパネルと組み合わせた別の実施形態について＞
図１０において、裸眼立体ディスプレイとタッチパネルを組み合わせた、他の実施形態について説明する。
【０２６１】
図１０（ａ）は、この構成の正面図である。全体がショーウィンドウの窓であり、その一部に、タッチパネルが設置されている。ショーウィンドウの内側から、タッチパネルに対してメニューなどの映像が投影される。ショーウィンドウの右側奥には、裸眼立体ディスプレイが設置されている。
【０２６２】
図１０（ｂ）は、この構成の上面図であり、画像提示対象者と、タッチパネルと、裸眼立体ディスプレイとの位置関係を示した図である。この図は、裸眼立体ディスプレイの３Ｄ映像適視位置が裸眼立体ディスプレイの前面から２ｍ先にある例である。
【０２６３】
前述の、一つの表示部５の領域を、立体映像表示領域とメニュー領域とに分け、メニュー領域にタッチパネルを設ける実施形態では、画像提示対象者の手が届く範囲に表示部５を置かなければならず、３Ｄ映像適視位置が裸眼立体ディスプレイの前面から５０ｃｍ程度先になる裸眼立体ディスプレイを用いる必要がある。
【０２６４】
裸眼立体ディスプレイから、３Ｄ映像適視位置が近ければ近いほど、立体の飛び出し量が少なくなり、立体による効果が半減する。タッチパネル操作者以外の画像提示対象者に立体映像を見せるためには、大画面の裸眼立体ディスプレイが必要である。そのため、裸眼立体ディスプレイの設置位置は、人だまりから一定の距離が必要である。
【０２６５】
しかし、タッチパネルと裸眼立体ディスプレイとの配置を完全に分離する構成であれば、３Ｄ映像適視位置に、裸眼立体ディスプレイを設置することが出来る。
【０２６６】
＜タッチパネルの詳細について＞
ショーウィンドウ等において用いられるタッチパネルの詳細を以下に説明する。
【０２６７】
タッチパネルとして、液晶ディスプレイなどに被せて用いるタイプのタッチパネルを用いることも出来るが、センサおよび配線をガラス表面に設置しなければならず、ショーウィンドウの美観を損ねてしまうという問題がある。
【０２６８】
そこで、図１１（ａ）に示すような、ＩＲーＬＥＤおよびＩＲカメラを用いたタッチパネルを使用した構成が望ましい。
【０２６９】
この構成では、プロジェクタからショーウィンドウの所定領域（タッチパネル領域）に対して、可視光を用いて映像（メニューなど）が投影される。さらに、ＩＲ−ＬＥＤからタッチパネル領域に対して、赤外線（ＩＲ）が照射される。照射された赤外線は、タッチパネルを透過するので、ＩＲ−カメラでは、黒い画像が撮影される。
【０２７０】
なお、プロジェクタとＩＲ−ＬＥＤとを兼用させる構成でもよい。兼用する構成では、プロジェクタから赤外線をショーウィンドウの所定領域に照射する。
【０２７１】
タッチパネル操作者がタッチパネル上をタッチすると、タッチ位置のみ赤外線が拡散反射する。この拡散反射をＩＲ−カメラにより撮影する。
【０２７２】
図１１（ｂ）において、タッチパネル操作者がタッチパネル上をタッチした際にＩＲカメラにより撮影される画像の例を示す。全体は黒い画像だが、タッチした位置のみが白くなっている。もちろん、タッチパネル面に接している指以外にも、タッチパネルの近傍にある他の指などにより拡散反射する赤外線も画像には含まれるが、焦点距離を調整するなどの方法により、誤認識を防ぐことが出来る。
【０２７３】
ＩＲ−カメラが撮影した画像を解析することにより、タッチパネル上における、タッチ位置を検出することが出来る。
【０２７４】
このようにして、画像の出力とタッチ操作の検出とを、タッチパネル（またはタッチパネルを設置した透明材料）の表面または周囲にセンサおよび配線などを設けること無しに行うことが出来る。
【０２７５】
なお、タッチパネルは、図１２に示すように、三角測量の原理を用いた、通常の画像認識方式により実現してもよい。この方式を用いる場合、例えば左上方および右上方の角に設置したカメラにより指の位置を撮影するが、指と、指の背景とが判別し易いように、ショーウィンドウの周りに、反射板等を設ける構成が好ましい。
【０２７６】
なお、本構成のタッチパネルは、グリッドシートであってもよい。この構成とすると、博物館、美術館、水族館、動物園など、展示物の前面にガラスがある場合、ガラス面に張られたグリッドシートにスキャナを用いてタッチすることにより、展示物の詳細な説明を見学者に行ったり、立体映像を見学者に見せたりすることが出来る。スキャナは、音声出力可能なブルートゥースのペンであってもよい。
【０２７７】
例えば、動物園において、暑さのためにシロクマが動かない時でも、代わりに、活発に動くシロクマの立体映像を見学者に見せることにより、見学者の満足度を向上させ、確実にリピータとなる入園者を増やすことが出来る。
【０２７８】
図１３〜図１４は、裸眼立体ディスプレイとタッチパネルとを組み合わせた、実施形態について説明する図である。
【０２７９】
図１３は、この構成の斜視図であり、画像提示対象者と、タッチパネルと、裸眼立体ディスプレイとの位置関係を示した図である。全体がショーウィンドウの窓（ガラス面）であり、その一部にタッチパネルが設置されている。ショーウィンドウの右側奥には、裸眼立体ディスプレイが設置されている。裸眼立体ディスプレイの３Ｄ適視位置はＬ＋Ｋである。
【０２８０】
前述の、一つの表示部５の領域を、立体映像表示領域とメニュー領域とに分け、メニュー領域にタッチパネルを設ける実施形態では、画像提示対象者の手が届く範囲に表示部５を置かなければならず、３Ｄ映像適視位置が裸眼立体ディスプレイの前面から５０ｃｍ程度先になる裸眼立体ディスプレイを用いる必要がある。
【０２８１】
裸眼立体ディスプレイから、３Ｄ映像適視位置が近ければ近いほど、立体の飛び出し量が少なくなり、立体による効果が半減する。タッチパネル操作者以外の画像提示対象者に立体映像を見せるためには、大画面の裸眼立体ディスプレイが必要である。そのため、裸眼立体ディスプレイの設置位置は、人だまりから一定の距離が必要である。
【０２８２】
しかし、タッチパネルと裸眼立体ディスプレイとの配置を完全に分離する構成であれば、３Ｄ映像適視位置に、裸眼立体ディスプレイを設置することが出来る。
【０２８３】
図１４は、タッチパネルの詳細について説明した図である。
【０２８４】
（ａ）は、液晶または有機ＥＬ系の薄型タッチパネルを用いた例である。この場合は、ショーウィンドウの内側にプロジェクタを設け、プロジェクタからタッチパネルに対して、可視光を用いて映像を投影する。詳細は、図１１に記載した通りである。
【０２８５】
（ｂ）は、加圧式タッチシートを用いた例である。加圧式タッチパネルは、シート状のタッチパネルであり、写真やイラストを印刷することが可能である。
（ｂ）は、そのような加圧式タッチパネルに４種類の携帯電話の写真を印刷したものである。
【０２８６】
（ｃ）は、タッチパネルとしてドットシートを用いた例である。ドットシートは、商品写真等を、紙やシート等の媒体上にドットパターンと重ねて印刷したものである。本実施例では、携帯電話の写真を、媒体上にドットパターンと重ねて印刷してある。画像提示対象者が写真をスキャナでタッチすることにより、写真に割り当てられた情報が読み取られ、読み取られた情報に対応した映像が、裸眼立体ディスプレイに表示される。
【０２８７】
なお、本実施例では、図１４（ａ）〜（ｃ）で説明したタッチパネルに限らず、他のタッチパネルやグリッドシート等、タッチパネルとしての機能を有するものであれば、何を用いてもよい。例として、静電式のタッチパネルが挙げられる。
＜円弧状スリットの詳細（その１）について＞
【０２８８】
図１５において、上述した、パララックスバリア２のスリットのエッジ形状が円弧状である構成について、また、図１６において、エッジ形状が楕円弧状である構成について、詳細に説明する。
【０２８９】
図１５（ａ）は、一つの画素における、Ｒ、Ｇ、Ｂの各サブピクセルの並びを示したものである。
【０２９０】
なお、ピクセル、画素、絵素は、通常、同じ意味において用いられ、１個のピクセルは、複数個のサブピクセルから構成されるが、以下の説明においては、単色の単位領域をサブピクセルと呼び、Ｒ、Ｇ、およびＢの各サブピクセルをまとめた単位領域を、ピクセルまたは画素と呼ぶこととする。すなわち、１画素は、ＲＧＢの３サブピクセルから構成されるとする。
【０２９１】
すなわち、図１５（ａ）に示す例は、１画素を、Ｒ、Ｇ、Ｂの３つのサブピクセルを水平方向に並べて構成するものである。左の例は、左からＲ、Ｇ、Ｂの順にサブピクセルが並び、中心の例は、左からＧ、Ｂ、Ｒの順であり、右の例は、左からＢ、Ｒ、Ｇの順に並んでいる。１画素の大きさは、高さｈおよび幅Ｗとする。
【０２９２】
図１５（ｂ）において、スリットを形成する各円の位置を説明すると、以下のとおりである。
【０２９３】
まず、各円の中心点の、各行内における垂直方向の位置は、各行の中心線上となり、各行の境目からの高さ方向の距離は、高さｈの半分、すなわち、０．５ｈとなる。
【０２９４】
なお、各円の中心点の、水平方向の位置は、どのような立体効果を得るように表現するかにより、１画素に対する配置が異なるので、一概には特定できない。図の例では、各行の円の中心点は、傾きθを用いてずらしてある。ただし、水平方向の円同士の中心点間の距離は、１画素の幅Ｗに対して、ビューポイントがｎ個ある設定では、Ｗｘｎとなる。
【０２９５】
また、各円の半径ｒも、パラメータであり、得ようとする立体効果を計算した上で、決定される必要があり、一概には特定できない。ビューミックスを多くするのであれば、半径ｒも大きくなり、ビューミックスを少なくするのであれば、半径ｒも小さくなる。もちろん、画素の大きさにも依存する。画素の大きさとビューミックスの度合い（立体効果の度合い）が関係する。
【０２９６】
各行の円弧は、各行の境目となる直線により接続されている。各行の境目となる水平方向の直線、すなわち各行の分割線において、各行の画素を分離することが望ましい。この構成により、ビューミックスを適切に制御し、視点の移動およびジャンプポイントによる違和感を緩和しつつ、立体効果の高い画像を、画像提示対象者に提示することが出来る。
【０２９７】
なお、ある行の片側の円弧だけが他の行に延びた構成では、左右の目に見える可視領域においてビューミックスの為に用いる他視点用の画素が、左右不釣り合いになり、立体画像が捻れて見える。
【０２９８】
図１６（ａ）において、スリットのエッジが円弧状である、別のスリットの例を示す。この例では、スリットのエッジは、円弧同士を、行の境目となる水平方向の分割線上において、直接接続した形である。図１５（ｂ）の、円弧の間を、直線により接続する例とは、分割線の一部を、エッジを構成する線分として、含んでいるか否かが異なる。
【０２９９】
円弧同士を分割線上において接続するためには、各行において、スリットの右側のエッジを構成する円弧の中心点と、スリットの左側のエッジを構成する円弧の中心点とをずらす必要がある。
【０３００】
そのため、右側の円弧の中心点は、各行の中心線とスリットの中心線との交点よりも、スリットの中心線上において上にずれ、左側の円弧の中心点は、スリットの中心線上において下にずれる。
【０３０１】
図１６（ｂ）において、スリットのエッジが楕円弧状である、別のスリットの例を示す。この例では、スリットのエッジは、楕円弧同士を、行の境目となる水平方向の分割線上において、直接接続した形である。
【０３０２】
この例では、各行の中心線と楕円の長軸との交点を、楕円の中心として示している。立体効果の度合いを定めるパラメータには、前記の円の場合のパラメータに加えて、楕円の離心率（０＜離心率＜１、離心率＝焦点間の距離／長径）も考慮する。楕円の離心率は、求める立体効果に基づき計算されるものであり、一概には定められない。
【０３０３】
円弧を接続する場合と同様に、楕円弧を定める２個の焦点は、右側の楕円弧ではスリットの中心線上を、上方にずれ、左側の楕円弧では、下側にずれる。
【０３０４】
なお、図１６（ｂ）では、楕円弧同士を、行の分割線上において直接接続しているが、図１５（ｂ）に示した例と同様に、各行の分割線を介して、楕円弧同士を接続する構成でもよい。
【０３０５】
本発明の特徴は、ディスプレイを構成する画素の配列の各行において、各行の中心線上が水平方向に最もふくらんでいるスリットを用いると、さらに滑らかな水平方向の視点移動が得られることである。
【０３０６】
図１６（ｃ）および図１６（ｄ）は、この特徴を有する他のスリットの構成例を示した図である。
【０３０７】
図１６（ｃ）において、スリットのエッジが楕円弧状である、別のスリットの例を示す。この例では、スリットのエッジ形状は、予め定められた４点により形成される平行四辺形に内接する楕円の楕円弧同士を、行の境目となる水平方向の分割線上において、直接接続した形である。
【０３０８】
その４点とは、すなわち、ある行において、該行の上側の分割線とスリットの中心線との交点から所定の距離Ａだけ、該分割線上を、右方向にずらした点と、左方向にずらした点と、該行の下側の分割線と該スリットの中心線との交点から所定の距離Ａだけ、該分割線上を、右方向にずらした点と、左方向にずらした点とである。
【０３０９】
なお、図においては、楕円の長軸がスリットの中心線とは異なる傾きを有する事と、楕円の２個の焦点の位置とを示している。
【０３１０】
なお、図１６（ｃ）では、楕円弧同士を、行の分割線上において直接接続しているが、図１５（ｂ）に示した例と同様に、各行の分割線を介して、楕円弧同士を接続する構成でもよい。
【０３１１】
図１６（ｄ）に示す構成では、スリットのエッジ形状は、各行の分割線上において接続されたスプライン曲線である。このスプライン曲線は、予め定められた３点を通るスプライン曲線として求められる。
【０３１２】
その３点とは、すなわち、ある行において、該行の上側の分割線とスリットの中心線との交点から所定の距離Ａだけ、該分割線上を、右方向にずらした点と、該行の中心線と該スリットの中心線との交点から所定の距離Ｂ（Ｂ＞Ａ）だけ、該中心線上を、右方向にずらした点と、該行の下側の分割線と該スリットの中心線との交点から所定の距離Ａだけ、該分割線上を、右方向にずらした点である。
【０３１３】
この３点により、右側のスプライン曲線が構成され、左側のスプライン曲線は、右側のスプライン曲線を、スリットの中心線と該行の中心線との交点を中心として、点対称なスプライン曲線として構成される。
【０３１４】
本発明の特徴は、楕円孤またはスプライン曲線を用いたスリットにおいて、その連結の接続点は、必ず行の分割線上に位置することである。これにより、前記と同様に立体画像の捻れを解消し、また、垂直方向の視点移動においても、連続的なビューミックスにより、次の行の画素まで滑らかに立体視することが可能となる。
【０３１５】
＜楕円弧状スリットの詳細（その２）について＞
図１７において、楕円弧状スリットの他の例を示す。前記の例とは、画素を構成する各サブピクセルの配置位置が異なる。すなわち、前記の例では、各サブピクセルが水平方向に並んでいたが、この例では、図１７（ａ）に示すように、一画素を構成する各サブピクセルが、斜め方向に並んでいる。
【０３１６】
なお、１行の高さｈは、１サブピクセルの高さｈとなり、１サブピクセルの幅ｍの３倍が１画素の幅となる。この構成では、水平方向の解像度は、３倍にすることが出来る。
【０３１７】
この構成では、１画素が斜め方向に長いので、円をつないだスリットを用いることは出来ず、図１７（ｂ）に示すように、３サブピクセルで構成される１画素全体を囲む楕円をつないだスリットを用いる事になる。
【０３１８】
また、図１７（ｃ）に示すような、１画素を構成する各サブピクセルをそれぞれ囲む楕円をつなぐ形状でもよい。
【０３１９】
なお、図１７（ｂ）および図１７（ｃ）においては、発明の理解のために、本来パララックスバリア２の不透明部により隠され、画像提示対象者には視認されない部分についても、記載を行っている。本明細書の他の図面についても同様である。
【０３２０】
また、いずれの図においても、パララックスバリア２のスリットを通して視認されるサブピクセルを、視認される状態を正確に再現するように、全て図示することも考えられるが、特徴点を強調するため、本来視認されるサブピクセルの一部を図示していなかったり、サブピクセルの配置を、説明に支障のない範囲において、ずらしていたり、どのサブピクセル同士が組になり画素を構成しているかを示したりしている点に注意が必要である。
【０３２１】
＜円弧状スリットの詳細（その３）について＞
図１８（ａ）において、各サブピクセルの配置の別の例を示す。この例では、Ｒのサブピクセルが左下にあり、ＧおよびＢのサブピクセルが並んでＲの右上にある。このようなサブピクセル配置に対して、複数の水滴状の曲線を接続した形状のスリットを採用してもよい。
【０３２２】
図１８（ｂ）において、２個の画素を組み合わせた場合に用いる楕円弧スリットのうち、１個の楕円を用いて２個の画素をカバーする配置を示す。
【０３２３】
また、図１８（ｃ）において、２個の画素を組み合わせた場合に用いる楕円スリットのうち、３個の楕円を用いて２個の画素をカバーする配置を示す。
【０３２４】
なお、図１８（ｂ）および図１８（ｃ）に示すスリットのエッジは、図１５（ｂ）と同様に、接続する弧の間を、水平方向の行の境目となる直線を介して接続する構成でもよい。
【０３２５】
＜ジャンプポイントの緩和（スリットと画素並びとのずれ）について＞
ジャンプポイントとは、少なくとも第１視点用の画像と、少なくとも第ｎ視点用（ｎ＝視点の数）の画像とを、左右別の目により見る際に生じる逆転現象（手前の物が奥に見え、奥の物が手前に見える現象）である。
【０３２６】
この逆転現象を緩和するには、スリットを通して、正常に見える画素の並びと逆転現象を生じさせる画素の並びとが混在して見えるようにすればよい。これによりビューミックスが生じ、見える画像が平均化されるので、多少見づらくなるものの、完全な逆転現象が回避できる。なお、ジャンプポイントの数を減らすには、視点の数を増やせばよい。
【０３２７】
＜ジャンプポイントを緩和する条件について＞
ジャンプポイントを緩和するために必要な点は、以下の３点である。
【０３２８】
第１の点は、行毎の画素を構成するサブピクセルの数を異ならせる点である。
【０３２９】
第２の点は、１画素を構成するサブピクセルの数が、行方向に同じ数である場合でも、複数の行に渡り１画素を構成するサブピクセルを配置する際に、階段状にして、１サブピクセル分ずらしたり、２サブピクセル分ずらしたりして、ずらし方を異ならせて配置する点である。
【０３３０】
第３の点は、スリット形状（スリット全体の配置形状およびスリットのエッジ形状）である。
【０３３１】
＜各種エッジ形状におけるビューミックス発生率について＞
まとめると、ビューミックス発生時には、以下の２つの事が同時に行われている。
【０３３２】
すなわち、（１）ジャンプポイントを解消する為に、スリットに沿って上下に異なる視点用の画素を、同時に目視し、平均化して見ることにより逆転現象をなくす事（厳密に言うと、スリットに沿って見える同一視点用の画素を、画像提示対象者が上から見る場合と下から見る場合とでずらすか、または、スリット全体の配置形状により、スリットに沿って見える画素を、別の視点用の画素として異ならせる）により、上下方向のビューミックスを行っている事と、（２）ジャンプポイントが解消するわけではないが、水平方向のビューミックスを発生させている事である。
【０３３３】
水平方向に移動するときは、当然ながら、画像提示対象者の位置に対応する視点用の画素だけを見ている訳ではないので、隣り合っている画素もビューミックスにより平均化して見えているので、画像が滑らかに変化していく。
【０３３４】
斜めのスリット形状の不利な点は、次のとおりである。
【０３３５】
すなわち、斜めスリットの配置方向が右上から左下の場合、左下および右上（スリットの方向が左上から右下の場合は、左上および右下）の、サブピクセルの三角形の部分の領域（以下、三角領域という）が見える。
【０３３６】
水平方向の視点移動では、三角領域がビューミックスに現れ、または、消えていく。
【０３３７】
特に、目の位置によって、上下の行にまたがって画素が視認される場合、注視点の左右に位置する、異なる行の三角領域に起因するビューミックスにより、少し大きめの視差が生じ、画像が二重に見えることがある。
【０３３８】
なお、注視点とは、画像提示対象者の左右それぞれの目から、スリットの中心を通り、画像表示面に達する直線を引いた場合、左目から引いた直線と画像表示面との交点が、左目の注視点となり、右目から引いた直線と画像表示面との交点が、右目の注視点となる。
【０３３９】
ところが、階段状のスリットでは、サブピクセルの幅に渡り均一にビューミックスが生じる。水平方向の視点移動では、新たに視認できるサブピクセルの面積が線形に増加し、一定の比率において、ビューミックスが発生していく。
【０３４０】
スリットのエッジ形状が楕円弧状の場合、注視点の左右に位置する、ビューミックスを発生させる領域の面積は、エッジ形状が階段状である場合に較べて小さいので、立体効果が高い。水平方向の視点移動では、最もふくらんだ部分からビューミックスが生じるので、新たに視認されるサブピクセルの面積は、カーブを描いて徐々に増加し、ビューミックスが発生していくという利点がある。
【０３４１】
エッジ形状が楕円弧のスリットにおいて、楕円弧同士を分割線上において接続した構成と、楕円弧同士を分割線の一部を含んで接続した構成との違いは、上下方向に視点が移動して見た時に、楕円弧が連続的である前者の構成のほうが、綺麗に、滑らかにビューミックスを発生させられる点である。
【０３４２】
＜ビューミックスの詳細について＞
まず、斜めにずらして並べた画素の並びに対して、斜めの階段状のスリットを用いることにより、１視点分の画素の幅以上を可視領域とし、スリットの幅を調整することにより容易にビューミックスを起こさせ水平方向の視点移動を滑らかにできる構成が考えられる。
【０３４３】
次に、斜めにずらして並べた画素の並びに対して、斜めの直線状のスリットを用いることにより、スリットの左右のどちらかの上部および下部（スリットの方向により異なる）からビューミックスが起こるようにした構成が考えられる。
【０３４４】
さらに、斜めにずらして並べた画素の並びに対して、楕円弧を斜めに繋げた形状のスリットを用いることにより、楕円の左右の腹部からビューミックスが起こるようにした構成が考えられる。この構成では、水平方向１行に一個の楕円弧が対応する配置とすると、ビューミックスの量を制御しやすい。
【０３４５】
＜斜めスリットについて＞
斜めスリットの使用時には２つの方法がある。
【０３４６】
一つの方法は、一つの画素を表現するために、水平方向に、異なる数とする方法である。具体的には、サブピクセルが、水平方向に、２個であったり、１個であったりする。１個のところは、別の視点用のサブピクセルが見えるので、ビューミックスが起こり、ジャンプポイントが緩和される。
【０３４７】
もう一つの方法は、前記と同じことを行っているが、スリットのエッジ形状を工夫することにより、一つのサブピクセルが徐々に見える様にする方法である。
【０３４８】
なお、前記では、ジグザグ形状を例に挙げて説明したが、スリットの中心線が正弦波曲線上に乗るようなスリットに対応させて、各視点用の画素の配置も、各画素の配置がほぼ正弦波曲線上に乗るように配置された、曲線形状でもよい。
【０３４９】
＜裸眼立体用の画像圧縮の方法について（その１）＞
一つの圧縮方法として、以下のものがある。
【０３５０】
まず着目すべき点として、２Ｄ画像と３Ｄ画像とでは、違いがあり、異なる圧縮方法を用いることが出来る点が挙げられる。
【０３５１】
第１の圧縮方法として、次の方法がある。
【０３５２】
モニタ面上に配置されているとして知覚される２Ｄの画像（３Ｄでは無いので、必然的に、モニタ面にある画像として知覚される。多くは実写画像。）は、視差がないので、通常の圧縮方法を用いて、完全に圧縮して構わない。第１の視点用から、例えば第６の視点用まで同じものを表示すればよい。
【０３５３】
第２の圧縮方法として、次の方法がある。
【０３５４】
飛び出して知覚される３Ｄ部分の画像に関しては、従来は、非圧縮ファイルしか扱えなかったので、別々に作成された画像を、リアルタイムでブレンドしていた。しかし、この方法では、計算用のリソースを多く必要とする欠点があった。特にハイビジョン映像の扱いが大変であった。
【０３５５】
なお、ブレンドとは、１つのフレームバッファの中に、全ての視点用の画像データを混ぜて配置し、パララックスバリアのスリットから見ると、立体に見えるように配置する方法のことである。ＲＧＢマッピングともいう。
【０３５６】
そこで、ブレンドした画像を適切に圧縮すればよい。そうすれば、リアルタイムでブレンドする必要は無くなる。本願にかかる発明は、圧縮済みのファイルを再生する際に用いる方法の発明である。
【０３５７】
通常、２Ｄ実写映像をモニタ面に表示し、３Ｄのコンピュータグラフィックス（ＣＧ）映像をモニタ面より前に表示する。すなわち、モニタ面上の位置に知覚される２Ｄ実写映像は、視差を考える必要が無い。そこで、２Ｄ映像とする映像に関しては、視差がないので、普通に圧縮して、解凍した時に、全ての視点用の画素の表示内容として同じ表示内容を並べればよい。それ故、画像の圧縮が出来る。
【０３５８】
３Ｄ部分については、ある視点用の画像を基準として、他の視点用の画像は、基準とした画像との差分を取っていく。
【０３５９】
差分の取り方としては、第１の視点用画像と第２の視点用画像との差分をとり、第２の視点用画像と第３の視点用画像との差分をとる、隣の画像同士の差分をとる方法がよい。常に第１の視点用との差分を取ると、例えば、第１と第６の視点用画像の差分は大きくなり過ぎるからである。
【０３６０】
基準とする画像は、第１の視点用を用いてもよいし、例えば全部で６視点ある場合は、第６の視点用を用いてもよいし、中間の第３の視点用を用いて第１の視点方向および第６の視点方向に、隣り合う視点用同士の差分を取っていってもよい。
【０３６１】
次に着目すべき点として、３Ｄ部分の画素数が少ないことが挙げられる。すなわち、３Ｄ部分とする領域が小さい。
【０３６２】
そこで、以下に説明する第３の圧縮方法を用いることが出来る。
【０３６３】
例えば、画素数が３００Ｘ３００であるとすると、全部で９万画素になる。また、カラーを２４ビットで表現しているので、１７００万色ある。９万画素であれば、２４ビット使う必要は無い。
【０３６４】
例えば、画素数が２００×２００であるとすると、全部で４万画素になる。４００００という数字は６５０００という数字よりも小さい。６５０００という数字は、１６ビットである。
【０３６５】
すなわち、どれだけ色数が多くても、１６ビット分である。各画素が表す色が異なっていたとしても、１６ビットしか使用しない。
【０３６６】
通常、２００×２００の画素が全て異なることはあり得ない。また、近い色は同じ色を用いて近似することが出来る。
【０３６７】
そこで、色情報は８ビットのみを用いて表現し、カラールックアップテーブルを用いる。このテーブルの各エントリに、色番号と用いるＲ、Ｇ、Ｂ値との対応を登録しておく。
【０３６８】
例えば、カラー番号１は、Ｒ値が２０、Ｇ値が３６、Ｂ値が１２０となる。そして、ＲＧＢ値が近い色は、このカラー番号１を用いて近似する。
【０３６９】
このようにして、３Ｄ部分のデータを圧縮することが出来る。
【０３７０】
さらに、第４の圧縮方法として、３Ｄ部分の時間軸方向における圧縮が考えられる。
【０３７１】
表示されている３Ｄ画像が、時間と共に変化するものでなければ、たとえ各視点用の画像の視差が大きくても、時間方向にデータを圧縮することが出来る。圧縮方法は、例えば、ＭＰＥＧと同様の方法を用いることが出来る。
【０３７２】
前記の各圧縮方法を用いて圧縮した２Ｄおよび３Ｄの画像データは、再生時に解凍され、次いで合成され、再生される。
【０３７３】
＜画像フォーマットについて（その１）＞
立体映像の構成は、大部分の２Ｄ映像の上に、一部、３Ｄ映像を重ねて構成されている。２Ｄの画像と３Ｄの画像とを区別して処理するためには、どの部分が２Ｄであり、どの部分が３Ｄであるかを判断するための情報が必要である。その為に、マスクを用いることが出来る。
【０３７４】
マスクは、１ビットでよい。以下、マスクビットと呼ぶ。
【０３７５】
例えば、図１９（ａ）に示すように、表示する１枚の画像のうち、３Ｄの立体画像となる部分は、各画素のマスクビットを１とし、２Ｄの画像部分では、各画素のマスクビットを０とする。この例では、中央の携帯電話機の部分および右上のロゴの部分が３Ｄ画像となっている。
【０３７６】
すなわち、マスクビットが０であれば、第１視点用から、例えば第５視点用まで、同じ画素情報を持たせればよいので、ブレンド処理が簡単になる。マスクビットが１であれば、該当する領域に対し、第１視点から第５視点までの各視点用の画像データをブレンドする必要がある。
【０３７７】
例えば、図１９（ｂ）に示すように、記録に用いるＡＶＩファイルの１画面分のフレームを、３×３の領域に分け、上から１行目、左から、第１の視点用、第２の視点用、第３の視点用の画像を格納し、上から２行目、左から、第４の視点用、第５の視点用の画像を格納する。
【０３７８】
そして、これら５個の画像のうち、マスクビットが１である部分のみ、ブレンドを行えばよい。
【０３７９】
なお、図１９（ｃ）において示すように、例えば、第１の視点から、第５の視点まで有る場合、各視点用のカメラを水平方向に５個配置し、撮影することにより、各視点用の画像を得ることが出来る。
【０３８０】
携帯電話がカメラ側に置いてあれば、手前に飛び出す画像となり、中央であれば、立体感は無く、カメラから遠い側に置いてあれば、奥に引っ込む画像となる。
【０３８１】
撮影データは、例えばＡＶＩファイルとし、各視点用のＡＶＩデータを図１９（ｂ）の分割された各領域に割り当てることにより、お互いに干渉しない、立体映像用のＡＶＩデータを作成することが出来る。
【０３８２】
前記のマスクビットがあれば、各視点用の画像内の、どの部分が３Ｄであるかを、画素あたり１ビットの情報量のみで判断出来る。
【０３８３】
＜画像フォーマットについて（その２）＞
前記の画像フォーマットでは、１フレーム内の各視点用の画像領域に、２Ｄ画像と３Ｄ画像とマスクビットとを有していたが、１フレーム内の、分割された各画像領域に、３Ｄ用画像と、２Ｄ画像とを分けて保持してもよい。
【０３８４】
例えば、図２０（ａ）に示すように、２行３列に領域分割して、各視点用の領域には、３Ｄ部分の画像のみを格納し、背景（２Ｄ）となる部分は、右下の領域にマスクを兼用させて格納するフォーマットがある。なお、マスク情報を保持する領域を背景部分の画像領域と兼用させ、全てを１枚の画像に格納する以外に、１枚の画像とマスク情報のみが格納されたマスク用画像とを、別に用意する構成でもよい。
【０３８５】
なお、３Ｄ部分と２Ｄ部分とを区別するために、マスク情報を用いる以外に、３Ｄ部分のみの画像領域においては、３Ｄ以外の箇所は、例えば、ＲＧＢ値が全て０である黒とし、３Ｄ部分の黒は、ＲＧＢ値がそれ以外の黒を用いるようにして、区別してもよい。
【０３８６】
図２０（ｃ）は、２Ｄ画像用を別ファイルとし、３Ｄ画像ファイルの、フレームを分割した各領域に、３Ｄ画像とマスクを兼ねた黒色領域とを持たせるフォーマットの例である。
【０３８７】
また、マスク情報は、前記のように、背景となる２Ｄ画像部分と兼用させてもよいし、各視点用の３Ｄ画像に持たせてもよい。
【０３８８】
２Ｄと兼用する部分には、各視点用に共通する、最大公約数的なマスク情報のみを記録し、視点毎に異なるマスク情報は、それぞれの視点用の画像領域に持たせるフォーマットでもよい。
【０３８９】
各視点用の３Ｄ画像にマスク情報も持たせることにより、より正確な画像合成、ブレンドを行うことが出来る。
【０３９０】
背景画像部分では、例えば５視点分のマスク情報を保持するので、１画素あたり５ビットがマスク情報用に用いられる。
【０３９１】
もし、５ビット分のマスク情報と、本来の背景画像の情報とを同じ画像領域に保持することが難しい場合は、「画像フォーマットについて（その１）」において説明したフォーマットを応用し、図２０（ｂ）に示すように、５視点分の２Ｄおよび３Ｄ画像の領域と、右下の５視点分（５ビット）のマスク情報のみを保持する領域とからなるフォーマットを用いてもよい。
【０３９２】
なお、動かす３Ｄ部分のみ、ＣＧにより作成し、リアルタイムでブレンドする構成でもよい。３Ｄのリアルタイムとは、１／３０秒あるいは１／６０秒で絵を計算し、表示するものである。この場合、通常のＣＧエンジンを用いて３ＤのＣＧをリアルタイムで作成した後、前記の６分割のフォーマットの３Ｄ画像部分の分割領域に流し込めばよい。
【０３９３】
１フレームを９分割し、８視点分の画像を入れることも出来る。その際、残りの分割領域が無駄になるので、３行を等分割するのではなく、例えば、１行目および２行目の高さを１とすると、３行目の高さを２／３とすることにより、全ての領域に８視点分の画像を格納することが出来る。９視点であれば、等分割すればよい。
【０３９４】
このように、視点の数が分割の数より少ない場合でも、空いた分割領域に、２Ｄ画像を入れたり、マスク情報を入れたりすると、画像領域を有効に使うことが出来る。
【０３９５】
＜画像フォーマットについて（その３）＞
マスクを使う場合、実写の画像が有るほうが好ましい。前記の分割された各領域のそれぞれに２Ｄ画像が入っていた場合、３Ｄ部分とのすれがそれぞれの視点用画像において異なる。それ故、異なったずれの部分は、各視点用の画像を参照しなければならない。
【０３９６】
例えば、第１の視点用画像において、本来ならば見える箇所が見えなくなっている事が考えられる。最大公約数的なマスクをかける場合、本来は必要である「ずれ」の部分を考慮する必要がある。
【０３９７】
そこで、２Ｄ画像を分割した領域の中に置いておいたほうがよい。しかもマスクもあったほうがよい。
【０３９８】
図２１は、４視点のフォーマット例である。６分割し、４視点用の３Ｄ画像と、スクリーン面の位置に表示される画像として知覚される２Ｄ画像と、４視点分のマスク情報（２Ｄ画像用のマスク情報を含んでもよい）とが格納される。
【０３９９】
図２２は、５視点のフォーマット例である。１行目の高さを「１」とすると、２行目および３行目の高さは、「２／３」となっている。そして、２行目および３行目の中央の領域は、上下に分割され、「１／３」の高さとなる。これら「１／３」の高さの部分を、それぞれ、両側の領域に足すことにより、５視点分の領域と、スクリーン面に位置する２Ｄ画像と、５視点分のマスク情報（２Ｄ画像のマスク情報を含んでもよい）とが揃う。
【０４００】
図２３に示す６視点用フォーマット例、図２４に示す７視点用フォーマット例、図２５に示す８視点用フォーマット例も同様である。なお、全てが３Ｄ画像である場合は、スクリーン面に位置する２Ｄ画像は不要である。
【０４０１】
このようなフォーマットを用いることにより、手間をかけずにブレンドを行うことが出来る。
【０４０２】
＜マスク情報の圧縮時の注意点について＞
前記各フォーマットは、各分割された領域に、各視点用の画像のＡＶＩファイルを納めた、統合ＡＶＩファイルである。ＡＶＩファイルは、データ圧縮を行っているため、圧縮処理および解凍処理により、マスク位置がずれてしまう。
【０４０３】
そこで、解凍処理後に、正常なマスク情報となるように、元の画像を作成する事が重要である。そして、解凍した時に、各ビットがマスクになるように、処理前の情報を作成しておけばよい。
【０４０４】
なお、前記の説明は、不可逆圧縮に適用されるものであり、可逆圧縮の場合は、正常なマスク情報をそのまま圧縮および解凍すればよい。
【０４０５】
＜マスク内のフラグについて＞
映像によっては、３Ｄ画像が無い部分がある。その場合、例えば５視点のフォーマットであれば、第１から第５の視点用の３Ｄ画像部分と、５視点分のマスク情報が不要である。
【０４０６】
そこで、マスク内に、３Ｄの画像が無い事を示すフラグを設け、そのフラグを立てる事により、３Ｄ画像部分に関する、解凍処理、ブレンド処理などを省略することが出来る。そして、２Ｄ画像部分のみを映像として表示すればよい。
【０４０７】
＜裸眼立体用の画像圧縮の方法について（その２）＞
マスクを用いて、映像を時間方向に圧縮する方法について説明する。このマスクを以下では、時間方向圧縮マスクと呼ぶ。
【０４０８】
画像内において、各画素につき、時間方向に比較し、１フレーム前と同じ画素値（Ｒ、Ｇ、Ｂ）である事を示す、各視点用の時間方向圧縮マスクを用いる圧縮方法である。
【０４０９】
前記では、２Ｄ画像についてマスクを用いることを述べた。さらに、３Ｄ画像部分であっても、背景であれば、時間の経過にかかわらず変化しない場合がある。例えば、珊瑚礁の海（奥行きがあるが動かない３Ｄ映像）の中を、魚（動く３Ｄ映像）が泳ぐ場合などである。
【０４１０】
この圧縮方法により、時間方向圧縮マスクに、時間方向に変化がないという情報を示すフラグを入れておけば、前のフレームの画素情報をそのまま流用出来るので、新たに画素情報を持たせる必要がない。
【０４１１】
例えば、ある画素につき、時間方向圧縮フラグとして１が立っていれば、画素情報は変化していることを表し、０であれば、その部分については、フレームバッファを更新する必要は無い。
【０４１２】
＜時間方向圧縮マスクの圧縮について（その１）＞
以下において、時間方向圧縮マスク自体を圧縮する方法について説明する。スキャンライン方向の圧縮である。
【０４１３】
所定のスキャンラインにおいて、マスク領域の先頭に、マスク画素数を定義するものである。
【０４１４】
図２６に示すように、時間方向圧縮マスクは、魚の部分は１であり、それ以外の部分は全て０である。魚の部分のみが動くので、魚の部分の画素のみを更新すればよい。
【０４１５】
＜ビューミックス、飛び出し度、および鮮明度の関係について＞
円弧（楕円弧）を形成する際には、以下の指針で行う。
【０４１６】
まず第１に、円弧の直径を大きくすると、ビューミックスの領域が増え、ジャンプポイントにおける画像のずれが低下し、見えづらい位置が減少する。但し、飛び出し度が小さくなり、多少、全体的にボケた画像となる。
【０４１７】
次に、直径を小さくすると、ビューミックスの領域が少なくなり、ジャンプポイントにおける画像のずれが大きくなり、見えづらい位置がはっきりする。但し、飛び出し度が大きくなり、鮮明な画像となる。
【０４１８】
＜ブレンドと圧縮について（その１）＞
裸眼立体表示に、ハイビジョン（１９２０×１０８０）の解像度を持つディスプレイを用いる場合、各視点用の画素のブレンド方法として、以下のものを用いることが出来る。
【０４１９】
なお、以下の説明では、例として、６個の視点を持つ場合を考えている。
【０４２０】
まず、第１の、画素構成およびブレンド方法の例を説明する。
【０４２１】
各視点用の画素を構成するＲ、Ｇ、Ｂの各サブピクセルの配置は、図２７（ａ）に示す例のように、１行内に１画素を構成するＲ、Ｇ、Ｂのサブピクセルが配置された構成である。この例では、６視点分のサブピクセル配置が分かり易いように、各視点用の画素を水平方向に離して描いているが、実際には、水平方向に連続したものである。
【０４２２】
なお、この図では、例えば、第１の視点用の画素を構成するサブピクセルの並びは、上から１行目では、左から、Ｇ、Ｂ、Ｒの順であるが、２行目では、左から、Ｒ、Ｇ、Ｂの順であり、３行目では、左から、Ｂ、Ｒ、Ｇの順である。
【０４２３】
図２７（ｂ）において、圧縮前の第ｋ視点用画像における画素の配置を示す。例えば、「１１」という表示は、圧縮後の画像における第１行第１列に位置する画素を表す。
【０４２４】
図２７（ｃ）において、図２７（ｂ）に示す画像から、第ｋ視点以外の視点用である部分（図において斜線で示している）を省いて、圧縮した画像を示す。
【０４２５】
このブレンド方法では、ブレンド前の圧縮映像の解像度は、以下の計算により求めることが出来る。
【０４２６】
ディスプレイの水平方向の解像度は１９２０であり、視点数は６であり、１行あたり１つの画素を表すために、このブレンド方法では、３サブピクセルを用いるので、以下の計算式が成り立つ。
【０４２７】
（１９２０×３）／（３×６）  ＝  ３２０
すなわち、圧縮画像の水平方向の解像度として、３２０を用いることが出来る。
【０４２８】
また、ディスプレイの垂直方向の解像度は１０８０であり、垂直方向には視点数は１であり、１列あたり１つの画素を表すために、１行を用いるので、垂直方向の解像度は、１０８０のままである。
【０４２９】
図２７（ｃ）に示すように、圧縮画像のｍ行ｎ列の画素に対し、ｋ番目の視点用の画素を、ｋＰｍｎと表すとする。
【０４３０】
図２８において、具体的なサブピクセル単位の配置を示す。
【０４３１】
第１の、画素構成およびブレンド方法の例と同様に、ずれを解消するために、図２７（ｂ）における第ｋ視点用の画素の配置がなされている。例えば、「１１」、「２１」、「３１」の画素が同じ列に配置され、「４１」、「５１」、「６１」の画素が１列左側の列に配置されている。
【０４３２】
＜ブレンドと圧縮について（その２）＞
次に、第２の、画素構成およびブレンド方法の例を説明する。
【０４３３】
各視点用の画素を構成するＲ、Ｇ、Ｂの各サブピクセルの配置は、図２９（ａ）に示す例のように、２行にまたがる配置をとり、第１の視点用の画素であれば、２行目にＲのサブピクセル、その右上１行目にＧのサブピクセル、その右のＢのサブピクセルという配置を取る。右隣の第２の視点用は、左から、Ｇ、Ｂ、右上に行き、Ｒの順となる。
【０４３４】
この例では、６視点分のサブピクセル配置が分かり易いように、各視点用の画素を水平方向に離して描いているが、実際には、水平方向に連続したものである。
【０４３５】
図２９（ｂ）において、圧縮前の第ｋ視点用画像における画素の配置を示す。
【０４３６】
図２９（ｃ）において、図２９（ｂ）に示す画像から、第ｋ視点以外の視点用である部分（図において斜線で示している）を省いて、圧縮した画像を示す。
【０４３７】
このブレンド方法では、ブレンド前の圧縮映像の解像度は、以下の計算により求めることが出来る。
【０４３８】
ディスプレイの水平方向の解像度は１９２０であり、視点数は６であり、１行あたり６つの画素を表すために、このブレンド方法では、９サブピクセルを用いるので、以下の計算式が成り立つ。
【０４３９】
（１９２０×３）／９  ＝  ６４０
すなわち、圧縮画像の水平方向の解像度として、６４０を用いることが出来る。
【０４４０】
また、ディスプレイの垂直方向の解像度は１０８０であり、垂直方向には視点数は１であり、１列あたり１つの画素を表すために、２行を用いるので、垂直方向の解像度は、１／２になるので、以下の計算式が成り立つ。
【０４４１】
１０８０／２  ＝  ５４０
図２９（ｃ）に示すように、圧縮画像のｍ行ｎ列の画素に対し、ｋ番目の視点用の画素を、ｋＰｍｎと表すとする。
【０４４２】
図３４において、具体的なサブピクセル単位の配置を示す。
【０４４３】
また、図３０は、圧縮画像の１つの画素と、ハイビジョンディスプレイ上においてブレンド処理された後の、その１つの画素に対応するサブピクセルグループとの対応も示している。
【０４４４】
この図に示すように、圧縮画像の、ある列の画素の並びに対して、このブレンド方法では、１行目のサブピクセルグループの位置に対し、２行目のサブピクセルグループは、左に３サブピクセル分だけずれており、３行目のサブピクセルグループは、２行目のサブピクセルグループに対し、右に６サブピクセルだけすれている。
【０４４５】
３行目のサブピクセルグループは、１行目のサブピクセルグループに対し、右方向に、３サブピクセルだけずれている。
【０４４６】
このずれを解消するために、図２９（ｂ）における第ｋ視点用の画素の配置がなされている。例えば、「１１」の画素の２行下、１列左に「２１」の画素が配置され、その２行下、２列右に「３１」の画素が配置されている。
【０４４７】
＜ブレンドと圧縮について（その３）＞
次に、第３の、画素構成およびブレンド方法の例を説明する。
【０４４８】
図３１（ａ）に示すように、各視点用の画素を構成するＲ、Ｇ、Ｂの各サブピクセルの配置は、３行にまたがる配置をとり、第１の視点用の画素であれば、上から３行目にＲのサブピクセル、その右上２行目にＧのサブピクセル、その右上にＢのサブピクセルという配置を取る。隣の第２の視点用は、下から、Ｇ、Ｂ、Ｒの順となる。この例では、６視点分のサブピクセル配置が分かり易いように、各視点用の画素を水平方向に離して描いているが、実際には、水平方向に連続したものである。
【０４４９】
図３１（ｂ）において、圧縮前の第ｋ視点用画像における画素の配置を示す。例えば、「１１」という表示は、圧縮後の画像における第１行第１列に位置する画素を表す。
【０４５０】
図３１（ｃ）において、図３１（ｂ）に示す画像から、第ｋ視点以外の視点用である部分（図において斜線で示している）を省いて、圧縮した画像を示す。
【０４５１】
このブレンド方法では、ブレンド前の圧縮映像の解像度は、以下の計算により求めることが出来る。
【０４５２】
ディスプレイの水平方向の解像度は１９２０であり、視点数は６であり、１行あたり１つの画素を表すために、以前は３サブピクセルを用いたが、このブレンド方法では、１サブピクセルのみを用いるので３倍である。以下の計算式が成り立つ。
【０４５３】
１９２０×３／６  ＝  ９６０
すなわち、圧縮画像の水平方向の解像度として、９６０を用いることが出来る。
【０４５４】
また、ディスプレイの垂直方向の解像度は１０８０であり、垂直方向には視点数は１であり、１列あたり１つの画素を表すために、以前は１行で表現していたが、このブレンド方法では、３行を用いるので、垂直方向の解像度は、１／３になる。以下の計算式が成り立つ。
【０４５５】
１０８０／３  ＝  ３６０
すなわち、圧縮画像の垂直方向の解像度として、３６０を用いることが出来る。
【０４５６】
図３１（ｃ）に示すように、圧縮画像のｍ行ｎ列の画素に対し、ｋ番目の視点用の画素を、ｋＰｍｎと表すとする。
【０４５７】
図３２において、具体的なサブピクセル単位の配置を示す。
【０４５８】
また、図３２は、圧縮画像の１つの画素と、ハイビジョンディスプレイ上においてブレンド処理された後の、その１つの画素に対応するサブピクセルグループとの対応も示している。
【０４５９】
この図に示すように、このブレンド方法では、１行目のサブピクセルグループの位置に対し、２行目のサブピクセルグループは、左に３サブピクセルだけずれており、３行目のサブピクセルグループは、２行目のサブピクセルグループに対し、右に３サブピクセルだけずれている。１行目および３行目のサブピクセルグループ同士は、水平方向のずれは無い。
【０４６０】
このずれを解消するために、図３１（ｂ）における第ｋ視点用の画素の配置がなされている。例えば、「１１」の画素の３行下、１列左に「２１」の画素が配置され、その３行下、一列右に「３１」の画素が配置されている。
＜関連パラメータ間の関係について＞
【０４６１】
裸眼立体表示装置における、視覚的な立体効果の度合いに関係する各パラメータ間の関係を以下において、図３３を参照しながら、説明する。
【０４６２】
画像表示面（画像発光部５ｄ表面）からパララックスバリア面までの空隙距離Ｚを決定するには、後述する方法により行うとよい。
【０４６３】
空隙距離Ｚを決定するために、画像提示対象者が概ね集まる位置を想定してベストビューポイントとし、裸眼立体表示装置のモニタ面（パララックスバリア面）からベストビューポイントまでの距離を、ベストビューポイント距離（ＢＶＰ距離）Ｌとして設定する。
【０４６４】
また、パララックスバリアのスリットの水平方向の幅である、スリット幅Ｓを決定するには、後述する方法により行うとよい。
【０４６５】
空隙距離Ｚを決定するために、画像提示対象者の左右それぞれの目により、スリットを通して視認される、画像表示面上の表示画像の水平方向の領域を、水平方向可視領域長Ｖとして設定する。
【０４６６】
左右の目の間隔を視差Ｗとする。視差Ｗは、欧米人であれば６５ｍｍ、アジア人であれば７０ｍｍ、また、子供であれば５０から６０ｍｍとして設定すればよい。
【０４６７】
図３３（ａ）において、各パラメータである、空隙距離Ｚ、ＢＶＰ距離Ｌ、スリット幅Ｓ、水平方向可視領域長Ｖ、および視差Ｗの位置関係を示す。
【０４６８】
さらに、注視点および注視点間距離Ｖ／２を、以下の方法により、決定する。
【０４６９】
まず、画像提示対象者の両目の位置を、図３３（ａ）に示す状態になるように、設定する。図３３（ａ）に示す状態とは、右目により視認される水平方向可視領域と、左目により視認される水平方向可視領域とが、重ならずに連続している状態である。
【０４７０】
例えば、画像提示対象者が、図３３（ａ）に示す状態より、裸眼立体表示装置に接近すると、前記両方の水平方向可視領域は、連続せず、離れてしまう。また、画像提示対象者が、図３３（ａ）に示す状態より、裸眼立体表示装置から離れると、前記両方の水平方向可視領域は、重なってしまう。
【０４７１】
次に、図３３（ｂ）に示すように、画像提示対象者の左右それぞれの目から、スリットの中心を通り、画像表示面に達する直線を引く。左目から引いた直線と画像表示面との交点が、左目の注視点となり、右目から引いた直線と画像表示面との交点が、右目の注視点となる。注視点は、それぞれの目の水平方向可視領域の中央に位置する。
【０４７２】
従って、左右の目の注視点間距離は、Ｖ／２となる。
【０４７３】
以上により、各パラメータを定義したので、計算により、空隙距離Ｚおよびスリット幅Ｓを求める。
【０４７４】
図３３（ｂ）から分かるように、Ｚ：Ｌと（Ｖ／２）：Ｗとの間には、以下の数式により表される関係がある。
【０４７５】
【数１】
2010007787.tif 000003
【０４７６】
従って、空隙距離Ｚは、以下の数式（１）により表される。
【０４７７】
【数２】
2010007787.tif 000004
【０４７８】
また、図３３（ａ）から分かるように、Ｓ：ＷとＺ：（Ｌ＋Ｚ）との間には、以下の数式により表される関係がある。
【０４７９】
【数３】
2010007787.tif 000005
【０４８０】
従って、スリット幅Ｓは、以下の数式（２）により表される。
【０４８１】
【数４】
2010007787.tif 000006
【０４８２】
数式（１）を数式（２）に代入すると、以下の式になる。
【０４８３】
【数５】
2010007787.tif 000007
【０４８４】
従って、スリット幅Ｓは、以下の数式（３）により表される。
【０４８５】
【数６】
2010007787.tif 000008
【０４８６】
水平方向可視領域長Ｖを設定するには、楕円弧スリットを用いる場合、左右それぞれの目により視認される、水平方向の可視領域において、１つまたは複数の走査線（行）上の１つまたは複数の視点を表現する、１つまたは複数のサブピクセルにより構成される、幅Ｄ、高さＨの画素が、楕円弧にピッタリ収まる楕円弧式を求める。（図３４参照）
なお、ピッタリ収まるとは、画素の最外周部が楕円弧からはみ出さないように、楕円弧と接している状態である。
【０４８７】
楕円弧式は、以下の数式（４）により表される。
【０４８８】
【数７】
2010007787.tif 000009
【０４８９】
ここで、ｂ、ａの比として、画素の縦横比を用いると、ｂ＝（Ｈ／Ｄ）ａとなり、数式（４）に代入すると、以下の数式（５）が得られる。
【０４９０】
【数８】
2010007787.tif 000010
【０４９１】
従って、以下の数式（６）が得られる。
【０４９２】
【数９】
2010007787.tif 000011
【０４９３】
Ｐ（Ｄ／２，Ｈ／２）を数式（６）に代入すると、以下のようになる。
【０４９４】
【数１０】
2010007787.tif 000012
【０４９５】
【数１１】
2010007787.tif 000013
【０４９６】
従って、以下の数式（７）が得られる。
【０４９７】
【数１２】
2010007787.tif 000014
【０４９８】
これを、数式（５）に代入すると、以下の数式（８）が得られる。
【０４９９】
【数１３】
2010007787.tif 000015
【０５００】
ここで、水平方向の楕円弧の最大幅を示すＫ（ｘ，ｙ）は、ｙ＝０であるから、数式（８）より、以下のようになる。
【０５０１】
【数１４】
2010007787.tif 000016
【０５０２】
従って、以下の数式（９）が得られる。
【０５０３】
【数１５】
2010007787.tif 000017
【０５０４】
図３５（ａ）に示すように、可視領域の中央において、左右の目により視認される可視領域の楕円弧の最大幅が、画素に接するように設定する場合、数式（９）の結果より、以下の数式が得られる。
【０５０５】
【数１６】
2010007787.tif 000018
【０５０６】
従って、水平方向可視領域長Ｖは、以下の数式（１０）により求められる。
【０５０７】
【数１７】
2010007787.tif 000019
【０５０８】
また、図３５（ｂ）に示すように、可視領域の中央において、左右の目により視認される可視領域の画素同士が接する場合、数式（９）の結果より、水平方向可視領域長Ｖは、以下の数式（１１）により求められる。
【０５０９】
【数１８】
2010007787.tif 000020
【０５１０】
図３５（ａ）に示す構成例の特徴は、異なる視点用の画素を左右の目によりそれぞれしっかり視認することが出来るため、立体効果が大きいが、その結果、特に前に飛び出している画像については、わずかに見づらい場合がある点である。
【０５１１】
一方、図３５（ｂ）に示す構成例の特徴は、異なる視点用の画素が、完全にそれぞれ左右の目により視認されるものの、一部が重なって視認されるため、立体効果がわずかに低減する点である。しかし、その分、飛び出ている画像も滑らかな画像として視認される。
【０５１２】
いずれの構成例においても、ベストビューポイントに位置する画像提示対象者に対し、適切な立体効果を提供できることから、水平方向可視領域長Ｖの範囲は、以下の範囲が、最も適切な水平方向可視領域長Ｖの範囲である。
【０５１３】
すなわち、
【０５１４】
【数１９】
2010007787.tif 000021
【０５１５】
から
【０５１６】
【数２０】
2010007787.tif 000022
【０５１７】
の範囲である。
【０５１８】
しかし、多少見づらくなるが、さらに立体効果を高めたい場合は、Ｖ≒１．４１×２Ｄを上回る水平方向可視領域長Ｖを設定すればよい。
【０５１９】
また、立体効果は多少低減するが、さらに見やすくしたい場合は、Ｖ≒１．２０５×２Ｄを下回る水平方向可視領域長Ｖを設定すればよい。
【０５２０】
斜め直線状のスリットを用いた場合には、最も推奨される値として、前記２つの値の平均値となる、Ｖ≒１．３×２Ｄを用いることが好ましい。
【０５２１】
当然であるが、いずれの場合でも、ベストビューポイントよりも裸眼立体表示装置に近づけば、立体効果は高くなり、見えづらくなる。さらに近づき、視差の限界点を超えれば、立体として認識できなくなる。また、ベストビューポイントよりも裸眼立体表示装置から遠ざかると、立体効果は低減し、さらに遠ざかると、完全に立体効果は無くなる。
【０５２２】
楕円弧形状のエッジを有するスリット（楕円弧スリット）の特徴は、画像提示対象者が裸眼立体表示装置に向かって水平移動した時に、徐々に次の視点の画像が見えるようにして、極めて滑らかに、視点移動を行うことが出来る事である。
【０５２３】
前記の水平方向可視領域長Ｖの算定方法は、楕円弧スリットの特徴を利用した方法であるが、従来の斜め帯状スリットや斜め階段状スリットにおいても、この水平方向可視領域長Ｖの算定方法を用いれば、同様に、前述した適切な立体効果を得ることが出来る。
【０５２４】
なお、図３６に示す例では、
【０５２５】
【数２１】
2010007787.tif 000023
【０５２６】
となる。
【０５２７】
隣り合う画素を左右の目により見る場合は、Ｍ＝２Ｄであり、
【０５２８】
【数２２】
2010007787.tif 000024
【０５２９】
となる。
【０５３０】
次に、Ｖ≦３Ｄの場合を、図３７に示す。
【０５３１】
可視領域の両端に位置した画素を左右の目により見る場合は、Ｍ＝Ｖ−Ｄであり、
【０５３２】
【数２３】
2010007787.tif 000025
【０５３３】
となる。
【０５３４】
次に、Ｖ＞３Ｄの場合を、図３８に示す。Ｌは、
【０５３５】
【数２４】
2010007787.tif 000026
となる。
【０５３６】
＜立体視可能な最大距離の算定＞
次に、モニタ面（マスク面）からどの距離Ｌｆまでであれば、適正な立体効果が得られるかを算定する。
【０５３７】
図２９に示すように、少なくとも視点の異なる画素が左右の目により見ることが出来る最小の水平方向可視領域長Ｖは、２×（画素の幅Ｄ）である。ここで左右の注視点を、Ｃｒ、Ｃｌとすると、Ｃｒ、Ｃｌから可視領域の左、右の近い方の端部までをα、左右の注視点間距離をβとすると、以下の式が成り立つ。
【０５３８】
【数２５】
2010007787.tif 000027
【０５３９】
ここで、
【０５４０】
【数２６】
2010007787.tif 000028
【０５４１】
また、
【０５４２】
【数２７】
2010007787.tif 000029
より、
【０５４３】
【数２８】
2010007787.tif 000030
【０５４４】
数式（１４）を数式（１３）に代入すると、
【０５４５】
【数２９】
2010007787.tif 000031
【０５４６】
となる。
【０５４７】
次に、数式（１５）を数式（１２）に代入すると、
【０５４８】
【数３０】
2010007787.tif 000032
【０５４９】
従って、
【０５５０】
【数３１】
2010007787.tif 000033
【０５５１】
【数３２】
2010007787.tif 000034
となる。
【０５５２】
この立体視適性距離Ｌｆだけ離れた位置までが、左右の目が異なる視点の画素を見ることが出来る限界である。そして、この距離を超えると立体の効果が著しく低減し、２Ｄ画像に見えてくる。
【０５５３】
ここで、設計視差Ｗより視差が大きい人では、モニタ面よりさらに離れても立体効果が得られるし、子供のように視差が小さいと、もっと手前までしか立体効果が得られないことは言うまでもない。
【０５５４】
また、モニタ面に対して、顔が正面を向いていない場合、実効視差が小さくなり、同様に、もっと手前までしか立体効果が得られない。
【０５５５】
以上の事から、パララックスバリアを設計する際に、この位置まで立体で見せたいという、立体視適正距離を基に、前述の式を逆算して設計することが出来る。
【０５５６】
＜立体視可能な最小距離の算定＞
次に、モニタ面（マスク面）に対し、どの距離Ｌｎまで近づいても適正な立体効果が得られるかを算定する。
【０５５７】
本算定は、コンテンツの作成方法により、大きく異なる為、光学的に数式化することは難しい。画像提示対象者がモニタ面に対して水平に移動する際に、複数の視点の画素および／またはその一部を見て、１つの視点の画素として平均化して見えるビューミックスを生じながら視点移動するには、隣り合う異なる視点の画像に大きな視差があると、二重に見えてしまい、ビューミックスが生じない。
【０５５８】
そのため、コンテンツを制作する際に、２眼の立体のように目前まで飛び出るように対象物を配置しないで、カメラの注視点より、少しだけ手前に配置して立体感を抑えて、実写撮影またはＣＧによりレンダリングする。
【０５５９】
ところが、そのために被写体やカメラワークの演出が損なわれてしまう。２眼の立体撮影・レンダリングではカメラ間距離を人の視差と同様に６５ｍｍ程度取るが、裸眼立体では、自然な演出に対応するため、隣り合うカメラ間距離を２〜３ｃｍ内外にして撮影する。
【０５６０】
前述したように、撮影・レンダリング時の隣り合うカメラ間距離を２〜３ｃｍ内外にした場合、図４０に示すように、可視領域の左右端部に幅Ｄの画素が配置された状態において、その画素の中心間の距離をβとすると、図４１に示すように、モニタ面（マスク面）から画像提示対象者までの距離Ｌｎは、
【０５６１】
【数３３】
2010007787.tif 000035
ここで、β＝ＶーＤなので、
【０５６２】
【数３４】
2010007787.tif 000036
【０５６３】
となる。
【０５６４】
この算定結果は、撮影・レンダリング時の隣り合うカメラ間距離を２〜３ｃｍ内外にした場合の結果と概ね同一であり、本制作条件での立体視適性距離の算定式として、充分実用になる。
【０５６５】
この距離より、さらにモニタ面に近づくと視差が強くなり、像を結ぶことができず、二重、三重に見えて、見づらい画像となる。
【０５６６】
ここで、視差の小さい子供やモニタ面に対して少し左右どちらかに顔を振って見ると、さらにモニタ面に近づいても立体効果が得られる。
【０５６７】
なお、この位置から立体として見せたいという条件でパララックスバリアを設計するには、当該距離を基にして、本算定式から逆算して設計することが出来る。
【０５６８】
以上のことから、立体視適性範囲は、図４２に示すように、立体視適性距離Ｌｎから立体視適性距離Ｌｆまでの範囲である。
【０５６９】
＜各パラメータを用いた実施例１＞
解像度１９２０×１０８０のフルハイビジョン４０インチディスプレイを対象とする。１インチは２５．４ｍｍなので、このディスプレイの表示面の幅は、以下のように計算される。
【０５７０】
【数３５】
2010007787.tif 000037
【０５７１】
従って、Ｒ、Ｇ、Ｂの各サブピクセルの幅は、以下のように計算される。
【０５７２】
【数３６】
2010007787.tif 000038
【０５７３】
ＢＶＰ距離Ｌを、モニタ面から２．５ｍとし、視差Ｗを６５ｍｍとし、視点数を６とする。
【０５７４】
図４３に示すように、１行内に位置し、水平方向に連続したサブピクセル３個により、１つの視点用の画素を表現する場合、水平方向可視領域長Ｖの最適範囲は、以下の範囲となる。
【０５７５】
Ｖ  ＝  ２×（１．２０５〜１．４１）×（０．１５３７×３）
≒  １．１１１３〜１．３００３ｍｍ
従って、空隙距離Ｚは、以下の範囲となる。
【０５７６】
Ｚ  ＝  （１．１１１３〜１．３００３）×２５００／（２×６５）
≒  ２１．３７１２〜２５．００５８ｍｍ
スリット幅Ｓは、以下の範囲となる。
【０５７７】
Ｓ  ＝  （１．１１１３〜１．３００３）×６５／
（２×６５＋（１．１１１３〜１．３００３））
≒  ０．５５０９〜０．６４３７ｍｍ
視点数６であるから、単位当たりの、水平方向のマスク幅と水平スリット幅との合計は、以下の値になる。なお、マスク幅とは、スリット間の不透明部分の幅の事である。
【０５７８】
６×０．１５３７×３  ＝  ２．７６６６ｍｍ
従って、マスク幅は、以下の範囲となる。
【０５７９】
２．７６６６  ー  （０．５５０９〜０．６４３７）
＝  ２．２１５７〜２．１２２９ｍｍ
ここで、Ｖ＝１．３×２Ｄとした場合のモニタ面（マスク面）からの立体視適性範囲Ｌｎ〜Ｌｆを求めると、以下のとおりである。
【０５８０】
Ｖは、以下の計算により求まる。
【０５８１】
【数３７】
2010007787.tif 000039
【０５８２】
Ｚは、以下の計算により求まる。
【０５８３】
【数３８】
2010007787.tif 000040
【０５８４】
Ｓは、以下の計算により求まる。
【０５８５】
【数３９】
2010007787.tif 000041
【０５８６】
それ故、Ｌｎは以下の計算により求まる。
【０５８７】
【数４０】
2010007787.tif 000042
【０５８８】
また、Ｌｆは以下の計算により求まる。
【０５８９】
【数４１】
2010007787.tif 000043
【０５９０】
すなわち、Ｌｎは約２．０ｍであり、Ｌｆは約４．６ｍである。
【０５９１】
以上から、モニタ面（マスク面）から約２．０〜４．６ｍまでが、立体視適正範囲である。
【０５９２】
＜各パラメータを用いた実施例２＞
図４４に示すように、１行当たり水平方向に連続した２サブピクセルを２行分用いて、合計４個のサブピクセルにより、１つの視点用の画素を表現する場合、水平方向可視領域長Ｖの最適範囲は、以下の範囲となる。
【０５９３】
Ｖ  ＝  ２×（１．２０５〜１．４１）×（０．１５３７×２）
≒  ０．７４０８〜０．８６６９ｍｍ
従って、空隙距離Ｚは、以下の範囲となる。
【０５９４】
Ｚ  ＝  （０．７４０８〜０．８６６９）×２５００／（２×６５）
≒  １４．２４６２〜１６．６７１２ｍｍ
スリット幅Ｓは、以下の範囲となる。
【０５９５】
Ｓ  ＝  （０．７４０８〜０．８６６９）×６５／
（２×６５＋（０．７４０８〜０．８６６９））
≒  ０．３６８３〜０．４３０６ｍｍ
視点数６であるから、水平方向のマスク幅と水平スリット幅との合計は、以下の値になる。
【０５９６】
６×０．１５３７×２  ＝  １．８４４４ｍｍ
従って、マスク幅は、以下の範囲となる。
【０５９７】
１．８４４４  −  （０．３６８３〜０．４３０６）
＝  １．４７６１〜１．４１３８ｍｍ
【０５９８】
ここで、Ｖ＝１．３×２Ｄとした場合のモニタ面（マスク面）からの立体視適性範囲Ｌｎ〜Ｌｆを求めると、以下のとおりである。
【０５９９】
Ｖは、以下の計算により求まる。
【０６００】
【数４２】
2010007787.tif 000044
【０６０１】
Ｚは、以下の計算により求まる。
【０６０２】
【数４３】
2010007787.tif 000045
【０６０３】
Ｓは、以下の計算により求まる。
【０６０４】
【数４４】
2010007787.tif 000046
【０６０５】
それ故、Ｌｎは以下の計算により求まる。
【０６０６】
【数４５】
2010007787.tif 000047
【０６０７】
また、Ｌｆは以下の計算により求まる。
【０６０８】
【数４６】
2010007787.tif 000048
【０６０９】
すなわち、Ｌｎは約２．０ｍであり、Ｌｆは約４．６ｍである。
【０６１０】
以上から、モニタ面（マスク面）から約２．０〜４．６ｍまでが、立体視適正範囲である。
【０６１１】
＜各パラメータを用いた実施例３＞
図４５に示すように、第１の行の、１行当たり水平方向に連続した２サブピクセルと、第２の行の、１行当たり１サブピクセルと、合計２行、合計３個のサブピクセルにより、１つの視点用の画素を表現する場合、水平方向可視領域長Ｖの最適範囲は、以下の範囲となる。
【０６１２】
なお、この場合、水平方向に用いられるサブピクセルの個数は、平均１．５個である。
【０６１３】
Ｖ  ＝  ２×（１．２０５〜１．４１）×（０．１５３７×１．５）
≒  ０．５５５６〜０．６５０２ｍｍ
従って、空隙距離Ｚは、以下の範囲となる。
【０６１４】
Ｚ  ＝  （０．５５５６〜０．６５０２）×２５００／（２×６５）
≒  １０．６８４６〜１２．５０３８ｍｍ
スリット幅Ｓは、以下の範囲となる。
【０６１５】
Ｓ  ＝  （０．５５５６〜０．６５０２）×６５／
（２×６５＋（０．５５５６〜０．６５０２））
≒  ０．２７６６〜０．３２３５ｍｍ
視点数６であるから、水平方向のマスク幅と水平スリット幅との合計は、以下の値になる。
【０６１６】
６×０．１５３７×１．５  ＝  １．３８３３ｍｍ
従って、マスク幅は、以下の範囲となる。
【０６１７】
１．３８３３  ー  （０．２７６６〜０．３２３５）
＝  １．１０６７〜１．０５９８ｍｍ
【０６１８】
ここで、Ｖ＝１．３×２Ｄとした場合のモニタ面（マスク面）からの立体視適性範囲Ｌｎ〜Ｌｆを求めると、以下のとおりである。
【０６１９】
Ｖは、以下の計算により求まる。
【０６２０】
【数４７】
2010007787.tif 000049
【０６２１】
Ｚは、以下の計算により求まる。
【０６２２】
【数４８】
2010007787.tif 000050
【０６２３】
Ｓは、以下の計算により求まる。
【０６２４】
【数４９】
2010007787.tif 000051
【０６２５】
それ故、Ｌｎは以下の計算により求まる。
【０６２６】
【数５０】
2010007787.tif 000052
【０６２７】
また、Ｌｆは以下の計算により求まる。
【０６２８】
【数５１】
2010007787.tif 000053
【０６２９】
すなわち、Ｌｎは約２．０ｍであり、Ｌｆは約４．６ｍである。
【０６３０】
以上から、モニタ面（マスク面）から約２．０〜４．６ｍまでが、立体視適正範囲である。
【０６３１】
＜各パラメータを用いた実施例の補足事項＞
以上、楕円弧スリットの特徴を利用した、水平方向可視領域長Ｖの算定に基づき、パララックスバリアの設計計算を行った。
【０６３２】
なお、スリットのエッジ形状としては、楕円弧だけではなく、斜め帯状または斜め階段状の各種スリットのいずれかを用いてもよい。
【０６３３】
＜楕円弧のエッジ形状の特徴点について＞
パララックスバリアのエッジ形状に楕円弧を用いることにより、画像提示対象者が視点を移動させない場合、本来の視点用の画素が視認されると共に、ビューミックスを発生させる為に、本来の視点用の画素の両側にある、他の視点用の画素も、一部視認される。
【０６３４】
遠くなり、視差が出る画像ほど、面積が小さくなるように、楕円弧を形成している点である。
【０６３５】
階段状であれば、視差が遠くなる場合でも、影響が出てしまう。
注視点から離れた、他の視点用の画素によるビューミックスは楕円弧の形状により、少なくなるので、極端な場合であれば、視差を生じさせないようにしつつ、ビューミックスを発生させる点がポイントである。
【０６３６】
前記において説明したように、モニタ面の近くから、画像提示対象者が画像を見る場合、本来見える画素より外側の画素が、多く見えてしまう。
【０６３７】
すなわち、特に近くから見た場合に、注視点の左右の、他の視点用の画素が視認されてしまうので、像が結像しなくなってしまう場合がある。それ故、そのような場合に、スリットのエッジ形状が楕円弧であれば、注視点から遠い他の視点用の画素に関しては、ビューミックスへの影響が少なくなる。
【０６３８】
従来、ある一定の距離Ｌｎから一定の距離Ｌｆまでの範囲であれば、画像提示対象者は、立体を視認することが出来、距離Ｌｆよりモニタ面から離れると、立体感は無くなるが、２次元画像が視認されるので、画像が視認できないということは無かった。しかし、画像提示対象者が、距離Ｌｎよりモニタ面に近づくと、画像は見えなくなってしまう。
【０６３９】
以上のことより、本発明の、エッジ形状が楕円弧形状であるスリットは、モニタに極めて近い場所から画像提示対象者が画像を見る場合に、有効な技術である。
【０６４０】
＜穴型パララックスバリアについて＞
裸眼立体視のための可視光を透過する領域である、パララックスバリアのスリットは、連続しており、そのエッジ形状が直線状、楕円弧状、スプライン曲線状などである構成がまず考えられる。しかし、パララックスバリアを用いて裸眼立体効果を起こすには、以下に述べる、他の構成を用いることも出来る。
【０６４１】
その構成とは、パララックスバリアのスリットの役割を、文字通りの連続した可視光透過領域であるスリットに担わせる代わりに、独立しており、かつ、ブレンドされたサブピクセルの１個または数個に対応した可視光透過領域を、複数個配置することにより、担わせる構成である。要するに、本発明の可視光透過領域とは、可視光を透過しない面に可視光を透過する領域として、複数設けられた穴である。
【０６４２】
＜穴型パララックスバリア設計の概略について＞
図４９において示すように、まず、画像提示対象者は、ベストビューポイントに位置していると仮定する。片眼の有効可視領域の幅をＤ（上記の説明に基づけば、片眼分の水平方向可視領域長として１／２Ｖとなる）とし、可視光透過領域の幅をＳとし、画素配列面からパララックスバリアまでの距離をＺとし、パララックスバリアからベストビューポイントまでの距離をＬとすると、Ｓ／Ｄ＝Ｌ／（Ｌ＋Ｚ）なので、Ｓ＝ＬＤ／（Ｌ＋Ｚ）となる。
【０６４３】
なお、ベストビューポイントに位置するとは、以下の３条件が満たされているということである。すなわち、（１）画像提示対象者の右目は、パララックスバリアのスリットを通して、画素配列面の有効可視領域Ｄｒを視認し、画像提示対象者の左目は、パララックスバリアのスリットを通して、画素配列面の有効可視領域Ｄｌを視認する。そして、（２）有効可視領域Ｄｒと有効可視領域Ｄｌとは、互いに接している。（３）有効可視領域Ｄｒと有効可視領域Ｄｌとは、重なっていない。
【０６４４】
次に、片眼ずつの有効可視領域を、画素配列面において、定める。有効可視領域は、画素平均幅（後述）と１画素を構成するサブピクセルの高さとから求めることが出来る。
【０６４５】
次に、画素配列面において定まった有効可視領域に対応する、パララックスバリア上の矩形領域を定める。この矩形領域は、画像提示対象者の片眼と有効可視領域とを結んだ四角柱の、パララックスバリア面での断面に相当するので、有効可視領域と相似形となる。
【０６４６】
次に、矩形領域の上下および／または左右の辺に内接する可視光透過領域を定める。
【０６４７】
次に、定めた可視光透過領域を、画素配列面において、裸眼立体表示用にブレンドされたサブピクセルの配列に合わせて、複数配置する。
【０６４８】
なお、オプションとして、可視光透過領域を、矩形領域の高さを保ったまま、矩形領域の左右の辺を斜めに倒して平行四辺形とする変形に合わせて、変形させてもよい。矩形領域を平行四辺形とする変形は簡単なので、矩形領域内の可視光透過領域がどのような形状であっても容易に変形出来ると共に、可視光透過領域を斜めに変形させる事により、より多くのサブピクセルのブレンド配置に対しても、より適切に対応可能な穴型パララックスバリアを設計することが出来る。
【０６４９】
すなわち、可視光透過領域の設計は、ローカル座標系を用いて行い、パララックスバリア上に、各可視光透過領域を配置する際は、可視光透過領域の中心点を、パララックスバリア全体の絶対座標系を用いて配置する。
【０６５０】
なお、画素配列面上の有効可視領域に基づき、パララックスバリア上の可視光透過領域を定める際、可視光透過領域の鉛直方向の大きさは、相似形とする代わりに、有効可視領域と同一としてもよい。この構成により、画像提示対象者が視認する立体画像において、画像の上下方向の連続性を確保することが出来る。
【０６５１】
＜画素平均幅の計算方法について＞
以下の、可視光透過領域の設計方法の説明において用いる画素平均幅Ｄの計算方法について述べる。画素平均幅Ｄは、ディスプレイの画素配列面において、ブレンドされた立体画像用のサブピクセルの配置のうち、１視点用の１画素を構成するサブピクセルの水平方向の平均個数のことである。
【０６５２】
なお、各視点用の画素を構成するサブピクセルの配置が、視点ごとに異なる場合は、異なる配置を組み合わせた最小単位の画素数を用いて算定する。
【０６５３】
例えば、図５０（ａ）に示す例では、１画素を構成する３個のサブピクセルのうち、２個が１つの行にあり、残りの１個が上下隣り合う行に配置されている。
【０６５４】
２画素分のサブピクセル数が６であり、行数が２であり、画素数が２であるので、画素平均幅Ｄは、（２画素分のサブピクセル数）／（行数×画素数）＝６／（２×２）＝３／２（個）となる。
【０６５５】
また、図５０（ｂ）に示す例では、３画素分のサブピクセル数が１２であり、行数が３であり、画素数が３であるので、画素平均幅Ｄは、１２／（３×３）＝４／３（個）となる。
【０６５６】
また、図５０（ｃ）に示す例では、明らかに、画素平均幅Ｄは、３（個）である。
【０６５７】
また、図５０（ｄ）に示す例では、明らかに、画素平均幅Ｄは、２（個）である。
【０６５８】
また、図５０（ｅ）に示す例では、明らかに、画素平均幅Ｄは、１（個）である。
【０６５９】
＜可視光透過領域の設計方法について＞
以下において、穴型パララックスバリアにおける、個々の可視光透過領域の設計方法の詳細を説明する。
【０６６０】
（１）まず、１個の画素を構成するサブピクセルの水平方向の平均個数と大きさとから、画素平均幅Ｄを求める。幅Ｐおよび高さＨのサブピクセルを考え、１個の画素における水平方向の平均サブピクセル数をαとすると、画素平均幅Ｄは、Ｄ＝αＰにより求められる。
【０６６１】
（２）次に、画素の水平方向可視領域長をＶとすると、片眼の水平方向可視領域長は、１／２Ｖとなる。
【０６６２】
ここで、立体視を行う為には、画素平均幅を含む、画素の少なくとも一部が、片眼により視認できる事が必要である。何故なら、左右の目を用いて、相異なる２つの視点用相当の画素を、別々に視認できないと立体効果が得られないからである。
【０６６３】
また、画素２個の幅の全部が、片眼により視認できない事も必要である。何故なら、片眼により２つの視点用相当の画素が見えてしまうと、画像が二重に見えてしまうからである。
【０６６４】
それ故、片眼の水平方向可視領域長１／２Ｖ（＝０．５Ｖ）が取り得る値の範囲は、Ｄ≦１／２Ｖ＜２Ｄとなる。
【０６６５】
（３）次に、片眼の水平方向可視領域長１／２Ｖは、取り得る値の範囲がＤ≦１／２Ｖ＜２Ｄであることから、両端の値の中間値である１．５Ｄを用いて、１／２Ｖ＝１．５Ｄとすることが望ましい。
【０６６６】
なお、画素平均幅Ｄの乗数は、可視光透過領域の形状と、サブピクセルのブレンド方法と、上下の画素の連結方法（隣り合う画素同士の配置位置の関係）とにより異なる。
【０６６７】
具体的には、画素平均幅が小さければ、Ｄの乗数は小さい。画素の連結方法により、１個の画素内での複数のサブピクセルの配置の傾きに較べて、複数の可視光透過領域同士の配置の傾きの方が大きく倒れているほど、Ｄの乗数は大きくなる。
【０６６８】
なお、両端がすぼんでいる様な形状では、片眼による１つの視点用相当の画素の注視点を中心に、左右の画素が離れた領域ほど、視認できる画素の面積が小さくなり、ジャンプポイントの影響が少なくなるようにビューミックスが生じるので、ジャンプポイントを適度に低減することが出来る。
【０６６９】
（４）次に、矩形領域（Square Area）ＳＡは、幅が水平方向可視領域長１／２Ｖであり、高さがＨ以内である１個の片眼の有効可視領域（Single eye's Effective Viewable Area）ＳＥＶＡを収めるように形成される。片眼の有効可視領域ＳＥＶＡの一部が、スリットの代わりとなる１個の可視光透過領域を通して片眼により視認される領域となる。
【０６７０】
なお、図５１において、有効可視領域を設計する際のサイズを示す。
【０６７１】
片眼の有効可視領域ＳＥＶＡが大きいほど、パララックスバリアの難点である輝度の低下が改善されるので、裸眼立体ディスプレイの輝度を確保する為には、片眼の有効可視領域ＳＥＶＡを納める矩形領域ＳＡの高さを、高さＨとすることが望ましい。
【０６７２】
（５）次に、矩形領域ＳＡに収まる可視光透過領域の形状は、左右対称および／または上下対称であることが望ましい。何故なら、左右両側に位置する画素が均一に視認されるので、安定したビューミックスを生じさせ、立体視特有の目の疲れを低減させることが出来るからである。
【０６７３】
また、上下方向に配置される複数の可視光透過領域を同形状とする事により、画像の連続性を維持する事が出来る。
【０６７４】
なお、立体をシャープに表現するには、片眼の有効可視領域ＳＥＶＡが、画像提示対象者の視点の移動に伴って、片眼の注視点の中心から左右に離れるに従い、片眼の有効可視領域ＳＥＶＡの面積が縮小する変化率が大きいことが望ましい。
【０６７５】
ジャンプポイントを低減し、ディスプレイの輝度を確保するには、可視光透過領域の面積が大きいほど望ましい。従って、同時に、立体をシャープに表現し、ジャンプポイントを低減し、かつ、ディスプレイの輝度を確保するには、上記の２つの条件を備える形状の可視光透過領域であることが望ましい。
【０６７６】
＜個々の可視光透過領域の具体的な形状について＞
上記の説明により、パララックスバリア上に形成される、スリットの代わりとなる複数の可視光透過領域において、個々の可視光透過領域が満たすべき条件を定めた。
【０６７７】
次に、これらの条件を満たす、個々の可視光透過領域の形状の具体例を説明する。なお、立体効果を損なわない範囲であれば、全ての可視光透過領域の形状を同一の形状としてもよいし、個々の可視光透過領域の形状を互いに異ならせたものとしてもよい。
【０６７８】
よりシャープな立体画像を得て、眼が疲れないビューミックスによりジャンプポイントを低減し、ディスプレイの輝度を確保するには、片眼の有効可視領域ＳＥＶＡが片眼の注視点の中心から左右に離れても、片眼の有効可視領域ＳＥＶＡの面積が縮小する変化率を大きくし、可視光透過領域の面積が出来るだけ大きく、可視光透過領域のエッジ形状が、左右対称であったり、上下対称であったりすることが望ましい。
【０６７９】
個々の可視光透過領域の形状としては、楕円を用いてもよいし、三角形、菱形などを用いてもよいし、六角形、八角形などの偶数角を持つ多角形を用いてもよいし、金平糖のような形状を用いてもよい。
【０６８０】
また、隅角部が所定の円周率の円弧を用いて描かれる多角形でもよい。
【０６８１】
もちろん、楕円、菱形、偶数角を持つ多角形、金平糖のような形状を配置する際には、上下対称および／または左右対称として配置することが望ましい。
【０６８２】
図５２において、可視光透過領域の具体的な形状を示す。図５２（ａ）が四角形、（ｂ）が四角形（菱形）、（ｃ）および（ｄ）が六角形、（ｅ）が八角形、（ｆ）から（ｊ）までが、（ａ）から（ｅ）までの図形を変形し、さらに矩形領域ＳＡの四隅の角部が所定の円周率となる円弧を用いて描いた多角形の例である。
【０６８３】
なお、矩形領域を平行四辺形に変形する場合、可視光透過領域は、上下対称または左右対称とはならないが、その場合でも、変形前の矩形領域内に可視光透過領域を設定する際に、上下対称および／または左右対称となるように、可視光透過領域を設定することが望ましい。
【０６８４】
＜矩形領域の変形の詳細について＞
矩形領域を平行四辺形に変形する際、矩形領域の高さを保ったまま、矩形領域の左右の辺を斜めに倒して平行四辺形に変形する。
【０６８５】
この時、斜めに倒す角度を角度θとし、各視点用の画素の配置の傾き、すなわちパララックスバリア上における可視光透過領域の配置の傾きを角度θ１とし、一画素内の各サブピクセルの配置の傾きを角度θ２とする（１画素を構成する複数のサブピクセルが２行以上に渡って配置される場合）と、角度θが取り得る範囲は、垂直すなわち角度０から、角度θ１および角度θ２のうち、いずれか大きい方までの範囲であることが望ましい。
【０６８６】
また、裸眼立体効果を最も得る為には、角度θは、角度θ１と角度θ２との間の値であることが、特に望ましい。
【０６８７】
図５３（ａ）に示すように、変形前の矩形領域のある点の座標を（ｘ，ｙ）とすると、変形後の座標は、（ｘ＋ｙｔａｎθ，ｙ）となる。
【０６８８】
なお、図５３（ｂ）に示すように、実際の変形は、矩形領域の中心点の位置を変えないように、上辺および下辺を等量だけ、反対方向にずらして行う。
【０６８９】
なお、図５３（ｃ）に示すように、矩形領域の変形は、平行四辺形への変形以外に、矩形領域をその中心点を中心として回転し、長辺および短辺の長さを調整する変形でもよい。
【０６９０】
この変形では、矩形領域を角度θだけ回転させた状態において、矩形領域の大きさの変形に関し、幅を１／２Ｖｃｏｓθとし、高さをｈ／ｃｏｓθとすることにより、水平方向の幅として可視領域長１／２Ｖを維持しつつ、上下に配置される矩形領域同士が連結されるように伸縮することが望ましい。
【０６９１】
＜複数の可視光透過領域の配置について＞
複数の可視光透過領域は、垂直方向に直線上に配置してもよいし、斜め方向の直線上に配置してもよいし、上記において説明したようなジグザグ形状に配置してもよい。
【０６９２】
但し、複数の可視光透過領域の配置状態に応じて、各視点用のサブピクセルのブレンド方法を調整する必要がある。なお、具体的なブレンド方法については、後述する。
【０６９３】
＜穴型パララックスバリアの具体例について＞
穴型パララックスバリアの具体的な実施例を３ケースのブレンド配列を示す。さらに１ケースのブレンド方法当たり、２通りの矩形領域（四角形および平行四辺形）について示す。以下の例では、可視光透過領域の形状は、楕円弧とする。
【０６９４】
なお、矩形領域を平行四辺形とした場合の特徴は、立体を鮮明に見せるため、可視光透過領域が狭い場合でも、ビューミックスを実現して、水平方向に視点を移動しても、ジャンプポイントに至るまで立体効果を維持でき、ジャンプポイントも多少緩和することが出来る。
【０６９５】
但し、可視光透過領域が左右非対称になるため、目に疲労を生じさせる場合があると考えられる。
【０６９６】
ケース１では、３行３サブピクセルにより構成されるブレンド配置に対応した可視光透過領域の配置の傾きが、画素を構成するサブピクセルの配置の傾きと同一となるように、上下方向に連結されている。
【０６９７】
それ故、立体の飛び出し度も大きく、鮮明に見えるものの、水平方向に視点を少し移動すると、立体が見えづらくなる。
【０６９８】
＜可視光透過領域の求め方について＞
画素配列面上の有効可視領域から、パララックスバリア上の可視光透過領域を求める際には、ベストビューポイントにおける画像提示対象者のいずれか一方の眼を基点として、有効可視領域と相似形となる可視光透過領域を求める。
【０６９９】
この際、水平方向には、相似形とすることに問題は無いが、垂直方向には、相似形とすると、図５４（ａ）に示す状態となる。
【０７００】
図５４（ａ）においては、図の左側にある、実線により表された大きな楕円は、設計時の画素配列面上の２個の有効可視領域を表す。その右側にある実線により表された小さな楕円は、パララックスバリア上に形成される２個の可視光透過領域を表す。
【０７０１】
図の右側の３個の視点のうち、上側および下側の視点は、各可視光透過領域を設計する際に用いる視点である。中央の視点は、実際に画像を見る際の視点である。
【０７０２】
なお、有効可視領域を収める矩形領域が、平行四辺形への変形または回転伸縮による変形を施されている場合には、長軸方向（長辺方向）に延長して、有効可視領域の垂直方向の高さを維持することが望ましい。
【０７０３】
＜選択等に関与するパラメータ＞
なお、ブレンド方法を選択するに際し、プレーヤ（ブレンド処理プログラム）は、設置されたパララックスバリアシートの種類を、例えば予め作成し配布されているパララックスバリアシートとブレンド方法との組み合わせを記述したテーブルを参照し、ブレンド方法を選択する。
【０７０４】
パララックスバリアシートを特定のディスプレイ用に製造する場合、ディスプレイの解像度、ピクセル幅、およびマルチビューの視点数をパラメータとして、パララックスバリアシートを製造する。
【０７０５】
＜パララックスバリアシートの製造方法＞
パララックスバリアは、通常、可視光を透過しないマスク面と、可視光を透過するスリット面から構成される。スリット面を残してマスク面のみを形成することにより、パララックスバリアが形成される。
【０７０６】
本発明にかかるパララックスバリアシートでは、パララックスバリアのマスク面を透明媒体に直接、印刷等により、形成してもよい。（レーザプリンタまたはオフセット印刷によるダイレクトプリント）
この方法では、最初に透明薄膜シートにパララックスバリアを印刷し、その後、透明薄膜シートを透明媒体に貼り付ける方法に較べ、工程を一つ削減することが出来る。また透明薄膜シートの伸縮を考慮しなくて済む。但し、透明媒体にパララックスバリアを直接形成する際には、透明媒体に対し、パララックスバリアのスリットの傾きが所望の値となるように、適切に制御する必要がある。
【０７０７】
なお、パララックスバリアを透明媒体に直接形成する際に、グラビア印刷を用いることが望ましい。
【０７０８】
もちろん、従来と同様に、最初に、透明薄膜シートにパララックスバリアを形成し、その後、透明薄膜シートを透明媒体に貼付する方法により、パララックスバリアシートを製造してもよい。
【０７０９】
なお、写真フィルム（ネガ）に直接焼き付ける、露光印刷による方法でもよい。この方法では、直接光により露光してパララックスバリアを形成するので、極めて高精度のパララックスバリアを、直接、ネガフィルムである透明シート上に形成することが出来る。
【０７１０】
穴型パララックスバリアであれば、パンチングメタルと同様なので、特に有効である。
【０７１１】
もちろん、本発明に係るパララックスバリアシートの形成に限らず、通常のパララックスバリアを形成する際にも、パララックスバリアと電磁波シールドとを兼用させる構成は、部品点数の削減および製作工程の削減が出来るという観点から有効である。
＜遊技ゲーム機の構成＞
本発明の遊技ゲーム機は、図５５に示す通り、入力部と、検知部と、計時部と、ゲーム制御部と、映像制御部と、輝度制御部と、裸眼立体映像表示部と、で構成される。
【０７１２】
入力部は、遊技ゲーム機のプレイヤーによる操作を受け付け、ゲーム制御部および映像制御部に入力信号を送る。
【０７１３】
検知部は、遊技ゲーム機の盤面上の遊技球の位置および／または軌道を検知する。また、遊技ゲーム機のプレイヤーの有無を検知してもよい。検知部は、検知した結果を検知信号としてゲーム制御部および映像制御部に送る。
【０７１４】
計時部は、遊技ゲーム機のプレイ時間を計測して、ゲーム制御部および映像制御部に計時信号を送る。
【０７１５】
ゲーム制御部は、遊技ゲーム機のゲーム内容を制御して、映像制御部に制御信号を送る。
【０７１６】
映像制御部は、プレイヤーによる入力部の操作、計時部が計測する所定のプレイ時間の経過、またはゲーム制御部によるゲームの制御結果に対応して３Ｄ映像または２Ｄ映像を制御し、裸眼立体映像表示装置に映像信号を送る。また、３Ｄ映像表示と２Ｄ映像表示の切り替え信号を輝度制御部に送る。
【０７１７】
輝度制御部は、３Ｄ映像表示と２Ｄ映像表示の切り替え、またはその他の条件により輝度を制御して、裸眼立体映像表示部に輝度制御信号を送る。
【０７１８】
裸眼立体映像表示部は、映像信号に基づき、映像を表示する。また、輝度制御信号に基づき、輝度を変更する。
＜３Ｄ映像の出現回数、表示時間、飛び出し度の制御＞
３Ｄ映像を長時間視聴すると、眼が大変疲れる。眼が疲れないようにするためには、３Ｄ映像の出現回数、表示時間、立体飛び出し度を減らせばよい。つまり、３Ｄ映像の視聴開始時、ゲームのプレイ開始時においては本来の迫力ある３Ｄ映像を表示し、連続プレイ時間が経過するにしたがって自動的に、３Ｄ映像の出現回数、表示時間、立体飛び出し度を減らし、プレイヤーの眼が疲れてくるであろう所定時間を過ぎた後は３Ｄ映像を表示するのをやめて２Ｄ映像を表示するように映像を制御すればよい。
【０７１９】
以下に、本発明における代表的な、３Ｄ映像の出現回数、表示時間、立体飛び出し度の制御方法を説明する。
【０７２０】
図５６は各飛び出し度に応じて作成したブレンド済みの映像を説明する図である。図５６（ａ）は飛び出し度をゼロ（０ｃｍ）にした映像、つまり２Ｄ映像を表している。図５６（ｂ）は飛び出し度を１（１ｃｍ）とした３Ｄ映像を表している。図５６（ｃ）は飛び出し度を２（２ｃｍ）とした３Ｄ映像を表している。図５９（ｄ）は飛び出し度を３（３ｃｍ）とした３Ｄ映像を表している。３Ｄ映像の出現回数、表示時間、立体飛び出し度を減らす第一の制御方法として、図５６（ａ）〜（ｄ）のような予め所定の出現回数、表示時間、立体飛びだし度のものとして作成したブレンド済みの映像を複数用意して、これを選択的に再生する制御方法がある。かかる制御方法に用いるブレンド済みの映像は通常、可逆性圧縮をしなければならないが、圧縮率が低いため膨大なデータとなる。
【０７２１】
図５７は複数の各視点用の映像を説明する図である。図５７（ａ）は対象物を複数の各視点用のカメラを用いて撮影した各視点の映像を表している。同図からわかるように、各視点用の映像において対象物の位置はそれぞれ少しずつずれている。図５７（ｂ）は対象物と複数の各視点用のカメラとの位置関係を表している。同図からわかるように、複数の各視点用のカメラは等間隔で配置されている。３Ｄ映像の出現回数、表示時間、立体飛び出し度を減らす第二の制御方法として、予め所定の複数の視点用の映像を用意して、これらをリアルタイムにブレンドすることにより制御する方法がある。かかる方法によれば各視点用の映像ファイルは非可逆性圧縮でも構わないため、好適である。第二の制御手段では、隣り合う各視点の視差が同一となるように複数の視点用の映像の中から必要な視点の映像を選択してブレンドする。仮にパララックスバリアのビュー数が５であり、予め用意した各視点用の映像の数が９個の場合、飛び出し度は三段階に設定できる。図５７においては、視点１、３、５、７、９を選択した場合、各視点の視差は最も大きくなるため、飛び出し度は最も大きくなる。視点３、４、５、６、７を選択した場合、各視点の視差は小さくなるため、飛び出し度も小さくなる。視点を全て同じ、例えば視点を全て５とした場合、各視点の視差はゼロとなるため映像は飛び出さない、つまり２Ｄ映像となる。３Ｄ映像の出現回数、表示時間を減らしたい場合は、視点を全て同じにしてブレンドした、つまり２Ｄ映像となるシーンの時間を長くすればよい。
【０７２２】
図５８はカメラ（マルチカメラ）による、対象物に対する接近・離隔による飛び出し度の制御を説明する図である。図５８（ａ）はカメラを対象物に対して接近させた状態を表しており、この状態では対象物はカメラの注視点より前方に位置するため、モニタ面より手前に飛び出して見える。図５８（ｂ）はカメラを対象物に対して接近・離隔させることで対象物をカメラの注視点に合わせた状態を表しており、この状態では対象物はモニタ面に、つまり２Ｄ映像として見える。図５８（ｃ）はカメラを対象物に対して離隔させた状態を表しており、この状態では対象物はカメラの注視点より後方に位置するため、モニタ面より奥に見える。
【０７２３】
図５９は対象物のカメラに対する接近・離隔による飛び出し度の制御を説明する図である。図５９（ａ）は対象物をカメラに対して接近・離隔させて、（１）注視点よりも前方、（２）注視点、（３）注視点よりも後方、の三段階の位置に配置した状態を表している。図５９（ｂ）は対象物の各配置状態による対象物の飛び出し度を表しており、（１）対象物をカメラに対して接近させて注視点よりも前方に配置した場合に対象物はモニタ面から飛び出して見え、（２）注視点に配置した場合に対象物はモニタ面に、つまり２Ｄ映像として見え、（３）対象物をカメラに対して離隔させて注視点よりも後方に配置した場合に対象物はモニタ面よりも後方に見える。
【０７２４】
図６０はカメラ向きの変更による飛び出し度の制御を説明する図である。図６０（ａ）はカメラの向きを変えて、注視点が対象物の後方にくるようにした状態を表しており、この状態では対象物はモニタ面より手前に飛び出して見える。図６０（ｂ）はカメラの向きを変えて、注視点が対象物と合わさるようにした状態を表しており、この状態では対象物はモニタ面に、つまり２Ｄ映像として見える。図６０（ｃ）はカメラの向きを変えて、注視点が対象物の前方にくるようにした状態を表しており、この状態では対象物はモニタ面よりも奥に見える。
３Ｄ映像の出現回数、表示時間、立体飛び出し度を減らす第三の制御方法として、複数の視点用の映像をリアルタイムにレンダリングすることにより制御する制御方法がある。第三の実施形態の制御方法はさらに三通りの制御方法に分かれる。
【０７２５】
第一にカメラを対象物に対して接近・離隔させ、カメラを接近させたときに対象物はモニタ面よりも手前に飛び出して見え、カメラを離隔させると対象物はモニタ面よりも奥に見える。
【０７２６】
第二に対象物をカメラに対して接近・離隔させ、対象物を接近させたときには対象物は飛び出して見え、対象物を離隔させたときはモニタ面よりも奥に見える。
【０７２７】
第三にカメラの向きを変えることで注視点の位置を変える。注視点を対象物の後方にすると対象物はモニタ面から飛び出して見え、対象物の前方にするとモニタ面より奥に見える。注視点と対象物が重なると対象物はモニタ面に見える、つまり２Ｄ映像となる。３Ｄ映像の出現回数、表示時間を減らしたい場合は、上記の制御により２Ｄ映像をレンダリングする回数、時間を増やせばよい。
【０７２８】
３Ｄ映像の出現回数、表示時間、立体飛び出し度はプレイ時間の経過により減らすだけでなく、逆に増やすことも当然できる。例えばプレイ開始から計測して、プレイヤーがゲームを終了すると思わしき所定の時間が経過すると、飛び出し度の大きい３Ｄ映像を表示するように制御することにより、パチンコにおける確率の変動等のプレイヤーに有利な情報を告知することは、プレイヤーの射幸心をあおり、プレイ意欲を大きく喚起する。
【０７２９】
上記三種類の実施形態の制御部による制御の他に、立体の飛び出し度はプレイヤーが任意に操作してもよい。操作は遊技ゲーム機に設けた入力部（入力手段）により行う。入力手段は飛び出し度制御用のボタン、つまみ、スライドでもよいし、あるいはゲーム上のコンフィグモードでもよい。プレイヤーは眼の疲れを感じたら自ら飛び出し度を小さくしてもよいし、より迫力のある映像を見たいと感じたら飛び出し度を大きくしてもよい。
【０７３０】
なお、本発明における３Ｄ映像の出現回数、表示時間、立体飛び出し度の制御方法は上記の各実施形態に限定されるものではなく、求められる実施態様に基づいて種々の変更を許容するものである。
＜可動式パララックスバリア＞
本発明の可動式パララックスバリアの代表的な構造を説明する。
【０７３１】
なお、パララックスバリアの不透過領域と、可視光透過領域とがどのように構成されるかについては、先に述べたように、スリットを複数の楕円弧により構成するか、可視光透過領域である穴部を複数連続して配置して構成することが好ましい（ただし、これらの構成に限らない）。
【０７３２】
図６１に示す第一の構造はパララックスバリアを形成したパララックスバリア部と２Ｄ映像表示用の光を透過する透明部とが連続的に配置されるロール式のパララックスバリアシートである。
【０７３３】
モニタ面の周囲には上下または左右にパララックスバリアシートの巻き取り部が配置され、該巻き取り部がパララックスバリアシートを巻き取ることで、パララックスバリア部または透明部のいずれかがモニタ面の前方に移動する。
【０７３４】
また、図６２に示すようにパララックスバリアシートは凹凸を補正して、モニタ面との間に適正な空隙距離Ｚを維持する必要がある。該空隙距離Ｚはプレイヤーの眼とパララックスバリアとの間の距離Ｌにより求められる。第一の構造のパララックスバリアシートは図６１（ｃ）のようなスペーサまたは図６１（ａ）のようなレールによって挟み込むことにより凹凸を補正する。
【０７３５】
図６３に示す第一の構造の他形態においてはモニタ面とパララックスバリアシートの中間部に光を透過するガラス製などの透明板が配置される。
【０７３６】
該透明板には複数の微細孔が設けられており、モニタ周囲に配置する吸引部（吸引手段）によりパララックスバリアシートを吸引することにより該パララックスバリアシートは該透明板に密着して凹凸を補正する。
【０７３７】
図６４に示す第二の構造はレールにより移動する板状のパララックスバリアである。
【０７３８】
モニタの周囲にはレールが配置され、パララックスバリアはレールの隙間を通ってモニタ面の前方に移動することで３Ｄ映像を表示することができるようになる。レールはパララックスバリアとモニタ面との間の適正距離Ｚを維持するスペーサの役割も兼ねている。
【０７３９】
図６５に示す第三の構造はモニタ周囲に配置した、伸縮機構を持つスペーサによって前後方向に移動する板状のパララックスバリアである。
パララックスバリアはスペーサの伸縮により図６５（ｂ）に示す第一の位置と図６５（ｃ）に示す第二の位置に移動する。第一の位置においてはパララックスバリアとモニタ面との間の距離が３Ｄ映像を表示するために適正な距離Ｚである。第二の位置はパララックスバリアとモニタ面との間の距離が２Ｄ映像を表示する上で最適な距離である。
【０７４０】
以下に、パララックスバリアのその他の特徴について説明する。
【０７４１】
パララックスバリアの表面には２Ｄ画像を形成してもよい。
【０７４２】
図６６によればパララックスバリアの表面には飛行機の操作席を模した２Ｄ画像が形成されており、窓部分にパララックスバリアが形成されているため、かかる窓部分のみが３Ｄ映像を表示する。２Ｄ画像は光を透過するインクにより形成され、３Ｄ映像を表示する際にも干渉しないため、遊技ゲーム機のデザインの自由度が高まる。特に、図６７のようにパララックスバリアの全面に２Ｄ画像を形成すると、プレイヤーには遊技ゲーム機の盤面上に表示装置があたかも存在しないかのように見せることができる。かかる状態において３Ｄ映像を表示すると、プレイヤーを驚かせ、プレイ意欲を大きく喚起する。
【０７４３】
また、パララックスバリアの形状はモニタの形状に限定されることなく、任意の形状とすることができるため、遊技ゲーム機のデザインの自由度が高まる。また、プレイヤーのプレイ意欲を喚起する。図６８によればパララックスバリアの外形は虫眼鏡の形状をしており、レンズ部分に相当する部分にパララックスバリアが形成されているため、レンズ部分のみが３Ｄ映像を表示する。図６９によればパララックスバリアの外形は潜望鏡の形状をしており、のぞき窓に相当する部分にパララックスバリアが形成されているため、のぞき窓部分のみが３Ｄ映像を表示する。
【０７４４】
上記のように、パララックスバリアの表面に２Ｄ画像を形成でき、形状も自由であるということは、遊技ゲーム機のデザインその他のコンテンツ制作の自由度が飛躍的に向上し、デザイナーの創作意欲を喚起する。ひいては、裸眼立体映像表示手段を備えた遊技ゲーム機の普及に寄与する。
【０７４５】
なお、本発明のパララックスバリアの構造は上記の構造に限定されるものではなく、求められる実施形態に基づいて種々の変更を許容するものである。
＜輝度の制御＞
本発明の輝度制御部（輝度制御手段）について説明する。
【０７４６】
図７０は本発明の遊技ゲーム機に用いる表示装置内のバックライトを示す。該バックライトは基板上に図７０（ａ）のように複数の蛍光灯または図７０（ｂ）のように複数のＬＥＤを配置して構成されている。パララックスバリア方式の裸眼立体映像表示部（裸眼立体映像表示手段）においてはパララックスバリアによって輝度が低下するため、バックライトに供給する電圧または電流を上げることで輝度の低下を補うことが有効である。なお、バックライトを有さず、その他の部分が光源となっている表示装置においては該光源に供給する電圧または電流を上げればよい。
【０７４７】
図７１のように３Ｄ映像表示用のモニタと２Ｄ映像表示用のモニタを別々に設けたダブルモニタ方式としてもよい。２Ｄ映像表示用のモニタにはパララックスバリアが備えられていないため、当然輝度は低下しない。
【０７４８】
ここで、可動式パララックスバリアおよびダブルモニタ方式を採用した場合、３Ｄ映像表示時と２Ｄ映像表示時とでは輝度差が生じる。かかる輝度差は、２Ｄ映像表示時においては一部の蛍光灯またはＬＥＤのみを点灯し、３Ｄ映像表示時においては全部の蛍光灯またはＬＥＤを点灯することで補正する。
【０７４９】
また、３Ｄ映像表示時において２Ｄ映像表示時よりも光源に供給する電圧または電流を上げることでも輝度差の補正は可能である。
【０７５０】
さらに、図７２のように虫眼鏡の形状をしたパララックスバリアのマスク部分に覆われたモニタの一部分が表示する立体映像は明度を高い映像にし、モニタのその他の部分が表示する２Ｄ映像は明度を低い映像にすると、プレイヤーには瞳孔の働きによって立体映像が明るく見えるため、結果的に輝度差は補正される。
【０７５１】
３Ｄ映像および２Ｄ映像の明度はもとから輝度差が補正されるように映像を作成してもよいが、映像を再生するためのフレームバッファに一時的に蓄えられる映像データに対して、リアルタイムに画像処理を行うとより好適である。
＜裸眼立体映像表示手段を設けたパチンコ機＞
図７３は本発明の実施形態の一つである裸眼立体映像表示部を備えたパチンコ機を表したものである。
【０７５２】
かかるパチンコ機によれば、（１）パチンコ機にコインまたはプリペイドカードを入れてゲームを開始するとき、（２）遊技球が盤面上の役物に入ることで変動が開始するとき、（３）変動の結果、リーチ状態となったとき、（４）変動の結果、当たりが出たとき、（５）確率の変動が起こったとき、等のタイミングで裸眼立体映像表示部により３Ｄ映像を表示することでプレイヤーの射幸心をあおり、プレイ意欲を喚起する。
【０７５３】
また、プレイヤーによるミニゲームの結果に応じて出現回数、表示時間および／または立体飛び出し度の変化した３Ｄ映像を表示することもできる。裸眼立体映像表示部には、プレイヤーに対して操作をうながす画像または映像が表示される。表示される画像または映像はプレイヤーが操作すべき入力部の種類、操作をするタイミング、操作をする回数等のプレイヤーに対する指示を意味する。プレイヤーが入力部を操作して、かかる指示通りに正しく入力をすることができるとゲーム制御部（ゲーム制御手段）においては当たり、確率の変動といったプレイヤーに有利となる制御を行い、それと対応して３Ｄ映像が表示される。このようにミニゲームによってゲームのプレイにメリハリが生まれ、ゲームの結果によって迫力ある３Ｄ映像を表示することができるため、プレイヤーのプレイ意欲を喚起する。
【０７５４】
本発明の遊技ゲーム機に用いる入力部は、具体的にはボタン、レバー、スライダー、ジョイスティック、マウス、キーボード、ジョグダイヤル、タッチパネル等が挙げられるがこれ以外のものでもよい。
【０７５５】
図７４のように、パチンコ機の演出の一つとして、裸眼立体映像表示部を飾物で隠してもよい。この場合、役物に遊技球が入る、所定の連続プレイ時間が経過する、などの条件を満たすときに裸眼立体映像表示部が出現すると、プレイヤーを驚かせ、プレイ意欲を喚起する。
【０７５６】
さらに、かかるパチンコ機では３Ｄ映像を一種の役物として扱うことも可能である。パチンコ機には盤面全体を検知することができる検知部（検知手段）が備えられており、検知部は一定の時間間隔毎に盤面上を移動する遊技球の位置を検知して、ゲーム制御部に検知信号を逐一送信する。ゲーム制御部は該検知信号と、映像制御部から取得する役物を表示する画素の位置情報と、に基づき、所定のタイミングにおいて立体映像により表示する役物の位置と、遊技球の位置とが一致するか否かの判定を行う。ゲーム制御部は該判定処理において立体映像により表示された役物の位置と遊技球の位置とが、一致するときには変動などの制御を行い、一致しないときには変動などの制御を行わない。これによれば、立体映像はゲーム制御部による制御の結果を表示するだけでなく、立体映像自体をゲームの制御の一要素とすることができ、付加価値が高まる。
さらに、ゲーム制御部は映像制御部から役物を表示する画素の位置情報を取得するのに代えて、立体映像が役物を表示する位置、タイミングを予め定義しておくこともできる。これによれば、判定は簡略化する。
【０７５７】
なお、本発明の遊技ゲーム機は上記のようなパチンコ機に限定されず、求められる実施態様に応じて種々変更可能なものである。
【０７５８】
以上のように本発明によれば、眼が疲れにくく、２Ｄ映像表示時に輝度が低下せず、かつプレイヤーの射幸心をあおってプレイ意欲を喚起する、付加価値のある裸眼立体映像表示手段を備えた遊技ゲーム機を提供することができる。
＜脱着式＞
本発明の実施形態について図７５から図９９に基づいて説明すると以下の通りである。
【０７５９】
なお、本発明のポイントは、ＳＶＧＡ（８００×６００）クラスの低解像度および１４インチ程度の画面サイズの廉価なディスプレイと、廉価版ＣＰＵとを備えたＰＣにおいても、本発明にかかるパララックスバリアシートを容易に脱着可能に付加し、画素数を抑えた裸眼立体表示用の画素ブレンド方法を用いることにより、通常の廉価なＰＣにおいても、裸眼立体コンテンツを楽しむことが出来る点である。
【０７６０】
本出願は、ハードウェアの説明に重点を置くので、画素数を抑えた裸眼立体表示用の画素ブレンド方法については、説明を省略する。
＜スペーサの厚みについて＞
スペーサの厚み、すなわち、ディスプレイ面とパララックスバリア面との空隙距離Ｚを計算し、計算結果に応じて、スペーサを形成する際に注意する点としては、厳密には、ディスプレイ面は、画素が配列されている面の上に、さらに保護層が存在する点が挙げられる。
【０７６１】
計算では、画素面からの距離を求めるので、実際に作成するスペーサにおいては、その厚みは、空隙距離Ｚからディスプレイ面の保護層の厚みを引いたものとしなければならない。
【０７６２】
＜透明媒体の厚みによる代用＞
なお、スペーサの厚みの、少なくとも一部は、パララックスバリアシートを構成する透明媒体の厚みを利用してもよい。透明媒体の厚みを、透明媒体の製造過程において調整することは、比較的容易だからである。
【０７６３】
但し、この場合は、パララックスバリアシートをディスプレイに設置する際には、厚みを持った透明媒体の、画像提示対象者側に、パララックスバリアが形成されている必要がある。
【０７６４】
後述するが、例えば、モニタ面とその枠との段差をスペーサの一部に利用する場合、空隙距離の残りの部分を、透明媒体の厚みにより担わせる。また、透明媒体の厚みを差し引いた分だけを、以下の各種スペーサの厚みとして設けることも出来る。
【０７６５】
＜スペーサの代表例＞
図７５において、Ｌ字型のスペーサを用いる場合の、具体例を示す。この例では、ディスプレイのモニタ面が、その枠であるフレームに囲まれ、かつ、一段低い面として構成されている場合を想定している。
【０７６６】
ディスプレイのフレームのコーナーにフィルタ（パララックスバリアシートとも言う）に取り付けられたスペーサを、フィルタが回転しないように合わせて、フィルタを脱着可能な所定の方法により取り付ける。
【０７６７】
また、フレームのコーナーに固定したスペーサに、フィルタを脱着可能な所定の方法により取り付けてもよい。
【０７６８】
＜＜段差より空隙距離が大きい場合＞＞
次に、図７６から図８８において、フレームの段差の厚み（枠の面とディスプレイのモニタ面との段差）より、スペーサの方が厚い場合の取り付け方について、説明する。
【０７６９】
図７６においてフィルタを挟む方法の例を示す。この例では、スペーサは、フレームのコーナーに合わせて、ずれないように取り付ける。挟み込み型取り付けフックは、フィルタおよびディスプレイの、上下左右、どの側に取り付けてもよい。
【０７７０】
図７７において、フィルムをレール（ガイドレール、桟とも言う）上に載せる方法の例を示す。この例では、レールをフレームに取り付け、レールの上にフィルタを載せる。レールにフィルタを載せることにより、フィルタの水平を保てるため、必ずしもスペーサとフレームのコーナーを合わせる必要はない。
【０７７１】
なお、スペーサの形状は、所定の厚みを確保できるものであればよく、Ｌ字形状でも、円柱状でも、角柱状でもよい。
【０７７２】
ノートＰＣであれば、最も単純な構成として、パララックスバリアシートの上下方向の長さを延長し、桟の役目をディスプレイ面下部のキーボード面に担わせることも可能である。
【０７７３】
なお、パララックスバリアシートが画像提示対象者側に倒れないように、パララックスバリアシートの上部を、ディスプレイ面の上部と共に挟んで止めるための、挟み込み型取り付けフックを用いてもよい。
【０７７４】
図７８において、ディスプレイのモニタ面の上下にレールを設けた例を示す。この例では、レールをモニタ面の上下に取り付けるので、フィルタをしっかり固定できる。フィルタは、横から、レールの溝に合わせてスライドさせ、挿入する。
【０７７５】
なお、図７８に示す例では、スペーサが用いられているが、図７９に示すように、スペーサを省略し、レールの溝の位置により、スペーサの機能を代用させてもよい。
【０７７６】
なお、図７８に示す例では、レールは、モニタ面の幅と同じ長さとしているが、フィルタが固定できればよいので、モニタ面の近傍のみに設けてもよい。
【０７７７】
図８０において、フィルタを上からレールの溝にスライドさせて設置する方法を示す。この例では、レールを、上方が空いたコの字状に配置する。
【０７７８】
なお、上記の例と同様にスペーサを省略してもよいし、レールをモニタ面の四隅近傍のみに設けてもよい。
【０７７９】
パララックスバリアシートをディスプレイ面に設置する方法としては、ディスプレイの左右両側に、ガイドレール状の保持手段を設け、パララックスバリアシートをディスプレイ面の上から、ガイドレールに沿って挿入し、適切な箇所まで挿入されたら、パララックスバリアシートが止まるように、ディスプレイ面の下側にストッパーを設けてもよい。
【０７８０】
ストッパーもディスプレイ画面左右のガイドレールと同様の形状とし、全体としてコの字形状のガイドレールを用いることも出来る。
【０７８１】
図８１において、ディスプレイ上部にフックを２箇所設け、フィルタを吊す方法を示す。フィルタに、フックに合う孔を２箇所開け、フックに差し込み、吊り下げる。
【０７８２】
フックを正確に取り付ければ、キャリブレーションを行う必要は無い。
【０７８３】
図８２において、フィルタをディスプレイにネジ止めする方法を示す。フィルタの四隅に孔を開け、ピン等をねじ込んで、フィルタをフレームに固定する。
【０７８４】
なお、図８３に示すように、スペーサを別途設ける代わりに、ピンにリングを取り付けてスペーサを兼ねる構成でもよい。
【０７８５】
図８４において、フィルタをディスプレイに、粘着クッションを用いて貼る方法を示す。粘着クッションには、伸縮性のある脱着可能な材料を用いる。スペーサによりモニタ面とパララックスバリア面との距離が確保できるように、押し付けて接着する。粘着クッションの引張力により、スペーサとモニタ面およびパララックスバリア面とが密着し、空隙距離Ｚが適正に維持される。
【０７８６】
なお、粘着クッションの代わりに、吸盤状の、取り外しができる機構としてもよい。
【０７８７】
図８５において、硬化粘着材を用いて、フィルタをディスプレイに貼る方法を示す。この例では、硬化粘着材が、スペーサを兼ねている。
【０７８８】
＜＜段差より空隙距離が小さい場合＞＞
次に、空隙距離Ｚより、モニタ面とフレーム面との段差の方が大きい場合の取り付け方について説明する。なお、透明媒体のパララックスバリア面は、フレーム内のモニタ面に収まるように製作する必要がある。
【０７８９】
図８６において、フィルタに取り付けられたＬ字型のスペーサのモニタ面側に粘着材を設け、フィルタを脱着可能とする方法を示す。スペーサをフレームのコーナーに合うように正確に設ける事により、フィルタのキャリブレーションを省略することが出来る。
【０７９０】
また、フレームのコーナーにスペーサを固定し、スペーサのフィルタ面側に粘着剤を設け、フィルタを脱着可能とすることも出来る。
【０７９１】
図８７において、Ｌ字型取り付け具を用いたフィルタの脱着可能な取り付け方法を示す。この例では、Ｌ字型取り付け具は、上下のフレーム枠にはめ込まれる構造であると共に、フィルタを保持する溝が形成されているか、フィルタが接着された構造である。フィルタの上下にこのＬ字型取り付け具を取り付け、その状態のまま、Ｌ字型取り付け具をディスプレイのフレーム枠にはめ込む。
【０７９２】
なお、Ｌ字型取り付け具は、フィルタの左右に取り付けてもよい。
【０７９３】
図８８において、スペーサを兼ねた挟み込み型取り付けフックによりフィルタを取り付ける方法を示す。この例では、挟み込み型取り付けフックは、モニタ面に接触する部分から始まり、フィルタを適正な位置に保持するための溝が設けられるかまたはフィルタが接着された構造であり、ディスプレイの外側を回って裏側まで延びており、ディスプレイを挟み込み構造である。
【０７９４】
この挟み込み型取り付けフックは、モニタ面の上下など、少なくとも２箇所以上に取り付けるとよい。何処に取り付けてもよいが、モニタ面の相対する箇所に取り付ける方が安定がよい。
【０７９５】
図８９において、Ｌ字型取り付け具と円柱状スペーサとを組み合わせてフィルタを取り付ける方法を示す。この例では、上部のＬ字型取り付け具はスペーサを兼用しており、下部はフィルタに円柱状スペーサを取り付け、フレーム内にフィルタをはめ込み、脱着可能としている。
【０７９６】
なお、Ｌ字型取り付け具を下部に取り付け、円柱状スペーサを上部に取り付ける構成でもよい。
【０７９７】
また、Ｌ字型取り付け具に代わり、図８８に示す挟み込み型取り付けフックを用いてもよい。
【０７９８】
＜＜段差に合わせてスリット幅を調整する場合＞＞
これまでに、適切なベストビューポイントおよび立体視適性範囲を得るために、空隙距離Ｚを計算により求め、求めた空隙距離を実現するために、パララックスバリア面の位置を調整する方法を述べた。
【０７９９】
これに対し、以下では、発想を転換し、モニタ面と、ディスプレイの枠であるフレームとの段差を所与の条件として積極的に活用し、この段差をスペーサの代わりに用いる方法について述べる。
【０８００】
なお、所与の空隙距離Ｚに対し、最適なベストビューポイントおよび立体視適性範囲を得る為には、まず、水平方向可視領域長Ｖと視差Ｗとを、下記の数式（３）に代入することにより、最適なスリット幅Ｓを求める。
【０８０１】
【数５２】
2010007787.tif 000054
【０８０２】
また、数式（１）から下記の数式（１９）が求まる。
【０８０３】
【数５３】
2010007787.tif 000055
【０８０４】
次に、上式に水平方向可視領域長Ｖと、画素表示面からのモニタ面までの保護層の厚みとモニタ面とディスプレイの枠であるフレーム面との段差および、フレーム面からパララックスバリア面までの距離（フィルタのモニタ側にパララックスバリアが形成されている場合は、０となる）の和である空隙距離Ｚと視差Ｗとを代入すると、ベストビューポイント距離（ＢＶＰ距離）Ｌが求まる。
【０８０５】
ここで、所定のＢＶＰ距離Ｌを設定したい場合には、数式（１）に基づく下記の数式（２０）により、水平方向可視領域長Ｖを求める。
【０８０６】
【数５４】
2010007787.tif 000056
【０８０７】
次に、この水平方向可視領域長Ｖに相当する水平方向可視領域長Ｖ’を有するＲＧＢブレンド方式を選択し、裸眼立体映像を再生することにより、既存のディスプレイ枠の段差をスペーサとして代用し、所定のベストビューポイントを用いて適正な裸眼立体映像を再生できる。
【０８０８】
なお、当然であるが、スペーサを用いて空隙距離Ｚを制御することにより、所定のＢＶＰ距離Ｌを設定することも出来る。
【０８０９】
もし、ブレンド方法を適切に設定しないで、所定のベストビューポイントを設定した場合は、水平方向可視領域長Ｖが変長し、立体効果（飛び出し度）および立体の鮮明度が多少異なることになる。しかし、用途によっては、このままでも十分実用に供することが出来る。
【０８１０】
上述の計算方法により求めたスリット幅Ｓを元にパララックスバリアを形成することにより、切なベストビューポイントおよび立体視適性範囲を得ることが出来ると同時に、ディスプレイのモニタ面と枠との段差をスペーサとして利用した裸眼立体ディスプレイを構成することが出来る。
【０８１１】
＜段差を用いたフィルタの取り付け方法＞
図９０において、モニタ面より幾分大きいフィルタを用い、そのフィルタの四隅に粘着材を設け、フレームに貼り付ける方法を示す。
【０８１２】
なお、粘着材を設ける位置は、四隅である必要は無く、フレームと重なる位置であれば、一箇所以上に設ければよい。但し、粘着材を設ける場所が少ない場合は、重力の関係から、フィルタの上方とすることが望ましい。
【０８１３】
図９１においては、粘着材の代わりに、挟み込み型取り付けフックを用いる例を示している。
【０８１４】
＜テーブル型ディスプレイに対する取り付け＞
図９２において、テーブル型ディスプレイ、すなわち、スクリーン面が上方を向いており、テーブルのように設置されたディスプレイに対して、パララックスバリアシートを取り付ける方法を示す。
【０８１５】
このテーブル型ディスプレイは、その上にゲーム用カードを置いて、ディスプレイ側からそのカードを認識して、ディスプレイに表示する画像および映像を制御する用途などに用いるものである。このディスプレイは、リアプロジェクタ用のスクリーンパネルと、下方から投影するプロジェクタとにより構成されている。
【０８１６】
この例では、スペーサは、通常のネジやボルトを留める場合と同じく、ピンまたはボルトと同軸の中空状であり、フィルタの下にこのスペーサを設置して、その中を貫いて、ピンまたはボルトをフレームにねじ込み、フィルタを固定する。
【０８１７】
図９３において、モニタ面の四隅に来るようにスペーサを設置し、フィルタを上から置く方法を示す。
【０８１８】
なお、上方を向いたディスプレイは、通常のモニタでもよい。
【０８１９】
もちろん、パララックスバリアシートは、タブレットＰＣのモニタ面に重ねて用いることも出来る。
【０８２０】
＜３Ｄ表示を視る場合と２Ｄ表示を視る場合の切り替え＞
図９４において、空隙距離を調整して、通常の２Ｄ表示を視る場合と、裸眼立体効果により３Ｄ表示を見る場合とを切り替える様子を説明する。
【０８２１】
上記の例では、２Ｄ表示を画像提示対象者が視たい場合、画像提示対象者は、ネジまたはピンを調整し、空隙距離を、２Ｄ表示に最適な位置まで拡大する。３Ｄ表示を視たい場合は、空隙距離を適切な距離まで狭める。
【０８２２】
上記の構成は、ネジまたはピンを用いる場合に最も適用しやすい構成であるが、他の取り付け方法においても利用可能である。
【０８２３】
空隙距離を拡大し、スリットからモニタ面までの距離を拡大することにより、一つのスリットから視認できる画素数が増大するので、パララックスバリアのマスクにより隠される画素が減少するので、２Ｄ表示においても殆ど支障なく、小さい文字などの情報も綺麗に視認することが出来る。
【０８２４】
すなわち、ディスプレイを通常の２Ｄ表示ディスプレイとして使用する場合は、スペーサの厚みを第１の厚み（通常表示用）に調整し、ディスプレイを裸眼立体ディスプレイとして使用する場合は、スペーサの厚みを第１の厚みより薄い第２の厚み（裸眼立体表示用）に調整する。
【０８２５】
なお、厚み調整時に、例えば、スペーサがネジまたはピンにより構成されている場合、調整者が手動によりフィルタを動かすと、適正な厚みとなる位置で、クリック感が手に伝わることにより、正確な厚みの位置に調整できることが望ましい。
【０８２６】
＜キャリブレーションについて（一般用）＞
ディスプレイ上に設置したパララックスバリアシートのキャリブレーションとは、ディスプレイに、上下左右の水平および垂直ライン（第２の指標）と、斜線ライン（第２の指標）とを表示させ、フィルタの水平および垂直ライン（第１の指標）、そしてパララックスバリアのスリット（第１の指標）を通して見える斜線ラインとがずれないように合わせる作業である。
【０８２７】
これらの方法によりキャリブレーションを行うと、簡易に、かつ正確に、キャリブレーションを行うことが出来る。
【０８２８】
モニタ面に水平ライン表示および垂直ライン表示を行ってもよいし、これらの表示を行う代わりに、フレーム枠とフィルタの水平ラインおよび垂直ラインを合わせてキャリブレーションを行う構成でもよい。
【０８２９】
なお、水平および垂直ラインの代わりに、モニタ面の４個のコーナーに点（第２の指標）を表示し、フィルタ上に形成された点（第１の指標）と重ねる事により、キャリブレーションを行ってもよい。
【０８３０】
なお、斜線ラインのみのキャリブレーションを行ってもよい。
【０８３１】
これらの方法によりキャリブレーションを行うと、簡易に、かつ正確に、キャリブレーションを行うことが出来る。
【０８３２】
また、キャリブレーション用立体画像を表示させ、画像提示対象者が、適正に立体効果が得られるか判断しながら調整する構成でもよい。
【０８３３】
＜キャリブレーションについて（マルチビューポイント用）＞
複数視点（マルチビューポイント）用の裸眼立体ディスプレイにおいては、以下の各方法によりキャリブレーションを行ってもよい。
（方法Ａ）
１．複数視点用の画像を用意する。画像は、キャリブレーション用に、偶数視点では、中央２視点用またはそのどちらかの１視点用の画素が白色である。奇数視点では、中央１視点、または、中央１視点および左右どちらかの１視点の画素のみが白色である。他の画素は黒色である。
２．前記ステップにおいて用意した画像を取り込み、表示された画像とパララックスバリアのスリットとを合わせる。
【０８３４】
この方法は、ディスプレイの画像表示面に、ある視点（１個か２個が望ましい）用の画素を白色とし、それ以外の視点用の画像を黒色とすることにより、キャリブレーション用の指標を形成し、その指標が、パララックスバリアのスリットを通して視た時に、連続した線として視認できる位置に、パララックスバリアシートを設置するように調整してキャリブレーションを行うものである。連続している線であることが重要である。
【０８３５】
図９５は、このキャリブレーション作業を説明する図であり、５視点型マルチビュー裸眼立体ディスプレイ用にブレンドするに際し、第３の視点用の画像を白色とし、第１、第２、第４、および第５の視点用の画像を黒色としている。３Ｄブレンド後は、第３の視点用画素の部分のみが白色の線となって現れるので、パララックスバリアシートのスリットをその白色の線に合わせて、位置調整する。
（方法Ｂ）
１．所定のスリットに対して、対応する位置にスリット幅に合わせたラインを所定の色を用いて表示し、合わせる。
（方法Ｃ）
この方法は、ライン（第１の指標）を、透明媒体の所定の位置に、水平および／または垂直に所定の幅のキャリブレーション用スリットとして設けた、画像表示面上の、このスリットに対応する位置に表示されたライン（第２の指標）を欠落無く視認できるように、透明媒体の位置を調整する方法である。欠落が無いことが重要である。
１．フィルタの、少なくとも左右どちらかの所定の垂直ライン上、および/または、少なくとも上下どちらかの所定の水平ライン上に、キャリブレーション用スリットを形成する。
２．モニタ面上の、形成したキャリブレーション用スリットに対応する位置に、垂直ライン、および/または、水平ラインを、所定の色を用いて表示し、フィルタ上に形成されたキャリブレーション用スリットと合わせる。
【０８３６】
なお、上記キャリブレーション用スリットとしては、透明媒体にスリット状の貫通した溝を形成してもよい。しかし、パララックスバリアのスリットと同様に、キャリブレーション用スリットを形成する位置には、可視光不透過のマスク面を形成しない、すなわち可視光を透過する状態としておくことにより、形成することが望ましい。
【０８３７】
なお、図９６において、フィルタ上にキャリブレーション用のスリットとして、水平スリットおよび垂直スリットを形成した様子を示す。なお。この図では、パララックスバリア用のスリットは斜めになっている。
（方法Ｄ）
上記の方法Ｃのキャリブレーション用スリット上に、半透明のキャリブレーション用ラインを用いる方法である。
１．フィルタ上に、キャリブレーション用ラインを、半透明の目立たない色を用いて引く。
２．モニタ面に表示される所定の色のラインと重ね合わせると、色が変化することにより、正確に位置合わせを行う。
【０８３８】
なお、この方法では、キャリブレーション用ラインの色は、モニタ面からの赤色を吸収する色ではなく、かつ、色が重なることにより変化する色であることが望ましい。
【０８３９】
例えば、キャリブレーション用ラインの色を薄い黄色とし、モニタに表示するラインの色を赤とすれば、両者が重なると、薄い黄色が、赤に変化するので、重なったことが視認できる。
【０８４０】
図３３において、モニタ面に表示された黄色ラインが、フィルタ面に形成されたキャリブレーション用ラインと重なることにより、赤色に変色する様子を示す。
【０８４１】
なお、キャリブレーション用スリットを形成しない場合、重なると、キャリブレーション用ライン部分を拡大視して、キャリブレーション用ラインの色が破線状に赤く変化するので、重なったことが視認できる。破線状に見えるのは、例えば、水平なキャリブレーション用ライン部分のうち、パララックスバリアの斜めスリットとの組み合わせでは、マスク面で遮断される部分と、斜めスリットを通して入ってくる部分とがあるからである。
（方法Ｅ）
１．精度を高めるため、モニタ面に、垂直ラインを、Ｒ、Ｇ、Ｂのいずれかの色のみを用いて表示し、合わせる。いずれかの色のみを利用すると、水平方向では、ＲＧＢのサブピクセルを合わせた１ピクセル分の幅ではなく、１サブピクセル分だけの幅、すなわち、１ピクセル分の幅の１／３の幅の精度を用いて位置合わせを行うことが出来る。
【０８４２】
＜パララックスバリアシートの製造方法＞
パララックスバリアは、通常、可視光を透過しないマスク面と、可視光を透過するスリット面から構成される。スリット面を残してマスク面のみを形成することにより、パララックスバリアが形成される。
【０８４３】
本発明にかかるパララックスバリアシートでは、パララックスバリアのマスク面を透明媒体に直接、印刷等により、形成してもよい。
【０８４４】
この方法では、最初に透明薄膜シートにパララックスバリアを印刷し、その後、透明薄膜シートを透明媒体に貼り付ける方法に較べ、工程を一つ削減することが出来る。但し、透明媒体にパララックスバリアを直接形成する際には、透明媒体に対し、パララックスバリアのスリットの傾きが所望の値となるように、適切に制御する必要がある。
【０８４５】
なお、パララックスバリアを透明媒体に直接形成する際に、グラビア印刷を用いることが望ましい。
【０８４６】
もちろん、従来と同様に、最初に、透明薄膜シートにパララックスバリアを形成し、その後、透明薄膜シートを透明媒体に貼付する方法により、パララックスバリアシートを製造してもよい。
【０８４７】
＜パララックスバリアのマスク面の色＞
透明媒体上にパララックスバリアのマスク面を形成する際、裸眼立体効果を最大限発揮させる為には、マスク面を黒色とすることが望ましい。
【０８４８】
＜マスク面へのグラフィックの付加＞
しかし、多少、裸眼立体効果を犠牲にしても、パララックスバリアシートに、広告、イラスト、またはパララックスバリア識別情報などのグラフィックを付加したい場合がある。
【０８４９】
このような場合には、少なくとも画像提示対象者側を向くマスク面に、直接グラフィックを印刷してもよいし、黒色インクによりマスク面を印刷した上にグラフィックを印刷してもよいし、黒色インクによりマスク面を印刷した上に白色インクによりマスク面を印刷して重ね、その上にグラフィックを印刷してもよい。なお、白色印刷により可視光を完全に遮断することが出来れば、黒色印刷は省略できる。
【０８５０】
なお、グラフィックは、画像提示対象者が視認できるように形成する必要があるので、透明媒体の、画像提示対象者とは反対側に、パララックスバリアを形成する場合には、例えば、上記の最も工程が多い方法では、グラフィックを背面から印刷し、白色印刷し、黒色印刷する方法を行うことになる。この場合も同様に、白色印刷により可視光を完全に遮断することが出来れば、黒色印刷は省略できる。
【０８５１】
＜斜めスリットにおける角度θの保持方法＞
以下は、パララックスバリアの各スリットが、ディスプレイの水平方向に対し、所定の角度θを有している斜めスリットを対象にした説明である。
【０８５２】
従来は、パララックスバリアを４７インチディスプレイ等の大きさに合わせた広大な透明薄膜シートに印刷し、スリットの角度θが正しく形成されるように、そのシートを慎重にガラス板に貼り合わせていた。
【０８５３】
しかし、透明薄膜シートを用いずに、適切な位置に保持されたガラス板に、直接パララックスバリアを印刷すれば、角度θを調整しながら、透明薄膜シートをガラス板に貼り付ける工程は省略することが出来る。
【０８５４】
ガラスに直接印刷するので、スリットの角度θは適切に保持される。ガラス板は固いので、ガラス板をディスプレイ面に対して適切に保持しさえすれば、ディスプレイ面の画素配置に対し、角度θを確実に保持することが出来る。
【０８５５】
＜透明媒体およびスペーサの材質＞
なお、パララックスバリアを形成する透明媒体としては、パララックスバリアシートの自重または風圧により変形する材料でなければ、ガラスの代わりに用いることが出来る。例えば、アクリル板などの透明樹脂でもよい。
【０８５６】
また、パララックスバリアシートの厚みは、ディスプレイに取り付けた状態において、平面性を保持できるだけの強度および硬度があればよく、ディスプレイへの取り付け方法によるが、運搬時または保管時は丸めることが出来る素材であってもよい。
【０８５７】
スペーサの材質は、透明であると、透明媒体と組み合わせた場合に、違和感がなく、スペーサがモニタ面上に配置される場合でも、スペーサの配置箇所の画像も見ることが出来る。
【０８５８】
また、スペーサは、透明媒体と同じ材料により、透明媒体と一体成形してもよい。一体成形すると、スペーサを透明媒体に接着する手間を省くと共に、パララックスバリアシートの強度を高めることが出来る。
【０８５９】
＜パララックスバリアシートの認識と対応するブレンド方法の選択＞
なお、裸眼立体コンテンツを再生するノートＰＣ側では、設置されたパララックスバリアシートの種類を識別し、設置されたパララックスバリアシートの特性に合わせて、複数用意してあるブレンド方法のうち、最も適切なブレンド方法を選択してもよい。ブレンド方法の選択については、後述する。
【０８６０】
＜パララックスバリアシートの両面活用＞
パララックスバリアは、ガラス板等、厚みのある透明媒体の片側に形成されるので、パララックスバリアの形成面を、ディスプレイ側にして設置するか、画像提示対象者側にして設置するかにより、空隙距離（Ｚ値）を透明媒体の厚み分だけ変更することが出来る。
【０８６１】
それ故、一枚のパララックスバリアシートのみにより、２種類の裸眼立体効果、具体的には、２種類のベストビューポイントおよび立体視適性範囲の組み合わせを、選択することが出来る。
【０８６２】
なお、パララックスバリアのスリットの、配置形状およびエッジ形状によっては、設置方法を適切に認識し、表示する３Ｄコンテンツのブレンド方法を調整する必要がある。
【０８６３】
例えば、斜めスリットの場合、パララックスバリアの形成面がディスプレイに近くなるように設置された時に、スリットが左下から右上に配置されるとすると、透明媒体を裏返すと、スリットは、右下から左上に配置されるからである。
【０８６４】
＜パララックスバリアシートの保護＞
パララックスバリアシートは、従来の組み込み型ではないため、使用時、運搬時、保管時などに、表面に傷が付いたり、はがれたり、汚れが不着したりする可能性が高い。それ故、パララックスバリアシートの表面に保護膜（保護手段）を形成したり、保護ケース（保護手段）に格納できるようにしたりしてもよい。
【０８６５】
なお、透明薄膜シートにパララックスバリアを形成し、パララックスバリアが形成された側を透明媒体に貼り付ける方法によりパララックスバリアシートを製造した場合は、透明薄膜シート自体が、保護膜となるので、別途保護膜を形成する手間を省くことが出来る。
【０８６６】
＜ノートＰＣの空間的制限への対応＞
既存のノートＰＣに、本発明にかかるパララックスバリアシートを設置する場合、考慮すべき点は、ディスプレイ面を閉じた時の、キーボード面との隙間の大きさである。
【０８６７】
ノートＰＣの機種によっては、ディスプレイ面を閉じた時に、キーボード面との隙間が少なく、パララックスバリアシートまたはそのシートをディスプレイ面に保持するための器具をディスプレイ面に設置した状態では、ノートＰＣを物理的に閉じることが出来ない場合がある。
【０８６８】
そのような場合でも、立体効果を得る為には、ノートＰＣを開いた時に、パララックスバリアシートをディスプレイ面に立てかけるだけの手間で済むので、手軽に立体効果を得ることが出来る。
【０８６９】
＜グリッドシートとの兼用＞
グリッドシートとは、シートの表面にドットパターンが形成された透明なシートであり、このシート上を、ペン型スキャナによりタッチすることにより、タッチ位置の座標値をシート上に形成されたドットパターンを読み込むことで認識する仕組みである。
【０８７０】
本発明にかかるパララックスバリアシートに、このドットパターンを形成し、グリッドシートとしての役割を持たせることも可能である。
【０８７１】
ドットは、光を発するディスプレイ上に重なると、全く視認されないことから、ドットパターンの形成箇所がマスク面であろうがスリット面であろうが気にせず、ドットパターンを形成することが出来る。また、このように形成されたドットパターンは、ペン型スキャナにより読み取りやすいので、好都合である。
【０８７２】
こうすると、適切なソフトウェアさえ用意すれば、通常のディスプレイを、裸眼立体ディスプレイとして機能させると共に、ペン型スキャナを用いるタッチパネルとしても機能させることが出来る。
【０８７３】
＜他のスリット形状について＞
図９８において、さらに、他のスリット形状について説明する。
【０８７４】
図９８（ａ）において、最初に長軸が垂直である楕円を形成した後、その長軸を傾きθだけ傾けて、スリットの全体形状が斜めスリットであり、エッジ形状が楕円弧であるスリットを形成する方法を示す。スリットの最も太い部分の幅が、スリット幅Ｓであり、最も細い部分の幅が、スリット幅Ｄ’である。
【０８７５】
楕円の式は、上記の数式（４）により表される。ここで、楕円の縦軸を楕円式の中心において傾きθだけ傾けた際、楕円弧を構成するｘ、ｙのうち、ｙが変化しないものとすると、ｘは、ｘ＝ｙｔａｎθだけ水平移動する。
【０８７６】
そこで、水平移動後の楕円弧式は、
【０８７７】
【数５５】
2010007787.tif 000057
【０８７８】
となる。
【０８７９】
ここで、各行の楕円弧を、分割線上のＤ’の両端の接続点において連結することにより、楕円弧のスリットが形成出来る。
【０８８０】
図９８（ｂ）から図９８（ｄ）において、エッジ形状が三角であるスリットの例を示す。
【０８８１】
図９８（ｂ）に示す三角形エッジは、各行の中心線上においてスリット幅Ｓとなっており、その頂点から、上下の分割線へ向けてスリット幅Ｄ’となるように、二等辺三角形の等しい二辺が形成されている。
【０８８２】
図９８（ｃ）に示す三角形エッジは、上記の三角形エッジを傾きθだけ傾けたものである。スリット幅ＳおよびＤ’は維持されているが、三角形の二辺の長さは異なっている。
【０８８３】
図９８（ｄ）に示す三角形エッジは、全体のスリット配置形状としては、傾きθを用いてスリットを傾けるが、各行のエッジは変形せずに、分割線上を水平移動させ、三角形エッジ同士を分割線上の直線により連結する構成である。
【０８８４】
各行においては、エッジがスリットの左右両側において対称であることが、美しい立体画像を表示する上で重要である。例えば、三角形エッジであれば、上記図９８（ｂ）または（ｄ）の構成が最も望ましい。この構成を用いると、歪みの無い立体効果が得られる。綺麗な立体を視認できるので、目の疲れを軽減する効果も期待出来る。
【０８８５】
もちろん、図９８（ｃ）の構成であって、ほぼ対称であると言え、適切に裸眼立体表示を行うことが出来る。
【０８８６】
また、パララックスバリアの可視光を透過する領域は、既に述べたように、スリットに代えて、述べたように複数の可視光透過領域である穴部を連続して配置してもよい。
【０８８７】
＜元画像からのＲＧＢピックアップ方法について＞
図１１４において、元画像からのＲＧＢピックアップ方法を示す。
【０８８８】
図１１４（ａ）において、ブレンド後の裸眼立体表示用のサブピクセル配置例を示す。このディスプレイでは、解像度がｍ×ｎであり、１ピクセルを構成するサブピクセルが、３行に渡って配置され、水平方向にも３サブピクセル分となるので、サブピクセル解像度は、ｍ’（＝３ｍ）×ｎ’（＝３ｎ）である。
【０８８９】
ここで、ｒｘをｘ方向のサブピクセル座標とし、ｒｙをｙ方向のサブピクセル座標とすると、任意位置の１視点用画素において、その画素の右上に位置するサブピクセルの座標を（ｒｘ，ｒｙ）とすると、その画素のＲＧＢ値を、図９９（ｂ）に示す元画像から取得するには、サブピクセル座標を百分率座標に変換する。
【０８９０】
百分率座標（ｒ’ｘ，ｒ’ｙ）は、以下の式により表される。
【０８９１】
ｒ’ｘ＝ｒｘ／ｍ’
ｒ’ｙ＝ｒｙ／ｎ’
この座標と同じ位置の１視点用の画素のピクセル座標（Ｒｘ，Ｒｙ）は、以下の式により表される。
【０８９２】
Ｒｘ＝ｉｎｔ（Ｌｒ’ｘ）
Ｒｙ＝ｉｎｔ（Ｋｒ’ｙ）
ここで、ＬおよびＫは、図９９（ｂ）に示す各視点用の元画像の解像度ＬｘＫである。
【０８９３】
これにより、各視点用画像の同一のピクセル座標（Ｒｘ，Ｒｙ）から、ＲＧＢ値を求め、第１の視点用から所定の視点用までのサブピクセルを、順に右方向に並べて、裸眼立体視用画像をブレンドする。
【０８９４】
また、プラズマディスプレイパネルのように、電磁波シールドを必要とするディスプレイの場合は、パララックスバリアシートと電磁波シールドとを兼用させることも出来る。
【０８９５】
また、プラズマディスプレイパネルのように、電磁波シールドを必要とするディスプレイの場合は、パララックスバリアシートと電磁波シールドとを兼用させることも出来る。
【０８９６】
パララックスバリアシートに電磁波シールドの機能を兼用させることにより、電磁波シールドを別途用意したり、別工程により形成したりする必要が無くなる。
【０８９７】
特に、パララックスバリアシートおよび電磁波シールドを、印刷により形成する場合には、印刷工程の１段階として、パララックスバリアも電磁波シールドも形成出来るので、機能を兼用させることは有効である。
【０８９８】
なお、印刷によりパララックスバリアシートおよび電磁波シールドを形成する場合は、ガラス板またはアクリル板などの透明媒体に直接行ってもよいし、薄膜透明シートに印刷してから、その薄膜透明シートを透明媒体に貼り付けてもよい。
【０８９９】
印刷およびインクに関しては、以下の３通りの方法を用いることが出来る。
【０９００】
（Ａ）可視光を透過する領域と分けるために、可視光を透過しない特性を有するインク（例えばカーボンブラック）を用いて、図１００（ａ）に示すように、パララックスバリアのバリア領域を印刷し、電磁波を透過しない特性を有するインク（例えばシールド用金属含有インク）を用いて、図１００（ｂ）に示すように、電磁波シールドを印刷する方法がある。完成すると、図１００（ｃ）に示すように見える。
【０９０１】
この場合、可視光透過領域には、電磁波を透過しない特性を有するインクによる印刷が行われてもよい。但し、可視光を透過する効果に影響が及ばないかまたは影響が少なくなるように、考慮する必要がある。
【０９０２】
（Ｂ）可視光透過領域は、通常の電磁波シールドと同様に、細い縦横の線として、電磁波を透過しない特性を有するインクにより印刷し、可視光を透過しない領域は、同じインクを用いて、可視光を透過しないように、面として印刷する方法がある。この方法では1個の版下と１種類のインクとを用いるだけで、印刷することが出来る。完成すると、図１００（ｃ）に示すように見える。
【０９０３】
（Ｃ）可視光透過領域は、通常の電磁波シールドと同様に、細い縦横の線として、電磁波を透過しない特性を有するインクにより印刷し、可視光を透過しない領域は、電磁波を透過しない特性を有する高価なインクに代わり、電磁波遮断特性を有するカーボンブラック等により印刷する方法がある。面として印刷する部分には、大量のインクが必要であるが、安価なカーボンブラックとすることにより、コストを低減させることが出来る。完成すると、図１００（ｃ）に示すように見える。
【０９０４】
（Ｄ）さらに、パララックスバリアの可視光透過領域の個々の面積が少ないことを利用し、パンチングメタルのように、可視光透過領域には、電磁波を透過しない特性を有するインクを用いて電磁波シールドを印刷することを省く印刷方法でもよい。この場合、可視光を透過しない特性と電磁波を透過しない特性とを兼ね備えた１種類のインクを用いて、一度の印刷工程により、パララックスバリアと電磁波シールドとを形成することが出来る。
【０９０５】
穴型パララックスバリアであれば、パンチングメタルと同様なので、特に有効である。
【０９０６】
もちろん、本発明に係るパララックスバリアシートの形成に限らず、通常のパララックスバリアを形成する際にも、パララックスバリアと電磁波シールドとを兼用させる構成は、部品点数の削減および製作工程の削減が出来るという観点から有効である。
【０９０７】
＜穴型パララックスバリアでの電磁波シールド実施例＞
本発明においてパララックスバリアシートに形成する電磁波シールドのメッシュの規格は、既存の電磁波シールドの規格を使用するものとする。
【０９０８】
たとえば、大日本印刷株式会社製の電磁波シールドフィルムの規格においてはメッシュの開口幅（ピッチ）は約２００μｍであり、線幅は約１０μｍとされている。
【０９０９】
また、従来技術としては大日本印刷株式会社の特願２００６−２３４６８３号にかかる特開２００８−６０２８０号公報に記載されているメッシュ状の電磁波シールドに関する技術が使用できる。
【０９１０】
かかる公報においては、メッシュの開口幅は、１２０μｍ以上とするのが、表示発光の透過性の点から好ましいとされている。メッシュの線幅は少なくとも５μｍ以上確保することが好ましいとされている。
【０９１１】
さらに、富士フイルム株式会社の特願２００６−１４０５５９号にかかる特開２００７−３１１６４６号公報に記載されているメッシュ状の電磁波シールドに関する技術が使用できる。
【０９１２】
かかる公報においては、メッシュの開口幅は、２５０μｍ以上３５０μｍ以下とするのが、透光性電磁波シールド膜の用途において最も好ましいとされている。
【０９１３】
前述の各公報を考慮し、本発明にかかる電磁波シールドであるメッシュの開口幅は約２００μｍ〜約２５０μｍとして設計基準とし、また、メッシュの形状は概ね正方形に近い矩形であるものとする。
【０９１４】
ただし、上記のメッシュの開口幅および形状は、本発明の説明の便宜を図るための一例にすぎず、当然ながら求められる実施形態に応じて種々変更して実施可能である。
【０９１５】
ここで、本発明においては必ずしも実際に透明部材上にメッシュ状の電磁波シールドを印刷するわけではなく、メッシュの開口幅と同等の幅で区画されたパララックスバリアのスリットもしくは穴が形成されれば、電磁波シールドを兼用することができる。パララックスバリアのマスク部分は、電磁波を透過しない特性を有するインクで形成されるが、メッシュ状の電磁波シールドを重ねて印刷してもよいことは言うまでもない。
＜各種パララックスバリアシートへの適用＞
図１０１（ａ）は、小型モニタの穴型パララックスバリアであり、（ｂ）は、電磁波シールドのメッシュである。（ａ）は、可視光を透過しないインクを用いて印刷し、（ｂ）は、電磁波遮断特性を有するインクで、（ａ）に重ねて印刷する版の例である。なお、点線部分は、開口部を示すための仮想の線であり、版には形成しない。（ｃ）は、電磁波遮断特性を有するインクで印刷する版の例である。
【０９１６】
図１０２（ａ）は、中型モニタの穴型パララックスバリアであり、（ｂ）は、電磁波シールドのメッシュである。（ａ）は、可視光を透過しないインクを用いて印刷し、（ｂ）は、電磁波遮断特性を有するインクで、（ａ）に重ねて印刷する版の例である。なお、点線部分は、開口部を示すための仮想の線であり、版には形成しない。（ｃ）は、電磁波遮断特性を有するインクで印刷する版の例である。
【０９１７】
なお、（ｂ）、（ｃ）の穴中央の線は、穴の幅が所定の電磁波を遮断するためのピッチを超えたため２分割するものである。
【０９１８】
図１０３（ａ）は穴型パララックスバリアであり、（ｂ）は、可視項を透過する金属薄膜を設けたガラスもしくは透明シートである。（ａ）は可視光を透過しないインクを用いて印刷し、その上もしくは下に（ｂ）を重ねて貼り付けて、（ｃ）を形成するパララックスバリアと電磁波シールドを兼用する例である。
【０９１９】
図１０４および図１０５は、パララックスバリアのスリットを電磁波を遮断するために必要な所定の幅となるよう、スリットを横方向および／または縦方向に区画した例である。
【０９２０】
図１０６は、本来の穴の高さが上記所定の幅を超える場合は、複数の穴で形成するか、区画するかのどちらかの方法で所定の幅となるよう穴を形成した例である。
＜プラズマ３Ｄモニタ＞
図１０７は、本発明の実施形態の一つである、プラズマ３Ｄモニタの構造を説明する図である。
【０９２１】
図１０７（ａ）はパララックスバリアを印刷した、所定の強度を有する透明部材を、既製のプラズマディスプレイに新たに取り付けたプラズマ３Ｄモニタの構造を説明する図である。
【０９２２】
同図（ａ）のプラズマ３Ｄモニタにおいては、透明部材がプラズマ３Ｄモニタ全体を覆うカバーによって固定されている。
【０９２３】
また、プラズマパネルのパネル側の面とパララックスバリアとが、立体表示を行うにおいて適正な空隙距離Ｚを維持するように、プラズマディスプレイのパネル脇の枠にスペーサが設けられている。
【０９２４】
ただし、プラズマディスプレイのパネル脇の枠が、適正な空隙距離Ｚを維持する上で十分な厚みを持っている場合は、スペーサを設けずともよい。
【０９２５】
モニタ装着のモニタ面側ガラスの電磁波シールド層と近赤外線遮断層は逆の順序で形成されてもよい。また、写り込み防止層と、電磁波シールド層または近赤外線遮断層が複合した層を形成してもよい。
【０９２６】
図１０７（ｂ）はパララックスバリアを印刷した、所定の強度を有する透明部材を、製造行程において組み込んだプラズマ３Ｄモニタの構造を説明する図である。
【０９２７】
同図（ｂ）のプラズマ３Ｄモニタにおいては、プラズマパネルのパネル側の面とパララックスバリアとが、立体表示を行うにおいて適正な空隙距離Ｚを維持するように、透明部材が固定されている。
【０９２８】
また、透明部材にはパララックスバリアの他に、前述の方法で印刷した電磁波シールドが印刷されている。電磁波シールドは前述の方法により、パララックスバリアが電磁波シールドを兼用するものとしてもよいし、パララックスバリアとは別に電磁波シールドを新たに重畳して印刷するものとしてもよい。
【０９２９】
写り込み防止層は、近赤外線遮断層と複合して形成されてもよい。
【０９３０】
＜電気制御パララックスバリア＞
本発明に用いるパララックスバリアは、電気的な制御（スイッチ制御）により、パララックスバリアとしての機能をＯＮまたはＯＦＦにできる電気制御可パララックスバリア（スイッチパララックスバリア）としてもよい。
【０９３１】
すなわち、３Ｄ映像表示時においては、パララックスバリアは画像提示対象者に視差を起こさせるものとして機能するが、２Ｄ映像表示時においては、パララックスバリアは不要であって、可視光を全面的に透過させることが好ましい。
【０９３２】
そこで、パララックスバリアを電気的に制御して、３Ｄ映像表示時にはパララックスバリアをＯＮにし、２Ｄ映像表示時にはパララックスバリアをＯＦＦにすることにより、２Ｄ映像表示時の輝度の低下を防ぐことができる。
【０９３３】
電気制御パララックスバリアの具体的な実施形態としては、液晶の配向の制御によりパララックスバリアをＯＮまたはＯＦＦにすることが好ましい。つまり、液晶ディスプレイをパララックスバリアとして使用することになる。
【０９３４】
（Ａ１）  本発明に係る裸眼立体映像表示装置は、前記課題を解決するために、パララックスバリア方式により立体映像を表示する裸眼立体映像表示装置であって、前面に２Ｄ画像が描画または印刷されたパララックスバリアと、２Ｄおよび／または３Ｄの映像を表示する表示手段とを備えたことを特徴とする。
【０９３５】
前記の構成によれば、表示手段が映像の表示を行わない時でも、画像提示対象者に対し、広いパララックスバリアの前面に描かれた２Ｄ画像を提示できるので、表示手段を発光させて稼働させている場合以外も、表示装置として利用することが出来るという効果を奏する。
【０９３６】
（Ａ２）  本発明に係る裸眼立体映像表示装置では、前記パララックスバリアに入射する外部光の状態を検知する外部光検知手段と、少なくとも該外部光検知手段により検知された該外部光の状態に基づき、前記表示手段による前記２Ｄおよび／または３Ｄの映像の表示状態の制御を行う制御部とをさらに備えたことが好ましい。
【０９３７】
前記制御部が外部光の状態、すなわち、画像提示対象者が描画または印刷された２Ｄ画像および表示された２Ｄおよび／または３Ｄの映像を視認する際の、周りの光の状態を検知し、状況に応じた最適な映像の表示を、表示手段を介して行うことにより、画像提示対象者に対し、視認に最適な映像表示を行うことが出来るという効果を奏する。
【０９３８】
それ故、消費電力を削減することが出来るという効果も奏する。
【０９３９】
（Ａ３）  本発明に係る裸眼立体映像表示装置では、前記パララックスバリアの前面に投光する投光手段と、該パララックスバリアに入射する外部光の状態を検知する外部光検知手段と、少なくとも該外部光検知手段により検知された該外部光の状態に基づき、該投光手段による前記２Ｄ画像の表示状態の制御を行う制御部とをさらに備えることが好ましい。
【０９４０】
前記制御部が外部光の状態、すなわち、画像提示対象者が描画または印刷された２Ｄ画像および表示された２Ｄおよび／または３Ｄの映像を視認する際の、周りの光の状態を検知し、パララックスバリアの前面に対する、状況に応じた最適な照明を、投光手段を介して行うことにより、画像提示対象者に対し、視認に最適な画像提示を行うことが出来るという効果を奏する。
【０９４１】
（Ａ４）  本発明に係る裸眼立体映像表示装置では、前記パララックスバリアの前面に投光する投光手段と、該パララックスバリアに入射する外部光の状態を検知する外部光検知手段と、少なくとも該外部光検知手段により検知された該外部光の状態に基づき、前記表示手段による前記２Ｄおよび／または３Ｄの映像の表示状態の制御、および、該投光手段による前記２Ｄ画像の表示状態の制御を行う制御部とをさらに備えることが好ましい。
【０９４２】
前記制御部が外部光の状態、すなわち、画像提示対象者が描画または印刷された２Ｄ画像および表示された２Ｄおよび／または３Ｄの映像を視認する際の、周りの光の状態を検知し、状況に応じた最適な映像の表示を、表示手段を介して行うことにより、そして、状況に応じた最適な照明を、投光手段を介して行うことにより、画像提示対象者に対し、視認に最適な映像表示および画像提示を行うことが出来るという効果を奏する。
【０９４３】
（Ａ５）  本発明に係る裸眼立体映像表示装置では、前記外部光の状態に基づく、前記２Ｄおよび／または３Ｄの映像の表示状態の制御は、前記２Ｄ画像を補完する色を表示する制御も含むことが好ましい。
【０９４４】
前記制御部は、表示状態の制御に際し、パララックスバリアの前面に描画または印刷された画像を補完する色を表示するので、前記２Ｄ画像がより適切に表現されるという効果を奏する。
【０９４５】
（Ａ６）  本発明に係る裸眼立体映像表示装置では、前記制御部は、前記表示状態の制御に際し、時刻、画像提示対象者の接近、画像提示対象者のドアノブ等への接触、および／または、画像提示対象者が床の上に乗ったことを、対応する各検知手段により検知し、該表示状態の制御を行い、該画像提示者が該床の床面上に乗る場合、該床面は、前記裸眼立体映像表示装置の直前および／または直後に設置されるか、または、前記裸眼立体映像表示装置の表示面となるように設置されることが好ましい。
【０９４６】
前記制御部が、時計、画像提示対象者の接近を検知する人感センサ、画像提示対象者のドアノブ等への接触を検知する接触センサ、および／または、画像提示対象者が床の上に乗ったことを検知する感圧センサなどを備え、それらセンサからの入力信号に応じて、映像表示を変化させることにより、画像提示対象者に対し、より適切な表示を行うことが出来るという効果を奏する。
【０９４７】
（Ａ７）  本発明に係る裸眼立体映像表示装置では、近傍の物体を撮像する撮像手段をさらに備え、前記制御部は、前記表示状態の制御に際し、該撮像手段により撮影した映像と共に、該画像を解析し、解析結果に応じた立体映像を表示する制御を行うことが好ましい。
【０９４８】
前記近傍の物体には、静物、動く物体、生物、特に、画像提示対象者を含む。
【０９４９】
前記制御部は、撮像手段により撮像された画像提示対象者などの画像を、立体映像の一部として、画像提示対象者に提示することにより、様々な表示を行うことが出来るという効果を奏する。
【０９５０】
（Ａ８）  本発明に係る裸眼立体映像表示装置では、前記パララックスバリアの前面は、２Ｄ画像の描画または印刷に代わり、鏡面となっているか、または、該パララックスバリアの全面に渡り、マジックミラーとなっていることが好ましい。
【０９５１】
前記パララックスバリアの前面が鏡であれば、画像提示対象者が自分の姿を写した時に、表示手段による表示も同時に視認させることが出来るという効果を奏する。
【０９５２】
また、前記パララックスバリアの全面をマジックミラーとすると、鏡面にする場合と同様の効果が得られる上に、製造が容易になるという効果を奏する。
【０９５３】
（Ａ９）  本発明に係る裸眼立体映像表示装置では、前記パララックスバリアの、スリット部を含んだ全面には、スキャナを用いて読み取ることにより記録された情報を再生可能なドットパターンが形成されていることが好ましい。
【０９５４】
前記スリット部は、表示手段による発光を透過する構造でなければならないが、ドットパターンは、充分に微細であり、映像の視認には支障は無いうえ、ドットパターンを読み取る為のスキャナを用いて、裸眼立体映像表示装置の映像表示面をタッチすることにより、タッチ位置を判断できるので、タッチ位置に応じた表示映像等の変更を行うことが出来るという効果を奏する。
【０９５５】
（Ｂ１０）  本発明に係る裸眼立体映像表示装置は、前記課題を解決するために、パララックスバリア方式により立体映像を表示する裸眼立体映像表示装置であって、２Ｄ／３Ｄ映像の表示を行う映像表示手段と、ユーザからの入力を受け付けるタッチパネルとを備えたことを特徴とする。
【０９５６】
前記の構成によれば、タッチパネルから入力されたユーザの指示に応じて、表示する２Ｄ／３Ｄ映像を変化させることが出来るという効果を奏する。
【０９５７】
さらなる効果として、通常、裸眼立体映像表示装置では、効果的な立体効果が得られるベストビューポイントの位置が限られるが、画像提示対象者がタッチパネルを操作する事前提として、すなわち、画像提示対象者が画像を見る位置はタッチパネルに手が届く範囲である事を前提として、ベストビューポイントを定められるので、画像提示対象者に最も立体感のある映像を提示出来るという効果を奏する。
【０９５８】
（Ｂ１１）  本発明に係る裸眼立体映像表示装置では、前記映像表示手段は、２Ｄ／３Ｄ映像の表示を行う第１の領域と、２Ｄ映像表示のみを行う第２の領域とに分割され、前記パララックスバリアは、少なくとも該第１の領域を覆い、前記タッチパネルは、少なくとも該第２の領域を覆うことが好ましい。
【０９５９】
前記タッチパネル部分は、２Ｄ映像表示のみを行うので、３Ｄの多視点用の画像を表示する必要が無く、２Ｄ専用の高解像度の映像を表示すればよいので、タッチパネルのメニューなどを精細に表示することが出来るという効果を奏する。
【０９６０】
（Ｂ１２）  本発明に係る裸眼立体映像表示装置では、前記パララックスバリアの前面には、２Ｄ画像が描画または印刷されていることが好ましい。
【０９６１】
前記パララックスバリアの前面に２Ｄ画像を描画または印刷しておくことにより、裸眼立体映像表示装置が映像を表示していないときでも、２Ｄ画像を画像提示対象者に対し、提示することが出来るという効果を奏する。
【０９６２】
（Ｂ１３）  本発明に係る裸眼立体映像表示装置では、前記タッチパネルは、グリッドシートであることが好ましい。
【０９６３】
前記グリッドシートは、モニタ画面に重ねて用いられる透明なシート上に形成された、目に見えない微少なドットパターンを、スキャナを用いてタッチすることにより、タッチパネルとしての機能を実現するものである。
【０９６４】
前記タッチパネルをグリッドシートにより構成すると、専用スキャナを用いてシート上をタッチすることにより、タッチパネル上のタッチ位置を検知することが出来るという効果を奏する。
【０９６５】
（Ｂ１４）  本発明に係る裸眼立体映像表示装置では、前記グリッドシートは、前記パララックスバリアを兼用することが好ましい。
【０９６６】
前記グリッドシートは、透明なシート上に、ドットパターンを、印刷等により形成した構造であり、前記パララックスバリアも、透明なシート上に、バリアを、印刷等により形成した構造である。そこで、両者を兼用させる事により、部品点数を削減し、製造コストを低下させることが出来るという効果を奏する。
【０９６７】
（Ｂ１５）  本発明に係る裸眼立体映像表示装置では、前記タッチパネルは、前記映像表示手段から着脱可能な、写真またはグラフィック等により形成されたアイコン等が印刷された媒体、ペーパーコントローラ、または、ペーパーキーボードであることが好ましい。
【０９６８】
前記ペーパーキーボードおよび前記ペーパーコントローラは、紙などの媒体上に、キーボードのキーやリモートコントローラのボタンを、ドットパターンと重ねて印刷したものである。ペーパーキーボードおよびペーパーコントローラ上のボタンやキーをペン型のスキャナによりタッチすることにより、ボタンやキーに割り当てられた情報が読み取られ、読み取られた情報に対応した、画像切り替えなどの機能が実行される。
【０９６９】
前記タッチパネルを、ペーパーキーボード、ペーパーコントローラなどより構成することにより、精細な写真等を印刷した媒体を、タッチパネルとして用いることが出来るという効果を奏する。
【０９７０】
（Ｂ１６）  本発明に係る裸眼立体映像表示装置では、前記タッチパネルは、前記第２の領域に代えて、メニュー等の映像を表示するために、ショーウィンドウのガラス面等に形成された、透明または半透明の映像投影スクリーンと、該映像投影スクリーンに、可視光の光を投影するプロジェクタと、該映像投影スクリーンの領域に、該映像投影スクリーンの背面から不可視光の光を照射する光源と、ユーザによるタッチパネルへの接触により反射した、該不可視光の光を該タッチパネルの背面から撮像する撮像手段と、該撮像された画像の解析により、ユーザによるタッチパネルへの接触位置を計算する解析手段とを備えたことが好ましい。
【０９７１】
前記タッチパネルは、可視光により機能する部分と、不可視光により機能する部分とに分けられる。
【０９７２】
可視光により機能する部分は、画像提示対象者、すなわち、タッチパネルの操作者に対し、メニュー等の映像を投影するプロジェクタと、そのプロジェクタから投影された映像を映し出す映像投影スクリーンである。この映像投影スクリーンは、ショーウィンドウのガラス面等に形成され、前記第２の領域と同様の機能を持つ。画像提示対象者は、プロジェクタにより可視光を用いてスクリーンに投影されたメニュー等を視認し、視認した内容に基づき、タッチパネルである映像投影スクリーン面をタッチする。
【０９７３】
不可視光により機能する部分は、前記光源と、画像提示対象者がタッチするスクリーンである前記映像投影スクリーンと、ユーザによるタッチパネルへの接触により反射した、該不可視光の光を撮像する撮像手段と、解析手段とである。
【０９７４】
光源から映像投影スクリーン面に背後から照射された不可視光は、通常、殆どが透過する。しかし、画像提示対象者、すなわち、タッチパネルの操作者が映像投影スクリーン面をタッチすると、タッチ位置の部分は、不可視光が透過せず、拡散反射が起こる。撮像手段は、映像投影スクリーン面を、映像投影スクリーン面の背後から撮影するので、拡散反射部分を撮影することが出来る。そして、撮像された画像を、解析手段が画像解析することにより、映像投影スクリーン面の領域のうち、いずれの領域がタッチされたかを認識する。
【０９７５】
タッチ時に映像投影スクリーン面に投影されていた画像と、入力されたタッチ位置の座標とに基づき、いずれのメニュー等を、画像提示対象者が選択したかを認識することが出来るという効果を奏する。
【０９７６】
また、前記第２の領域に代えて備えられた映像投影スクリーン面には、メニュー等の映像が映る領域を設けるのみで、他の構成要素を映像投影スクリーン面から離れた背後に設置することが出来るので、タッチパネルの設置を、柔軟に行うことが出来るという効果も奏する。
【０９７７】
（Ｂ１７）  本発明に係る裸眼立体映像表示装置は、前記ショーウィンドウの前に位置する画像提示対象者が立体視適正範囲に入るように、かつ、該ショーウィンドウの背後に位置するように設置されることが好ましい。
【０９７８】
裸眼立体映像表示装置は、ショーウィンドウ前の画像提示対象者の位置において、最も立体効果が得られる距離であり、かつ、ショーウィンドウの内側またはショーウィンドウの背後に設置されるので、タッチパネル操作者や、ショーウィンドウ前に群がる画像提示対象者に対し、最も効果的な立体映像を提示することが出来るという効果を奏する。
（Ｂ１８）  本発明に係る裸眼立体映像表示装置では、前記タッチパネルは、前記第１の領域への描画制御、および／または、前記第２の領域への描画制御に用いられる入力を受け付けることが好ましい。
【０９７９】
前記タッチパネルへの、画像提示対象者による入力は、２Ｄ／３Ｄ描画制御に用いられる。すなわち、タッチパネルをタッチすると、タッチパネル面に表示される画像が変わるように表示制御を行う場合と、タッチパネルをタッチすると、３Ｄ画像表示領域に表示される映像が変わるように表示制御を行う場合とがある。
【０９８０】
このように、タッチパネルへの入力を、タッチパネル面への２Ｄのメニュー等の表示制御と３Ｄ表示面への表示制御との両者に用いることが出来るという効果を奏する。
【０９８１】
（Ｃ１９）  本発明に係る裸眼立体映像表示装置は、前記課題を解決するために、複数視点用のパララックスバリア方式により立体映像を表示する裸眼立体映像表示装置であって、該パララックスバリアのスリットの配置形状が、複数の線分により形成されたジグザグ形状、または、正弦波状の曲線形状であり、各視点用の画素も、該スリットの配置形状に対応させて、ジグザグ形状、または、曲線形状に配置されたことを特徴とする。
【０９８２】
従来の斜めスリットの場合、斜めの線の傾きは一定なので、各視点用の画素の配置を微妙に変化させないと適切なビューミックスは実現できない。しかし、画素が適切な方法により配置されていれば、スリットを変化させることにより、同等の効果を得られる。
【０９８３】
スリットの配置形状、すなわち、スリットの中心線の形状が、ジグザグ形状または正弦波状の曲線形状であれば、スリットの形状の配置と画素の配置とのずれが一定となる直線形状のスリットと異なり、ずれが大きくなる部分があっても、他の部分ではずれが小さくなる。
【０９８４】
すなわち、ジグザグ形状または正弦波曲線形状において、１／４周期点でジグザグ形状の角または正弦波の最大振幅点を通過する半周期分の間に、ずれを制御することが出来るという効果を奏する。
【０９８５】
（Ｃ２０）  本発明に係る裸眼立体映像表示装置は、前記課題を解決するために、ディスプレイ上に配置された、該スリットを通して画像提示対象者により視認される可視領域を形成する、１つまたは複数の視点用の画素に対応した一定形状の楕円弧を、連続して接続した形状であることが好ましい。
【０９８６】
スリットのエッジ形状を楕円弧とすることにより、穏やかで適度なビューミックスを発生させ、視点の移動およびジャンプポイントの緩和を行うことが出来るという効果を奏する。
【０９８７】
（Ｃ２１）  本発明に係る裸眼立体映像表示装置では、前記パララックスバリアのスリットの配置形状は、垂直に配置された直線、斜め方向に配置された直線、複数の線分の繰り返しにより形成されたジグザグ形状、または、正弦波状の曲線形状であることが好ましい。
【０９８８】
スリットの配置形状を、垂直に配置された直線、斜め方向に配置された直線、複数の線分の繰り返しにより形成されたジグザグ形状、または、正弦波状の曲線形状とすることにより、様々なビューミックスが実現されるので、画像提示対象者の視点が移動しても、穏やかで適切なビューミックスを発生させるための制御がし易いという効果を奏する。
【０９８９】
（Ｃ２２）  本発明に係る裸眼立体映像表示装置では、前記楕円弧は、各画素を水平方向に分割する各水平線上において接続されることが好ましい。
【０９９０】
スリットのエッジを構成する楕円弧同士は、各画素を水平方向に分割する各水平線上において接続されることにより、垂直方向の視点移動により知覚される立体感を滑らかに出来るという効果を奏する。
【０９９１】
また、注視点の左右に位置するビューミックスの面積は、階段状のエッジに較べて小さいので、水平方向のビューミックスを抑え、立体効果を高めることが出来るという効果を奏する。
【０９９２】
なお、注視点とは、画像提示対象者の左右それぞれの目から、スリットの中心を通り、画像表示面に達する直線を引いた場合、左目から引いた直線と画像表示面との交点が、左目の注視点となり、右目から引いた直線と画像表示面との交点が、右目の注視点となる。
【０９９３】
（Ｃ２３）  本発明に係る裸眼立体映像表示装置は、前記課題を解決するために、複数視点用のパララックスバリア方式により立体映像を表示する裸眼立体映像表示装置であって、前記パララックスバリアのスリットの配置形状は、斜め方向に配置された直線であり、該スリットのエッジ形状は、ディスプレイ上に配置された、該スリットを通して画像提示対象者により視認される可視領域を形成する、１つまたは複数の視点用の画素に対応した所定の形状の楕円弧と、各画素を水平方向に分割する各水平線の一部である線分とを、連続して接続した形状であることを特徴とする。
【０９９４】
前記エッジの形状は、楕円弧と、各行の画素を分割する水平線の一部である線分とで構成されるので、画像提示対象者が該装置の正面において立体映像を見た際に、最もクリアな立体映像を提供できるという効果を奏する。
【０９９５】
また、注視点の左右に位置するビューミックスの面積は、階段状のエッジに較べて小さいので、水平方向のビューミックスを抑え、立体効果を高めることが出来るという効果を奏する。
【０９９６】
（Ｃ２４）  本発明に係る裸眼立体映像表示装置では、前記パララックスバリアのスリットの配置形状は、斜め方向に配置された直線に代わり、複数の線分の繰り返しにより形成されたジグザグ形状、または、正弦波状の曲線形状であることが好ましい。
【０９９７】
スリットの配置形状を、複数の線分の繰り返しにより形成されたジグザグ形状、または、正弦波状の曲線形状とすることにより、様々なビューミックスが実現されるので、画像提示対象者の視点が移動しても、ビューミックスの発生を穏やかで適切なものに制御できるという効果を奏する。
【０９９８】
（Ｅ２６）  本発明に係るパララックスバリアは、前記課題を解決するために、裸眼立体ディスプレイ用のパララックスバリアであって、該パララックスバリアを構成する複数のスリット領域および複数のバリア領域のうち、該スリット領域のそれぞれは、１個のスリットに代わり、裸眼立体表示用の各画素に対応した、複数個の可視光透過領域により構成され、該可視光透過領域は、該パララックスバリア上にそれぞれ独立して配置され、ベストビューポイントにおいて、画像提示対象者の左右いずれかの眼により該可視光透過領域を通して視認される有効可視領域は、所定の幅および所定の高さにより定まる矩形領域の中に、該有効可視領域の周囲が該矩形領域の上下および左右の辺に内接する形で収まる形状であることを特徴とする。
【０９９９】
通常、パララックスバリア方式の裸眼立体ディスプレイでは、パララックスバリアには、連続した可視光透過領域であるスリットが、各視点用の画素の配置に対応させて、形成されている。本発明では、連続した細長いスリットに代わり、各視点用の画素の配置に対応させて、独立した可視光透過領域である穴が、形成されている。
【１０００】
そして、穴である可視光透過領域を設計する際には、画素配列面において所定の大きさの矩形領域を求め、矩形領域に収まる有効可視領域を求め、画像提示対象者の目がベストビューポイントに位置しているとして、ベストビューポイントから見た有効可視領域の相似形をパララックスバリア上にプロットして形成する。
【１００１】
なお、ベストビューポイントとは、画像提示対象者が裸眼立体効果を最も得られる位置であり、この位置では、画像提示対象者の右目に対応した矩形領域と左目に対応した矩形領域とが、接しているが重なっていない状態となる位置である。
【１００２】
前記の構成によれば、ビューミックスを発生させ、かつジャンプポイントを緩和するために一度に片方の眼で視認すべきサブピクセルの領域を最初に定め、そこから逆算して、パララックスバリア上の可視光透過領域を定めるので、最も適切な可視光透過領域の形状を、容易に設計することが出来るという効果を奏する。
【１００３】
（Ｅ２７）  本発明に係るパララックスバリアでは、前記矩形領域の形状は、水平方向に変形させた平行四辺形であり、前記有効可視領域の形状も、該変形に従属して変形されることが好ましい。
【１００４】
矩形領域を平行四辺形に変形する事により、各視点用の画素の配置の傾き、および／または、一画素内でのサブピクセルの配置の傾きにより適合した有効可視領域とすることが出来る。
【１００５】
また、有効可視領域が複雑な形状であっても、矩形領域を縦長の長方形から平行四辺形に変形する際の座標変換を有効可視領域の変形にも用いるので、容易に複雑な形状の有効可視領域を変形することが出来るという効果を奏する。
【１００６】
（Ｅ２８）  本発明に係るパララックスバリアでは、前記平行四辺形の傾きの範囲は、垂直から、前記可視光透過領域の配列の傾きθ１まで、または、１画素を構成する複数のサブピクセルが２行以上に渡って配置される場合、１画素内でのサブピクセルの配列の傾きをθ２として、垂直から、該傾きθ１または該傾きθ２のうちいずれか大きい方までであることが好ましい。
【１００７】
（Ｅ２９）  本発明に係るパララックスバリアでは、前記平行四辺形の傾きの範囲は、前記可視光透過領域の配列の傾きをθ１とし、１画素を構成する複数のサブピクセルが２行以上に渡って配置される場合、１画素内でのサブピクセルの配列の傾きをθ２として、該傾きθ１と該傾きθ２との間であることが好ましい。
【１００８】
（Ｅ３０）  本発明に係るパララックスバリアでは、前記有効可視領域のそれぞれの形状は、上下対称および／または左右対称であることが好ましい。
【１００９】
（Ｅ３１）  本発明に係るパララックスバリアでは、前記有効可視領域のそれぞれの形状は、楕円弧形、または、四角形、六角形、八角形等の、偶数角形であることが好ましい。
【１０１０】
（Ｅ３２）  本発明に係るパララックスバリアでは、前記偶数角形の隅角部は、所定の円周率の円弧により描かれた曲線であることが好ましい。
【１０１１】
（Ｅ３３）  本発明に係るパララックスバリアでは、前記矩形領域の、前記所定の幅の範囲は、前記裸眼立体ディスプレイの表示画素配置面において、立体画像の１画素を構成するサブピクセルの配置から求まる画素平均幅Ｄを用いると、該画素平均幅Ｄの１倍以上、かつ、該画素平均幅Ｄの２倍未満の範囲であることが好ましい。
【１０１２】
（Ｅ３４）  本発明に係るパララックスバリアでは、前記矩形領域の、前記所定の高さの最大値は、前記裸眼立体ディスプレイの表示画素配置面において、立体画像の１画素を構成するサブピクセルの高さであることが好ましい。
【１０１３】
（Ｅ３５）  本発明に係るパララックスバリアでは、前記可視光透過領域は、ベストビューポイントにおける画像提示対象者の左右いずれかの眼を基点として、前記有効可視領域と、水平方向に相似であり、垂直方向に同形であることが好ましい。
【１０１４】
通常、ある点を基点として、相似変形を行うと、水平方向および垂直方向に、拡大または縮小する変形が行われる。しかし、画素配列面上の有効可視領域を、ベストビューポイントにおける画像提示対象者の左右いずれかの眼を基点として、相似形である可視光透過領域を求めると、可視光透過領域の上下方向の間隔が開きすぎてしまうので、相似変形は、可視光透過領域のローカル座標のｘ座標に対してのみ行い、ｙ座標に対しては変形を行わないことで、垂直方向の可視光透過領域同士の間隔を適切に保ち、視点が上下方向に移動する際にも、違和感なく適切な裸眼立体効果を得ることが出来る。
【１０１５】
（Ｅ３６）  本発明に係る裸眼立体映像表示装置は、前記課題を解決するために、前記のパララックスバリアを備えたことを特徴とする。
【１０１６】
（Ｆ１）  本発明の遊技ゲーム機は、表示手段とパララックスバリアとからなるパララックスバリア方式の裸眼立体映像表示手段と、ゲーム内容を制御するゲーム制御手段と、プレイヤーによる操作を受け付ける入力手段と、経過時間および／または連続プレイ時間を計測する計時手段と、該経過時間および／または該連続プレイ時間に基づき、該裸眼立体映像表示手段により表示される３Ｄ映像の出現回数、表示時間、および／または、立体飛び出し度を制御する映像制御手段とを備えたことを特徴とする。
【１０１７】
上記構成によれば、前記映像制御手段が、前記遊技ゲーム機のプレイ開始時から一定時間においては迫力ある３Ｄ映像を表示し、一定時間の経過後においてはプレイ開始時と比較して出現回数、表示時間、および／または、立体飛び出し度を減らした３Ｄ映像を表示するように制御を行うことにより、プレイヤーの眼にかかる負担を軽減する、という効果を奏する。
【１０１８】
また、前記映像制御手段は経過時間および／または連続プレイ時間に応じて３Ｄ映像の出現回数、表示時間、および／または、立体飛び出し度を減らすだけでなく、増やすことも可能である。
【１０１９】
すなわち、経過時間および／または連続プレイ時間が所定の時間に達すると３Ｄ映像の出現回数、表示時間、および／または、立体飛び出し度が増える制御を行うことにより、プレイヤーの射幸心をあおり、プレイの継続を促す、という効果を奏する。
【１０２０】
ここで、遊技ゲーム機とはパチンコ、パチスロといった遊技機、アーケードゲーム機、コンシューマゲーム機、ＰＣ用ゲーム、ＰＣ用オンラインゲーム等の、表示手段を用いてプレイするあらゆるゲーム機またはゲームを意味する。
【１０２１】
（Ｆ２）  本発明の映像制御手段は、前記３Ｄ映像の出現回数、表示時間、および／または、立体飛び出し度の制御を、所定の複数の視点用映像を所定のアルゴリズムにより予めブレンドして作成された、裸眼立体表示用映像を所定数用意することにより行うことが好ましい。
【１０２２】
上記構成によれば、所定の出現回数、表示時間、および／または、立体飛び出し度の３Ｄ映像を予め複数作成して、３Ｄ映像の表示時にはこれらを選択的に表示することにより、経過時間および／または連続プレイ時間に応じて最適な３Ｄ表示を行うことができる。
【１０２３】
（Ｆ３）  本発明の映像制御手段は、前記３Ｄ映像の出現回数、表示時間、および／または、立体飛び出し度の制御を、予め用意された複数の各視点用映像から、前記パララックスバリアに対応した視点数分の該各視点用映像を、隣り合う各視点同士の視差が同一となるように複数選択し、リアルタイムにブレンドすることにより行うことが好ましい。
【１０２４】
上記構成によれば、予め用意された複数の各視点用の映像を、求める出現回数、表示時間、および／または、立体飛び出し度に応じてリアルタイムにブレンドすることにより、経過時間および／または連続プレイ時間に応じて最適な３Ｄ表示を行うことができる。
【１０２５】
（Ｆ４）  本発明の映像制御手段は、前記３Ｄ映像の出現回数、表示時間、および／または、立体飛び出し度の制御を、３ＤＣＧを描画するための視点となるマルチカメラを描画対象物に対して接近・離隔させることにより、および／または、描画対象物を該マルチカメラに対して接近・離隔させることにより、または前記パララックスバリアに対応する複数の該マルチカメラの向きを変えて、該マルチカメラの注視点の位置を前後させることにより行うことが好ましい。
【１０２６】
上記構成によれば、複数の各視点用の映像を、求める出現回数、表示時間、および／または、立体飛び出し度に応じてリアルタイムに描画することにより、経過時間および／または連続プレイ時間に応じて最適な３Ｄ表示を行うことができる。
【１０２７】
（Ｆ５）  本発明の映像制御手段は、前記入力手段から送られた入力信号に基づいて、前記飛び出し度を制御することが好ましい。
【１０２８】
上記構成によれば、プレイヤーが任意に３Ｄ映像の飛び出し度を変えることができることにより、プレイ中に眼の負担を感じた際に直ちに３Ｄ映像の飛び出し度を減らすことができる、という効果を奏する。また、より迫力ある３Ｄ映像を楽しみたい場合には３Ｄの飛び出し度を増やすこともでき、プレイ意欲を喚起する、という効果を奏する。
【１０２９】
（Ｆ６）  本発明の遊技ゲーム機は、前記パララックスバリアを動かす駆動手段をさらに備え、該パララックスバリアは前記表示手段のモニタ面の少なくとも一部を覆う、可動式パララックスバリアであることが好ましい。
【１０３０】
（Ｆ７）  本発明の遊技ゲーム機は、表示手段と可動式パララックスバリアとからなるパララックスバリア方式の裸眼立体映像表示手段と、ゲーム内容を制御するゲーム制御手段と、プレイヤーによる操作を受け付ける入力手段と、該可動式パララックスバリアを動かす駆動手段と、該表示手段のモニタ面の少なくとも一部を覆う、可動式パララックスバリアとを備えたことを特徴とする。
【１０３１】
上記構成によれば、パララックスバリアを移動させることにより、前記裸眼立体映像表示手段において２Ｄ映像表示時の輝度の低下を防ぐ、という効果を奏する。
また、パララックスバリア自体は可動式であること以外には特別な構造でなくてもよいため、工程数を抑えた簡易な構成により上記の効果を奏する裸眼立体映像表示を備えた遊技ゲーム機の提供が可能となる。
【１０３２】
（Ｆ８）  本発明の駆動手段は、前記可動式パララックスバリアを上下または／および左右に移動可能とする、前記モニタ面の周辺に配置された適正距離維持手段により、該可動式パララックスバリアから該モニタ面までの所定の距離を維持することが好ましい。
【１０３３】
上記構成によれば、前記可動式パララックスバリアが上下および／または左右に移動することにより、モニタ面からの光が遮られなくなるため２Ｄ映像表示時の輝度の低下を防ぐ、という効果を奏する。
【１０３４】
（Ｆ９）  本発明の遊技ゲーム機は、前記可動式パララックスバリアから前記モニタ面までの所定の距離を維持するための適正距離維持手段をさらに備え、前記可動式パララックスバリアは、前記表示手段が２Ｄ映像を表示する際に該モニタ面に重ねられる透明部分を含んだロール可能シートの一部であり、前記駆動手段は、該ロール可能シートを上下方向または左右方向に巻き取ることが好ましい。
【１０３５】
上記構成によれば、ロール可能シートを巻き取ることによりモニタ面に透明部分を重ねたときは、モニタ面からの光が遮られなくなるため２Ｄ映像表示時の輝度の低下を防ぐ、という効果を奏する。
【１０３６】
また、パララックスバリアをロール可能なシート状とすることにより、パララックスバリアの移動を省スペースで実現する、という効果を奏する。
【１０３７】
（Ｆ１０）  本発明の適正距離維持手段は、前記ロール可能シートと前記モニタ面との間に配置された透明な平面板と、該モニタ面の周辺に配置され、該透明な平面板に該ロール可能シートを密着させて固定する固定手段とからなることが好ましい。
【１０３８】
上記構成によれば、ロール可能シートを平面板に密着させることでロール可能シートの凹凸を補正し、該ロール可能シートの可動式パララックスバリア部とモニタ面との適正距離を維持できる、という効果を奏する。
【１０３９】
（Ｆ１１）  本発明の遊技ゲーム機は、本発明の前記透明な平面板は、複数の微細孔が設けられ、前記固定手段は、該微細孔から前記ロール可能シートを吸引して、該該ロール可能シートを該透明な平面版に密着させて固定する吸引手段であることが好ましい。
【１０４０】
上記構成によれば、平面板に設けた複数の微細孔からロール可能シートを吸引手段により吸引することで、平面板とロール可能シートがより確実に密着し、該ロール可能シートの可動式パララックスバリア部とモニタ面との適正距離をより確実に維持できる、という効果を奏する。
【１０４１】
（Ｆ１２）  本発明の前記適正距離維持手段は、前記モニタ面の周辺に配置されたスペーサおよび／またはレールであることが好ましい。
【１０４２】
上記構成によれば、スペーサおよび／またはレールによりロール可能シートの凹凸が補正されるため、該ロール可能シートの可動式パララックスバリア部とモニタ面との適正距離を維持できる、という効果を奏する。
【１０４３】
（Ｆ１３）  本発明の遊技ゲーム機は、本発明の前記駆動手段は、前記モニタ面の周辺に配置され、前記裸眼立体映像表示手段が表示する映像が３Ｄ映像であるか、または、２Ｄ映像であるかに基づき、前記可動式パララックスバリアを前後に移動することにより、該可動式パララックスバリアを該モニタ面に接近させて３Ｄ映像を適正に表示し、該可動式パララックスバリアを該モニタ面から離して２Ｄ映像を欠落なく表示することが好ましい。
【１０４４】
上記構成によれば、２Ｄ映像表示時にはプレイヤーに到達する光の量そのものが増加するため、２Ｄ映像表示時の輝度の低下を防ぐ、という効果を奏する。
【１０４５】
（Ｆ１４）  本発明の遊技ゲーム機は、３Ｄ映像を表示する際に輝度を制御する輝度制御手段をさらに備えたことが好ましい。
【１０４６】
（Ｆ１５）  本発明の遊技ゲーム機は、３Ｄ映像を表示する際に輝度を制御する輝度制御手段をさらに備えたことが好ましい。
【１０４７】
上記構成によれば、輝度自体を制御することでパララックスバリアによる輝度の低下を防ぐ、という効果を奏する。
【１０４８】
（Ｆ１６）  本発明の輝度制御手段は、前記裸眼立体映像表示手段が表示する映像が３Ｄ映像である場合は輝度を上げ、前記裸眼立体映像表示手段が表示する映像が２Ｄ映像である場合は輝度を下げる輝度制御を行うことが好ましい。
【１０４９】
上記構成によれば、３Ｄ映像表示時においては輝度を上げ、２Ｄ映像表示時においては輝度を下げることにより、可動式パララックスバリアを動かすことで生じる３Ｄ映像表示時と２Ｄ映像表示時との輝度差を補正する、という効果を奏する。
【１０５０】
（Ｆ１７）  本発明の輝度制御は、前記表示手段の光源へ供給する電流および／または電圧を制御することにより行うことが好ましい。
【１０５１】
上記構成によれば、表示手段の光源に供給する電流および／または電圧を制御することにより、パララックスバリアによる輝度の低下を防ぐ、という効果および、可動式パララックスバリアを動かすことで生じる３Ｄ映像表示時と２Ｄ映像表示時との輝度差を補正する、という効果を奏する。
【１０５２】
（Ｆ１８）  本発明の輝度制御は、前記モニタ面に表示される映像のうち、前記パララックスバリアにより覆われている、３Ｄ映像領域において、映像の明度を上げ、該パララックスバリアにより覆われていない、２Ｄ映像領域において、映像の明度を下げることにより、該パララックスバリアの有無による、該３Ｄ映像領域と該２Ｄ映像領域との輝度差を補正する映像明度補正であることが好ましい。
【１０５３】
上記構成によれば、３Ｄ映像の明度を上げ、２Ｄ映像の明度を下げることにより、３Ｄ映像表示時と２Ｄ映像表示時との輝度差を補正する、という効果を奏する。
【１０５４】
（Ｆ１９）  本発明の映像明度補正は、映像を再生するためのフレームバッファに一時的に蓄えられる映像データに対して、リアルタイムに画像処理を行う補正であることが好ましい。
【１０５５】
上記構成によれば、映像を再生するためのフレームバッファに一時的に蓄えられる映像データに対して、リアルタイムに画像処理を行うことにより、予め明度を上げて作成した３Ｄ映像および明度を下げて作成した２Ｄ映像を用意せずとも、リアルタイムに明度を補正して３Ｄ映像表示時と２Ｄ映像表示時との輝度差を補正する、という効果を奏する。
【１０５６】
（Ｆ２０）  本発明の遊技ゲーム機は、２Ｄ映像を表示するための２Ｄ映像表示装置をさらに備え、前記裸眼立体映像表示手段は、３Ｄ映像のみを表示することが好ましい。
【１０５７】
上記構成によれば、２Ｄ映像を表示するための２Ｄ映像表示装置をさらに備えることにより、２Ｄ映像表示時のパララックスバリアによる輝度の低下を防ぐ、という効果を奏する。
【１０５８】
（Ｆ２１）  本発明の遊技ゲーム機は、本発明の前記裸眼立体映像表示手段は、操作をうながす画像または映像を表示し、前記ゲーム制御手段は、該操作時間および／または該操作方法に対応させて定義されたアルゴリズムと、前記入力手段から送られた入力信号とに基づいてゲームを制御し、前記映像制御手段は、該ゲーム制御手段によるゲームの制御に対応して、３Ｄ映像の出現回数、表示時間および／または立体飛び出し度を制御することが好ましい。
【１０５９】
上記構成によれば、ゲームのプレイ内容に応じて３Ｄ映像の出現回数、表示時間および／または立体飛び出し度が変化することにより、プレイヤーの射幸心をあおり、プレイ意欲を喚起する、という効果を奏する。
【１０６０】
（Ｆ２２）  本発明の入力手段は、ボタン、レバー、スライダー、ジョイスティック、マウス、キーボード、ジョグダイヤル、タッチパネルのいずれか１つ、または、複数の組み合わせであることが好ましい。
【１０６１】
（Ｆ２３）  本発明の遊技ゲーム機は、遊技球の位置および／または遊技球の軌道を検知する検知手段をさらに備え、前記ゲーム制御手段は、該検知手段から取得した検知信号に基づいてゲームを制御し、前記映像制御手段は、該ゲーム制御手段によるゲームの制御に対応して、３Ｄ映像の出現回数、表示時間および／または立体飛び出し度を制御することが好ましい。
【１０６２】
上記構成によれば、検知手段により遊技球の位置および／または遊技球の軌道を検知することにより、該検知手段による検知の結果をゲーム内容および３Ｄ映像に反映させることができる、という効果を奏する。
【１０６３】
（Ｆ２４）  本発明の遊技ゲーム機は、前記裸眼立体映像表示手段は、役物および／または飾物の画像または映像を表示し、前記ゲーム制御手段は、前記映像制御手段から取得した該役物および／または該飾物の画像または映像を形成する前記表示手段の画素の位置情報と、前記検知手段から取得した検知信号と、に基づいてゲームを制御することが好ましい。
【１０６４】
上記構成によれば、裸眼立体映像表示手段はゲーム制御手段によるゲームの制御結果を３Ｄ映像で表示するだけでなく、該３Ｄ映像自体が、あたかもゲーム制御手段によるゲーム内容の制御の一要素であるかのように体感することができる、という効果を奏する。
【１０６５】
（Ｆ２５）  本発明の裸眼立体映像表示手段は、通常はプレイヤーに対して隠されており、所定の出現条件が満たされた場合のみ出現することが好ましい。
【１０６６】
（Ｆ２６）  本発明のパララックスバリアは、前記モニタ面の形状に限定されることなく、任意の形状であることが好ましい。
【１０６７】
上記構成によれば、パララックスバリアを任意の形状とすることで、遊技ゲーム機のデザインの自由度が高まる。
【１０６８】
（Ｆ２７）  本発明の遊技ゲーム機は、前記パララックスバリアの、プレイヤー側の面の少なくとも一部には、２Ｄ画像が形成されていることが好ましい。
【１０６９】
上記構成によれば、パララックスバリアのプレイヤー側の面の少なくとも一部に２Ｄ画像が形成されていることにより、裸眼立体映像表示手段を備えた遊技ゲーム機のデザインをする際に、該裸眼立体映像表示手段の存在によってデザインが制約されない、という効果を奏する。
【１０７０】
また、パララックスバリアのほぼ全面に２Ｄ画像を形成する場合、ゲームのプレイ開始前には遊技ゲーム機にはあたかも表示装置が備えられていないかのような印象をプレイヤーに与え、ゲームのプレイ開始後に３Ｄ映像を表示することでプレイヤーのプレイ意欲を喚起する、という効果を奏する。
【１０７１】
（H１）  本発明に係るパララックスバリアは、電磁波シールドを兼ねていることが好ましい。
【１０７２】
パララックスバリアに電磁波シールドの機能を兼用させることにより、プラズマディスプレイパネルなど電磁波シールドを必要とするディスプレイでも、電磁波シールドを別途用意する必要が無くなるという効果を奏する。
【１０７３】
特に、パララックスバリアおよび電磁波シールドを、印刷により形成する場合に有効である。なお、印刷による形成は、ガラス板またはアクリル板などの透明媒体に直接行ってもよいし、薄膜透明シートに印刷してから、その薄膜透明シートを透明媒体に貼り付けてもよい。
【１０７４】
（Ｉ１）  本発明に係るパララックスバリアは、導電性の部材により形成されることが好ましい。
【１０７５】
パララックスバリアに導電性の部材を用いることで、パララックスバリアは電磁波シールドを兼用する。
【１０７６】
この場合、パララックスバリアと電磁波シールドを一つの工程で形成することができるという効果を奏する。
【１０７７】
特に、印刷の精度によらずにパララックスバリアと電磁波シールドの配置のズレをなくすことができることは、極めて顕著な効果である。
【１０７８】
パララックスバリアを印刷により形成する際に、パララックスバリア本来の部材に導電性の部材を混合することが好ましい。
【１０７９】
（Ｉ２）  本発明に係るパララックスバリアは、電磁波シールドが重畳して形成されることが好ましい。
【１０８０】
パララックスバリアに電磁波シールドを重畳して形成することにより、パララックスバリアは電磁波シールドを兼用する。
【１０８１】
この場合、高価な導電性の部材を使用する量が少なくて済む。
【１０８２】
（Ｉ３）  本発明に係るパララックスバリアは、電磁波シールドが重畳して形成されることが好ましい。
【１０８３】
（Ｉ４）  本発明に係るパララックスバリアは、前記スリットまたは前記可視光透過領域の長軸方向の長さが、電磁波を遮断するために必要な所定の幅を超える場合には、該スリットまたは該可視光透過領域を電磁波シールドにより二以上の領域に分割することが好ましい。
【１０８４】
この場合、パララックスバリアの可視光透過領域であるスリットまたは穴の高さおよび幅が、パララックスバリアが電磁波シールドを兼用する上で必要な設計基準の幅を超える場合であっても、スリットまたは穴を分割または区画することによりスリットまたは穴の高さおよび幅を設計基準内におさめることができる。
【１０８５】
（１）本発明に係るパララックスバリアシートは、上記課題を解決するために、ディスプレイを裸眼立体ディスプレイとして機能させるために、該ディスプレイと共に用いられ、該ディスプレイに対し脱着可能なパララックスバリアシートであって、透明媒体と、該透明媒体に形成されたパララックスバリアとからなることを特徴としている。
【１０８６】
上記の構成によれば、パララックスバリアを、ディスプレイとは切り離して製造し、市場に供給することが出来、ユーザは自身の安価なディスプレイを用いて裸眼立体映像を見ることが出来るので、既存のノートＰＣやＴＶモニタなどにハードウェアとしてはパララックスバリアシートを追加するのみで安価に裸眼立体ディスプレイを実現することが出来、ユーザが市場で販売されている各種のパララックスバリアシートを選択することが出来、通常のモバイルＰＣに加えて、そのモバイルＰＣの画面サイズ、解像度、処理能力に適合したパララックスバリア１枚を持ち運ぶだけで、客先等で容易に裸眼立体コンテンツの裸眼立体効果をプレゼンテーション出来、ディスプレイの解像度が向上した携帯電話機においても裸眼立体表示が可能となり、何時でも何処でも裸眼立体コンテンツを表示することが出来るという効果を奏する。
【１０８７】
（２）本発明に係るパララックスバリアシートでは、前記透明媒体は、ガラス製、または、使用時に平面性を保持できる硬度の樹脂製であることが好ましい。
【１０８８】
前記透明媒体がガラス製、または、使用時に平面性を保持できる硬度の樹脂製であることにより、使用時におけるパララックスバリアシートの変形を防止し、適切な立体効果を得られるという更なる効果を奏する。
【１０８９】
（３）本発明に係るパララックスバリアシートでは、前記パララックスバリアの形成は、前記透明媒体へ、直接、グラビア印刷することにより行われることが好ましい。
【１０９０】
直接、グラビア印刷することにより、薄膜透明シートにパララックスバリアを形成してから、その薄膜透明シートを透明媒体に貼り付ける工程において気泡が形成される現象を無くし、１工程少なく、パララックスバリアシートを製造出来るという更なる効果を奏する。
【１０９１】
（４）本発明に係るパララックスバリアシートでは、前記パララックスバリアの形成は、該パララックスバリアを薄膜透明シートに形成した後、該薄膜透明シートを前記透明媒体に貼付することにより行われることが好ましい。
【１０９２】
薄膜透明シートにパララックスバリアを形成してから、その薄膜透明シートを透明媒体に貼り付ける方法では、形成されたパララックスバリアは、薄膜透明シートと透明媒体との間に挟まれるので、透明媒体および薄膜透明シートを、脱着式パララックスバリアの保護膜として利用することが出来るという更なる効果を奏する。
【１０９３】
（５）本発明に係るパララックスバリアシートでは、前記パララックスバリアのマスク面のうち、少なくとも画像提示対象者側には、広告等のグラフィックが付加されていることが好ましい。
【１０９４】
ユーザは、パララックスバリアを裸眼立体ディスプレイに設置して裸眼立体コンテンツを視聴する場合以外にも、パララックスバリアのグラフィックを見ることが出来るので、パララックスバリアシートをインテリアや広告媒体として利用することが出来るという更なる効果を奏する。
【１０９５】
（６）本発明に係るパララックスバリアシートでは、前記パララックスバリアのマスク部分は、可視光を遮断する黒色であることが好ましい。
【１０９６】
マスク部分が黒色であることにより、ディスプレイからの光が強調されるので、よりクリアな裸眼立体映像を視聴することが出来るという更なる効果を奏する。
【１０９７】
（７）本発明に係るパララックスバリアシートでは、前記裸眼立体ディスプレイに対する、立体視適性範囲および／またはベストビューポイントを設定する為に計算された、前記ディスプレイの画像表示面からパララックスバリアのマスク面までの空隙距離（Ｚ値）を、該画像表示面との間に保持するためのスペーサをさらに備えたことが好ましい。
【１０９８】
適切に計算された空隙距離に対応したスペーサを備える事により、確実に立体効果を得ることが出来るという更なる効果を奏する。
【１０９９】
なお、空隙距離（Ｚ値）とは、裸眼立体ディスプレイにおいて、所望の立体視適性範囲および／またはベストビューポイントを得るために、設計時に考慮されるパラメータであり、ディスプレイの画像表示面からパララックスバリアのマスク面までの距離を表すものである。
【１１００】
（８）本発明に係るパララックスバリアシートでは、前記スペーサは、透明であることが好ましい。
【１１０１】
スペーサが透明なので、スペーサがディスプレイの画像表示面に設置される場合でも、画像表示面に表示される情報のうち、スペーサにより隠される量を削減することが出来るという更なる効果を奏する。
【１１０２】
（９）本発明に係るパララックスバリアシートでは、前記スペーサは、前記透明媒体と同じ材質により、該透明媒体と一体成形されることが好ましい。
【１１０３】
透明媒体と同じ材料により、透明媒体と一体成形することにより、スペーサを透明媒体に接着する手間を省くと共に、パララックスバリアシートの強度を高めることが出来るという更なる効果を奏する。
【１１０４】
（１０）本発明に係るパララックスバリアシートでは、前記スペーサは、前記空隙距離を簡易に変更可能な構造であることが好ましい。
【１１０５】
空隙距離を簡易に変更可能な構造なので、ユーザが所望の立体効果を得るために、スペーサの厚みを容易に調整することが出来るという更なる効果を奏する。
【１１０６】
（１１）本発明に係るパララックスバリアシートでは、前記ディスプレイを通常の２Ｄ表示ディスプレイとして使用する場合は、前記スペーサの厚みを第１の厚みに調整し、該ディスプレイを裸眼立体ディスプレイとして使用する場合は、該スペーサの厚みを第１の厚みより薄い第２の厚みに調整することが好ましい。
【１１０７】
この構成では、パララックスバリアシートをディスプレイから外すことなく、通常の２Ｄ表示による視聴と裸眼立体表示による視聴とを切り替えることが出来るという更なる効果を奏する。
【１１０８】
第２の厚みは、パララックスバリアを適切な空隙距離に位置付けるものであり、第１の厚みは、パララックスバリアのスリットから、違和感なく通常の２Ｄ表示が視認できる距離まで空隙距離を伸ばした場所にパララックスバリアを位置付けるものである。
【１１０９】
（１２）本発明に係るパララックスバリアシートでは、前記スペーサの少なくとも一部は、前記透明媒体の厚みにより代用されることが好ましい。
【１１１０】
透明媒体の厚みは、製造時に容易に調整できるので、スペーサとして必要な厚みを透明媒体の厚みとして取れるのであれば、スペーサを省くことが出来るという更なる効果を奏する。
【１１１１】
もし、必要な厚みの全てを、透明媒体の厚みにより取ることが出来ない場合でも、スペーサの厚みを削減することが出来るという更なる効果を奏する。
【１１１２】
（１３）本発明に係るパララックスバリアシートでは、前記スペーサは、前記ディスプレイ面の枠により代用されることが好ましい。
【１１１３】
画像表示面と枠の表面との段差をスペーサ代わりに用いるので、スペーサを省くことが出来るという更なる効果を奏する。
【１１１４】
なお、スペーサの役割をディスプレイ面の枠により代用させるのは、ディスプレイの画像表示面に較べて、画像表示面の周囲の枠が手前に出ており、段差がある場合であって、かつ、その段差の厚み、またはその段差および透明媒体の合計の厚みが、必要な空隙距離と等しい場合が、最も望ましい。
【１１１５】
（１４）本発明に係るパララックスバリアシートでは、前記パララックスバリアは、前記立体視適性範囲および／または前記ベストビューポイントを設定する際に、前記枠の厚みを調整する代わりに、前記パララックスバリアのスリットの幅を調整して形成されることが好ましい。
【１１１６】
空隙距離をスペーサにより調整しなくても、所与の空隙距離に対し、パララックスバリアのスリット幅というパラメータの方を調整する事によっても、立体視可能範囲および／またはベストビューポイントを設定することが可能なので、ディスプレイの画像表示面と枠との段差の利用を優先する場合でも、適切な裸眼立体効果が得られるように、パララックスバリアを設計することが出来るという更なる効果を奏する。
【１１１７】
（１５）本発明に係るパララックスバリアシートでは、前記パララックスバリアのスリットが水平線に対し斜めに形成される場合、該スリットの水平線に対する角度は、該パララックスバリアを前記ディスプレイに取り付ける際に、必ず所定の角度θになるように保持されることが好ましい。
【１１１８】
パララックスバリアのスリットの傾きは一定であるという前提において、パララックスバリアは設計されるので、脱着式のパララックスバリアであっても、その傾きθが必ず所定の角度になれば、設計どおりの裸眼立体効果が得られるという更なる効果を奏する。
【１１１９】
（１６）本発明に係るパララックスバリアシートでは、前記パララックスバリアの傷、はがれ、付着物を防止するための保護手段を備えたことが好ましい。
【１１２０】
保護手段を備えているので、脱着式であっても、パララックスバリアを傷、はがれ、汚れから保護することが出来るという更なる効果を奏する。
【１１２１】
（１７）本発明に係るパララックスバリアシートでは、前記ディスプレイの画像表示面に、所定の１個または２個の視点用の画像を白色とし、それ以外の視点用の画像を黒色とすることにより、キャリブレーション用の指標を形成し、該指標が前記パララックスバリアのスリットを通して連続した線として視認できるように調整してキャリブレーションを行うことが好ましい。
【１１２２】
パララックスバリアシートをディスプレイに設置する際のキャリブレーションを行うにあたり、例えば、５視点の裸眼立体ディスプレイとする場合、第３の視点用の画素を白色とし、それ以外の第１、第２、第４、第５視点用の画素を黒くすると、画像表示面上には、第３の視点用の画素の所だけが、白い線となって視認される。
【１１２３】
その白い線を、パララックスバリアのスリットを通して視て、線が連続して見えるように、パララックスバリアシートの位置合わせを行うことが出来るので、容易にキャリブレーションを行うことが出来るという更なる効果を奏する。
【１１２４】
（１８）本発明に係るパララックスバリアシートでは、前記透明媒体には、キャリブレーション用の第１の指標が形成され、前記ディスプレイの枠または該ディスプレイの画像表示面には、キャリブレーション用の第２の指標が形成され、前記パララックスバリアシートを該ディスプレイに設置する際には、第１の指標と第２の指標とを合わせることにより、キャリブレーションを行うことが好ましい。
【１１２５】
パララックスバリアシートをディスプレイに設置する際のキャリブレーションを行うにあたり、パララックスバリアシートの位置とディスプレイの位置とを合わせるために、指標を用いるので、容易にキャリブレーションを行うことが出来るという更なる効果を奏する。
【１１２６】
（１９）本発明に係るパララックスバリアシートでは、前記第１の指標は、前記透明媒体の所定の位置に、水平および／または垂直に所定の幅のキャリブレーション用ライン状スリットを設けたものであり、前記キャリブレーションは、前記画像表示面上の、対応する位置に表示されたラインである第２の指標を欠落無く視認できるように、該透明媒体の位置を調整するキャリブレーションであることが好ましい。
【１１２７】
パララックスバリアシートをディスプレイに設置する際のキャリブレーションを行うにあたり、重ね合わせる指標が、ライン同士であるため、わずかなズレでも第２の指標が欠落してしまうので、正確にキャリブレーションを行うことが出来るという更なる効果を奏する。
【１１２８】
＜補足事項＞
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【１１２９】
（Ａ）本発明にかかる裸眼立体映像表示装置は、外部光の状態に応じて、表示する画像／映像の制御を行うことが出来るので、屋外広告や屋内であっても屋内照明が変化する場所での広告としての用途に適用できる。【１１３０】
（Ｂ）本発明にかかる裸眼立体映像表示装置は、タッチパネルを備えているので、画像提示対象者による入力に応じ、表示内容を変更する広告としての用途に適用できる。【１１３１】
（Ｃ）本発明にかかる裸眼立体映像表示装置は、ビューミックスの度合いを細かく制御出来るので、ジャンプポイントを緩和したい立体映像を表示する用途に適用できる。【１１３２】
本発明にかかるパララックスバリアシートを、通常の、例えばＳＶＧＡクラスの解像度および廉価版ＣＰＵの処理能力を有するデスクトップＰＣ、ノートＰＣに付加することにより、安価な裸眼立体ディスプレイとする事ができるので、ウィンドウ等の擬似的な３次元表示を行っているＯＳにおいて、本格的な裸眼立体視を行う用途にも適用できる。【１１３３】
ユーザが各種のパララックスバリアシートを入手し、パーソナルに使用出来る環境を整えるようになれば、該各種のパララックスバリアシートの特性に合わせて、様々なソフトウェアやコンテンツを提供する可能性を増加させる用途にも適用できる。【１１３４】
本発明にかかるパララックスバリアシートを用いれば、さらに将来、裸眼立体コンテンツのＴＶ放送やコンシューマ用立体映像プレーヤが実現した際、専用のＴＶモニタを使用することなく、既存のＴＶモニタを用いて、簡単かつ低価格で立体映像を楽しむ用途にも適用できる。
【図１】
2010007787.tif 000058
【図２】
2010007787.tif 000059
【図３】
2010007787.tif 000060
【図４】
2010007787.tif 000061
【図５】
2010007787.tif 000062
【図６】
2010007787.tif 000063
【図７】
2010007787.tif 000064
【図８】
2010007787.tif 000065
【図９】
2010007787.tif 000066
【図１０】
2010007787.tif 000067
【図１１】
2010007787.tif 000068
【図１２】
2010007787.tif 000069
【図１３】
2010007787.tif 000070
【図１４】
2010007787.tif 000071
【図１５】
2010007787.tif 000072
【図１６】
2010007787.tif 000073
【図１７】
2010007787.tif 000074
【図１８】
2010007787.tif 000075
【図１９】
2010007787.tif 000076
【図２０】
2010007787.tif 000077
【図２１】
2010007787.tif 000078
【図２２】
2010007787.tif 000079
【図２３】
2010007787.tif 000080
【図２４】
2010007787.tif 000081
【図２５】
2010007787.tif 000082
【図２６】
2010007787.tif 000083
【図２７】
2010007787.tif 000084
【図２８】
2010007787.tif 000085
【図２９】
2010007787.tif 000086
【図３０】
2010007787.tif 000087
【図３１】
2010007787.tif 000088
【図３２】
2010007787.tif 000089
【図３３】
2010007787.tif 000090
【図３４】
2010007787.tif 000091
【図３５】
2010007787.tif 000092
【図３６】
2010007787.tif 000093
【図３７】
2010007787.tif 000094
【図３８】
2010007787.tif 000095
【図３９】
2010007787.tif 000096
【図４０】
2010007787.tif 000097
【図４１】
2010007787.tif 000098
【図４２】
2010007787.tif 000099
【図４３】
2010007787.tif 000100
【図４４】
2010007787.tif 000101
【図４５】
2010007787.tif 000102
【図４６】
2010007787.tif 000103
【図４７】
2010007787.tif 000104
【図４８】
2010007787.tif 000105
【図４９】
2010007787.tif 000106
【図５０】
2010007787.tif 000107
【図５１】
2010007787.tif 000108
【図５２】
2010007787.tif 000109
【図５３】
2010007787.tif 000110
【図５４】
2010007787.tif 000111
【図５５】
2010007787.tif 000112
【図５６】
2010007787.tif 000113
【図５７】
2010007787.tif 000114
【図５８】
2010007787.tif 000115
【図５９】
2010007787.tif 000116
【図６０】
2010007787.tif 000117
【図６１】
2010007787.tif 000118
【図６２】
2010007787.tif 000119
【図６３】
2010007787.tif 000120
【図６４】
2010007787.tif 000121
【図６５】
2010007787.tif 000122
【図６６】
2010007787.tif 000123
【図６７】
2010007787.tif 000124
【図６８】
2010007787.tif 000125
【図６９】
2010007787.tif 000126
【図７０】
2010007787.tif 000127
【図７１】
2010007787.tif 000128
【図７２】
2010007787.tif 000129
【図７３】
2010007787.tif 000130
【図７４】
2010007787.tif 000131
【図７５】
2010007787.tif 000132
【図７６】
2010007787.tif 000133
【図７７】
2010007787.tif 000134
【図７８】
2010007787.tif 000135
【図７９】
2010007787.tif 000136
【図８０】
2010007787.tif 000137
【図８１】
2010007787.tif 000138
【図８２】
2010007787.tif 000139
【図８３】
2010007787.tif 000140
【図８４】
2010007787.tif 000141
【図８５】
2010007787.tif 000142
【図８６】
2010007787.tif 000143
【図８７】
2010007787.tif 000144
【図８８】
2010007787.tif 000145
【図８９】
2010007787.tif 000146
【図９０】
2010007787.tif 000147
【図９１】
2010007787.tif 000148
【図９２】
2010007787.tif 000149
【図９３】
2010007787.tif 000150
【図９４】
2010007787.tif 000151
【図９５】
2010007787.tif 000152
【図９６】
2010007787.tif 000153
【図９７】
2010007787.tif 000154
【図９８】
2010007787.tif 000155
【図９９】
2010007787.tif 000156
【図１００】
2010007787.tif 000157
【図１０１】
2010007787.tif 000158
【図１０２】
2010007787.tif 000159
【図１０３】
2010007787.tif 000160
【図１０４】
2010007787.tif 000161
【図１０５】
2010007787.tif 000162
【図１０６】
2010007787.tif 000163
【図１０７】
2010007787.tif 000164
【図１０８】
2010007787.tif 000165
【国際調査報告】
2010007787.tif 000166
2010007787.tif 000167
2010007787.tif 000168
2010007787.tif 000169
2010007787.tif 000170
2010007787.tif 000171
2010007787.tif 000172
2010007787.tif 000173